(57)【要約】芳香吐出装置を動作させる方法は、空気を移動させる空気移動器の動作を開始させることを含む。モータは、芳香カートリッジを第１の方位に向ける。この第１の方位において、芳香カートリッジの第１のチャンバの出口は、芳香吐出装置のポートへ流体連絡的に接続される。芳香カートリッジを第１の方位から第２の方位へ向ける方向および移動量が決定される。第２の方位において、芳香カートリッジの第２のチャンバの出口が芳香吐出装置の第１のポートへ流体連絡的に接続される。その後、芳香カートリッジは、第２の方位に向けられる。使い捨ての芳香カートリッジは、回転軸と、チャンバの少なくとも２つの内部に受容された使い捨ての芳香媒体との周囲に配列されたチャンバを規定する壁を有するハウジングを含む。【選択図】図２５
2017502793.tif 000002
【特許請求の範囲】
【請求項１】
芳香吐出装置を動作させる方法であって、
空気を移動させるように空気移動器の動作を開始させることと、
前記空気移動器の動作を開始させることの後、第１の芳香カートリッジを、第１のモータを介して、前記第１の芳香カートリッジの複数のチャンバのうち第１のチャンバの対応する出口が前記芳香吐出装置の第１のポートと流体連絡的に接続する第１の方位に向けることと、
少なくとも１のコントローラを介して、前記第１の芳香カートリッジを、前記第１の方位から、前記複数のチャンバのうち第２のチャンバの対応する出口が前記芳香吐出装置の前記第１のポートへ流体連絡的に接続される第２の方位に向けるための移動方向の決定及び前記決定された移動方向における移動量の決定を行うことと、
前記第１のモータを介して、前記第１の芳香カートリッジを、前記複数のチャンバのうち第２のチャンバの対応する出口が前記芳香吐出装置の前記第１のポートへ流体連絡的に接続される前記第２の方位に向けること
を含む、方法。
【請求項２】
前記移動方向の決定を行うことは、第１の回転方向および第２の回転方向のどちらが、前記第１の芳香カートリッジを前記第１の方位から前記第２の方位へ移動させるための最小移動量を提供するかを決定することを含み、前記第２の回転方向は前記第１の回転方向と反対である、請求項１に記載の方法。
【請求項３】
前記決定された移動方向における前記移動量の決定を行うことは、前記第１の芳香カートリッジを前記第１の方位から前記第２の方位に向ける、前記第１の回転方向におけるステッパーモータによるステップ数を決定することを含む、請求項２に記載の方法。
【請求項４】
前記決定された移動方向における移動量の決定を行うことは、前記第１の芳香カートリッジを前記第１の方位から前記第２の方位に向ける、前記第１の回転方向におけるステッパーモータによるステップ数を決定することを含む、請求項１に記載の方法。
【請求項５】
前記第１の芳香カートリッジを前記第２の方位に向けることは、前記決定された移動方向において前記第１の芳香カートリッジを前記第１の方位から前記決定された移動量だけ移動させることを含む、請求項１に記載の方法。
【請求項６】
前記第１の方向は第１の回転方向であり、前記第１の芳香カートリッジを前記第２の方位に向けることは、前記第１の回転方向において前記第１の芳香カートリッジを前記ステッパーモータの決定された第１のステップ数だけ動かすようにステッパーモータを駆動することを含む、請求項１に記載の方法。
【請求項７】
第１の指示に応答して、前記第１のモータを介して前記第１の芳香カートリッジをデフォルト方位に向けることをさらに含む、請求項１に記載の方法。
【請求項８】
前記第１の芳香カートリッジを前記デフォルト方位に向けることは、芳香媒体を含む前記複数のチャンバのいずれもが前記芳香吐出装置の前記第１のポートと流体連絡的に接続しないように前記第１の芳香カートリッジを向けることを含む、請求項７に記載の方法。
【請求項９】
前記第１の芳香カートリッジを前記デフォルト方位に向けることは、前記複数のチャンバのうち空である第３のチャンバが前記芳香吐出装置の前記第１のポートへ流体連絡的に接続されるように前記第１の芳香カートリッジを向けることを含む、請求項７に記載の方法。
【請求項１０】
前記第１の芳香カートリッジを前記デフォルト方位に向けることは、前記複数のチャンバのうち空気フィルタが配置された第３のチャンバが前記芳香吐出装置の前記第１のポートへ流体連絡的に接続されるように前記第１の芳香カートリッジを向けることを含む、請求項７に記載の方法。
【請求項１１】
前記少なくとも１つのコントローラを介して電源の利用可能な電力の低下を検出することと、前記利用可能な電力の低下の検出に応答して前記第１の指示を提供することと、
をさらに含む、請求項７に記載の方法。
【請求項１２】
前記少なくとも１つのコントローラを介して電源断の入力を検出することと、前記電源断の入力の前記検出に応答して前記第１の指示を提供することと、
をさらに含む、請求項７に記載の方法。
【請求項１３】
前記第１の指示に応答して、前記第１の芳香カートリッジを前記デフォルト方位に向けることの後、前記空気移動器の動作を停止させることをさらに含む、請求項７に記載の方法。
【請求項１４】
前記空気移動器の動作を開始させることと、前記第１の指示に応答して前記空気移動器の動作を停止させることとの間で、空気を移動させるように前記空気移動器を連続的に動作させることをさらに含む、請求項１３に記載の方法。
【請求項１５】
前記少なくとも１つのコントローラを介して、前記第１の芳香カートリッジの前記複数のチャンバのうち第３のチャンバを、前記第２の方位から、前記芳香吐出装置の前記第１のポートと共に向けるための移動方向の決定及び前記前記決定された移動方向での移動量の決定を行うことと、
前記第１のモータを介して、前記第１の芳香カートリッジを、前記複数のチャンバのうち前記第２のチャンバの対応する出口が前記芳香吐出装置の前記第１のポートに流体連絡的に接続される第３の方位に向けることと、
前記空気移動器の動作を開始させることと、前記第１の指示に応答して前記空気移動器の動作を停止させることとの間で、空気を移動させるように前記空気移動器を連続的に動作させることと、
をさらに含む、請求項１３に記載の方法。
【請求項１６】
前記第１の芳香カートリッジを前記第２の方位に向けることと、前記第１の芳香カートリッジを第３の方位に向けることとの間で、前記第１の芳香カートリッジを前記第１のモータを介して前記デフォルト方位に向けること、
をさらに含む、請求項１３に記載の方法。
【請求項１７】
前記少なくとも１つのコントローラを介して、芳香指定に少なくとも部分的に基づいて、前記第１の芳香カートリッジの方位のシーケンスを決定することをさらに含み、
前記方位のシーケンスは、少なくとも前記第１の方位および前記第２の方位を含む、請求項７に記載の方法。
【請求項１８】
前記少なくとも１つのコントローラを介して、前記デフォルト方位から前記第１の芳香カートリッジを前記第１の方位へ向けるための移動方向及び前記決定された移動方向での移動量を決定することと、
前記第１の芳香カートリッジを前記第２の方位に向ける前に、前記第１のモータを介して、前記第１の芳香カートリッジを、前記複数のチャンバのうち前記第１のチャンバの対応する出口が前記芳香吐出装置の前記第１のポートへ流体連絡的に接続される前記第１の方位に向けること
をさらに含む、請求項１７に記載の方法。
【請求項１９】
前記第１の芳香カートリッジの前記方位のシーケンスを決定する前に前記芳香指定を無線を介して無線受信することをさらに含む、請求項１７に記載の方法。
【請求項２０】
芳香吐出装置であって、
空気を移動させる空気移動器と、
前記空気移動器の動作の開始後に、第１の芳香カートリッジを、前記第１の芳香カートリッジの複数のチャンバのうち第１のチャンバの対応する出口が前記芳香吐出装置の第１のポートと流体連絡的に接続される第１の方位に向ける第１のモータと、
前記第１の方位から、前記第１の芳香カートリッジを、前記複数のチャンバのうち第２のチャンバの対応する出口が前記芳香吐出装置の前記第１のポートへ流体連絡的に接続される第２の方位に向けるための移動量の決定及び前記決定された移動方向における移動量の決定を行い、前記第１のモータに、前記第１の芳香カートリッジを、前記複数のチャンバのうち前記第２のチャンバの対応する出口が前記芳香吐出装置の前記第１のポートへ流体連絡的に接続される前記第２の方位に向けさせる少なくとも１つのコントローラと、
を含む、装置。
【請求項２１】
前記少なくとも１つのコントローラは、第１の回転方向および第２の回転方向のどちらが、前記第１の芳香カートリッジを前記第１の方位から前記第２の方位へ移動させるための最小移動量を提供するかを決定し、前記第２の回転方向は前記第１の回転方向と反対である、請求項２０に記載の装置。
【請求項２２】
前記少なくとも１つのコントローラは、前記第１の芳香カートリッジを前記第１の方位から前記第２の方位に向ける、前記第１の回転方向におけるステッパーモータによるステップ数を決定する、請求項２１に記載の装置。
【請求項２３】
前記少なくとも１つのコントローラは、前記第１の芳香カートリッジを前記第１の方位から前記第２の方位に向ける、前記第１の回転方向におけるステッパーモータによるステップ数を決定する、請求項２０に記載の装置。
【請求項２４】
前記少なくとも１つのコントローラは、前記第１のモータに、前記第１の芳香カートリッジを前記第１の方位から前記決定された移動方向に前記決定された移動量だけ移動させる、請求項２０に記載の装置。
【請求項２５】
前記第１の方向は第１の回転方向であり、前記第１のモータはステッパーモータであり、前記少なくとも１つのコントローラは、前記第１のモータに、前記第１の芳香カートリッジを前記決定された移動方向に決定された第１のステップ数だけ移動させる、請求項２０に記載の装置。
【請求項２６】
前記少なくとも１つのコントローラは、第１の指示に応答して、前記第１のモータに前記第１の芳香カートリッジをデフォルト方位に向けさせる、請求項２０に記載の装置。
【請求項２７】
前記少なくとも１つのコントローラは、芳香媒体を含む前記複数のチャンバのいずれもが前記芳香吐出装置の前記第１のポートへ流体連絡的に接続されないように、前記第１のモータに、前記第１の芳香カートリッジを前記デフォルト方位に向けさせる、請求項２６に記載の装置。
【請求項２８】
前記少なくとも１つのコントローラは、前記複数のチャンバのうち空である第３のチャンバが前記芳香吐出装置の前記第１のポートへ流体連絡的に接続されるように、前記第１のモータに、前記第１の芳香カートリッジを前記デフォルト方位に向けさせる、請求項２６に記載の装置。
【請求項２９】
前記少なくとも１つのコントローラは、前記複数のチャンバのうち空気フィルタが配置された第３のチャンバが前記芳香吐出装置の前記第１のポートへ流体連絡的に接続されるように、前記第１のモータに、前記第１の芳香カートリッジを前記デフォルト方位に向けさせる、請求項２６に記載の装置。
【請求項３０】
前記少なくとも１つのコントローラは、電源の利用可能な電力の低下を検出し、前記利用可能な電力の低下に応答して前記第１の指示を提供する、請求項２６に記載の装置。
【請求項３１】
前記少なくとも１つのコントローラは、電源断の入力を検出し、前記電源断の入力の検出に応答して前記第１の指示を提供する、請求項２６に記載の装置。
【請求項３２】
前記第１の指示に応答して、前記少なくとも１つのコントローラは、前記第１の芳香カートリッジを前記デフォルト方位に向けた後、前記空気移動器の動作を停止させる、請求項２６に記載の装置。
【請求項３３】
前記少なくとも１つのコントローラは、前記空気移動器の動作の開始と前記第１の指示に応答した前記空気移動器の動作を停止の間で、空気を移動させるように前記空気移動器を連続的に動作させる、請求項３２に記載の装置。
【請求項３４】
前記少なくとも１つのコントローラは、
前記少なくとも１つのコントローラを介して、前記第２の方位から、前記第１の芳香カートリッジの前記複数のチャンバのうち第３のチャンバを前記芳香吐出装置の前記第１のポートと共に向けるための移動方向の決定及び前記決定された移動方向での移動量の決定を行い、
前記第１のモータに、前記第１の芳香カートリッジを、前記複数のチャンバのうち前記第２のチャンバの対応する出口が前記芳香吐出装置の前記第１のポートに流体連絡的に接続される第３の方位に向けさせ、
前記空気移動器に、前記空気移動器の動作の開始と前記第１の指示に応答した前記空気移動器の動作の停止の間で、空気を移動させるように前記空気移動器を連続的に動作させる、請求項３２に記載の装置。
【請求項３５】
前記少なくとも１つのコントローラは、前記第１の芳香カートリッジを前記第２の方位に向けることと前記第１の芳香カートリッジを第３の方位に向けることとの間で、前記第１のモータに、前記第１の芳香カートリッジを前記デフォルト方位に向けさせる、請求項３２に記載の装置。
【請求項３６】
前記少なくとも１つのコントローラは、芳香指定に少なくとも部分的に基づいて前記第１の芳香カートリッジの方位のシーケンスを決定し、
前記方位のシーケンスは、少なくとも前記第１の方位および前記第２の方位を含む、請求項２６に記載の装置。
【請求項３７】
前記少なくとも１つのコントローラは、
前記デフォルト方位から、前記第１の芳香カートリッジを前記第１の方位へ向けるための移動方向の決定及び前記決定された移動方向における移動量の決定を行い、
前記第１の芳香カートリッジを前記第２の方位に向ける前に、前記モータに、前記第１の芳香カートリッジを、前記複数のチャンバのうち前記第１のチャンバの対応する出口が前記芳香吐出装置の前記第１のポートへ流体連絡的に接続される前記第１の方位に向けさせる、請求項３６に記載の装置。
【請求項３８】
前記芳香指定を無線を介してワイヤレスで受信する通信モジュールを更に含み、
前記通信モジュールは、前記少なくとも１つのコントローラが前記第１の芳香カートリッジの前記方位のシーケンスを決定する前に前記芳香指定を受信する、請求項３６に記載の装置。
【請求項３９】
芳香吐出装置を動作させる方法であって、
複数のチャンバであって、前記チャンバのうち少なくともいくつかが内部に各芳香媒体を有する前記複数のチャンバを有する第１の芳香カートリッジを受容することと、
前記第１の芳香カートリッジがデフォルト方位にある状態で、前記第１の芳香カートリッジに空気を移動させるように空気移動器の動作を開始することと、
前記空気移動器の動作を開始することの後、前記第１の芳香カートリッジを、第１のモータを介して、前記第１の芳香カートリッジの前記複数のチャンバのうち第１のチャンバの対応する出口を前記芳香吐出装置の第１のポートへ流体連絡的に接続させる第１の方位に向けることと、
停止条件の指示に応答して、前記第１の芳香カートリッジを前記デフォルト方位に戻すことと、
を含む、方法。
【請求項４０】
前記第１の芳香カートリッジを前記デフォルト方位に戻すことは、芳香媒体を含む前記複数のチャンバのいずれもが前記芳香吐出装置の前記第１のポートへ流体連絡的に接続されないように、前記第１の芳香カートリッジを向けることを含む、請求項３９に記載の方法。
【請求項４１】
前記第１の芳香カートリッジを前記デフォルト方位に戻すことは、前記複数のチャンバのうち空のチャンバが前記芳香吐出装置の前記第１のポートへ流体連絡的に接続されるように前記第１の芳香カートリッジを向けることを含む、請求項３９に記載の方法。
【請求項４２】
前記第１の芳香カートリッジを前記デフォルト方位に戻すことは、前記複数のチャンバのうち空気フィルタが配置されたチャンバが前記芳香吐出装置の前記第１のポートへ流体連絡的に接続されるように前記第１の芳香カートリッジを向けることを含む、請求項３９に記載の方法。
【請求項４３】
少なくとも１つのコントローラを介して電源の利用可能な電力の低下を検出し、前記利用可能な電力の低下の検出に応答して前記停止条件の指示を提供することをさらに含む、請求項３９に記載の方法。
【請求項４４】
少なくとも１つのコントローラを介して電源断の入力を検出し、前記電源断の入力の検出に応答して前記停止条件の指示を提供することをさらに含む、請求項３９に記載の方法。
【請求項４５】
前記停止条件の指示に応答して、前記第１の芳香カートリッジを前記デフォルト方位に向けることの後、前記空気移動器の動作を停止させること、
をさらに含む、請求項３９に記載の方法。
【請求項４６】
前記空気移動器の動作を開始させることと、前記停止条件の指示に応答して前記空気移動器の動作を停止させることとの間で、空気を移動させるように前記空気移動器を連続的に動作させることをさらに含む、請求項４５に記載の方法。
【請求項４７】
複数のチャンバを有する第１の芳香カートリッジと、
前記第１の芳香カートリッジに対して空気を移動させる空気移動器と、
前記第１の芳香カートリッジの方位を変化させる第１のモータと、
少なくとも１つのコントローラと
を有する芳香吐出装置であって、
前記チャンバのうち少なくともいくつかが内部に対応する芳香媒体を有し、
前記少なくとも１つのコントローラは、
前記第１の芳香カートリッジがデフォルト方位の状態で空気移動器の動作を開始させることと、
前記空気移動器の動作を開始させることの後、前記第１のモータに、前記第１の芳香カートリッジを、前記デフォルト方位から、前記第１の芳香カートリッジの前記複数のチャンバのうち第１のチャンバの対応する出口が前記芳香吐出装置の第１のポートへ流体連絡的に接続される第１の方位へ向けるさせること、
停止条件の指示に応答して、前記第１のモータを介して、前記第１のモータに、前記第１の芳香カートリッジを前記デフォルト方位へ戻させることと、
を行う、装置。
【請求項４８】
前記少なくとも１つのコントローラは、芳香媒体を含む前記複数のチャンバのいずれもが前記芳香吐出装置の前記第１のポートへ流体連絡的に接続されないように、前記第１のモータに、前記第１の芳香カートリッジを前記デフォルト方位へ戻させる、請求項４７に記載の装置。
【請求項４９】
前記少なくとも１つのコントローラは、前記複数のチャンバのうち空の１つのチャンバが前記芳香吐出装置の前記第１のポートへ流体連絡的に接続されるように、前記第１のモータに、前記第１の芳香カートリッジを前記デフォルト方位へ戻させる、請求項４７に記載の装置。
【請求項５０】
前記少なくとも１つのコントローラは、前記複数のチャンバのうち空気フィルタが配置された１つのチャンバが前記芳香吐出装置の前記第１のポートへ流体連絡的に接続されるように、前記第１のモータに、前記第１の芳香カートリッジを前記デフォルト方位へ戻させる、請求項４７に記載の装置。
【請求項５１】
前記少なくとも１つのコントローラは、電源の利用可能な電力の低下を検出し、前記利用可能な電力の低下の検出に応答して前記停止条件の指示を提供する、請求項４７に記載の装置。
【請求項５２】
前記少なくとも１つのコントローラは、電源断の入力を検出し、前記電源断の入力の検出に応答して前記停止条件の指示を提供する、請求項４７に記載の装置。
【請求項５３】
前記停止条件の指示に応答して、前記少なくとも１つのコントローラは、前記第１のモータに、前記第１の芳香カートリッジを前記デフォルト方位に向けさせた後、前記空気移動器の動作を停止させる、請求項４７に記載の装置。
【請求項５４】
前記少なくとも１つのコントローラは、前記空気移動器の動作を開始させることと、前記停止条件の指示に応答して前記空気移動器の動作を停止させることとの間で、空気を移動させるように前記空気移動器を連続的に動作させる、請求項５３に記載の装置。
【請求項５５】
芳香シーケンス指定装置における動作方法であって、
芳香シーケンス指定ユーザインターフェースの提示を生じさせることであって、前記芳香シーケンス指定ユーザインターフェースは、１組のユーザ選択可能な芳香アイコンの芳香パレットを含み、前記ユーザ選択可能な芳香アイコンはそれぞれ、各芳香に対応し、前記芳香シーケンス指定ユーザインターフェースは、前記芳香パレットからの前記ユーザ選択可能な芳香アイコンの選択を介して選択的に入力可能である芳香指定フィールドのアレイをさらに含む、前記芳香シーケンス指定ユーザインターフェースの提示を生じさせること、
前記芳香シーケンス指定ユーザインターフェースを介して入力を受信することと、
前記芳香シーケンス指定ユーザインターフェースを介して受信された前記入力に少なくとも部分的に基づいて芳香指定ファイルを生成することと、
を含む、方法。
【請求項５６】
前記芳香シーケンス指定ユーザインターフェースの提示を生じさせることは、２つ以上の芳香カテゴリーを含む前記芳香シーケンス指定ユーザインターフェースの提示を生じさせることを含む、請求項５５に記載の方法。
【請求項５７】
前記芳香シーケンス指定ユーザインターフェースの提示を生じさせることは、前記芳香カテゴリーそれぞれの２つ以上の芳香についてのユーザ選択可能なアイコンを含む前記芳香シーケンス指定ユーザインターフェースの提示を生じさせることを含む、請求項５５に記載の方法。
【請求項５８】
前記芳香シーケンス指定ユーザインターフェースの提示を生じさせることは、各芳香カテゴリーに、各前記芳香カテゴリーで相互に空間的に順次的に配置された２つ以上の芳香についての２つの以上のユーザ選択可能なアイコンを含む前記芳香シーケンス指定ユーザインターフェースの提示を生じさせることを含む、請求項５６に記載の方法。
【請求項５９】
前記芳香シーケンス指定ユーザインターフェースの提示を生じさせることは、各芳香カテゴリーに、各前記芳香カテゴリーで相互に空間的に順次的に列状に配置された２つ以上の芳香についての２つの以上のユーザ選択可能なアイコンを含む前記芳香シーケンス指定ユーザインターフェースの提示を生じさせることを含む、請求項５６に記載の方法。
【請求項６０】
前記芳香シーケンス指定ユーザインターフェースの提示を生じさせることは、第１のカテゴリーの芳香の各芳香をそれぞれ表すユーザ選択可能な芳香アイコンの第１のアレイと、第２のカテゴリーの芳香の各芳香をそれぞれ表すユーザ選択可能な芳香アイコンの少なくとも第２のアレイの提示を生じさせることを含み、前記第２のカテゴリーの芳香は、前記第１のカテゴリーの芳香と異なる、請求項５５に記載の方法。
【請求項６１】
前記芳香シーケンス指定ユーザインターフェースの提示を生じさせることは、
芳香のコーヒーカテゴリーの各芳香をそれぞれ表すユーザ選択可能な芳香アイコンの第１のアレイと、
芳香のチョコレートカテゴリーの各芳香をそれぞれ表すユーザ選択可能な芳香アイコンの第２のアレイと、
芳香のキャラメルカテゴリーの各芳香をそれぞれ表すユーザ選択可能な芳香アイコンの第３のアレイと、
芳香のナッツカテゴリーの各芳香をそれぞれ表すユーザ選択可能な芳香アイコンの第４のアレイと、
のうち少なくとも２つの提示を生じさせることを含む、
請求項５５に記載の方法。
【請求項６２】
前記芳香シーケンス指定ユーザインターフェースの提示を生じさせることは、芳香指定フィールドのアレイを含む前記芳香シーケンス指定ユーザインターフェースの提示を生じさせることを含み、
時間的シーケンスが、前記芳香指定フィールドの前記アレイの第１の軸に沿った前記芳香指定フィールドの配分によって表される、請求項５５に記載の方法。
【請求項６３】
前記芳香シーケンス指定ユーザインターフェースの提示を生じさせることは、第１の軸および前記第１の軸に垂直な第２の軸を有する芳香指定フィールドの二次元アレイを含む前記芳香シーケンス指定ユーザインターフェースの提示を生じさせることを含み、
前記アレイの前記第１の軸に沿った前記芳香指定フィールドの配分は、時間的シーケンスにおける位置を表し、前記アレイの前記第２の軸に沿った前記芳香指定フィールドの配分は、前記時間的シーケンスにおける各位置において吐出される１つ以上の芳香を表す、請求項５５に記載の方法。
【請求項６４】
前記芳香シーケンス指定ユーザインターフェースの提示を生じさせることは、名称フィールドを含む前記芳香シーケンス指定ユーザインターフェースの提示を生じさせることを含み、
前記名称フィールド中に入力された名称を前記芳香指定ファイルと論理的に関連付けること、
をさらに含む、請求項５５に記載の方法。
【請求項６５】
前記芳香シーケンス指定ユーザインターフェースの提示を生じさせることは、受信者アドレスフィールドおよび送信用のユーザ選択可能なアイコンを含む前記芳香シーケンス指定ユーザインターフェースの提示を生じさせることを含み、
前記送信用のユーザ選択可能なアイコンの選択に応答して、前記芳香指定ファイルを前記受信者アドレスフィールドを介して指定されたアドレスへの送信すること、
をさらに含む、請求項５５に記載の方法。
【請求項６６】
前記芳香シーケンス指定ユーザインターフェースの提示を生じさせることは、１組のプロセッサが実行可能な命令をプロセッサベースの装置へ提供することを含む、請求項５５に記載の方法。
【請求項６７】
前記芳香シーケンス指定ユーザインターフェースの提示を生じさせることは、少なくとも１つのマークアップ言語ファイルをサーバコンピュータを介してモバイル通信装置へ無線的に提供することを含む、請求項５５に記載の方法。
【請求項６８】
前記芳香シーケンス指定ユーザインターフェースの提示を生じさせることは、１組のウェブサービスをサーバコンピュータを介して提供することを含む、請求項５５に記載の方法。
【請求項６９】
少なくとも１つのプロセッサと命令を保存するコンピュータ可読記憶媒体を含む芳香シーケンス指定装置であって、
前記コンピュータ可読記憶媒体は、前記命令が前記少なくとも１つのプロセッサによって実行されると、前記芳香シーケンス指定装置に、
芳香シーケンス指定ユーザインターフェースを提示することであって、前記芳香シーケンス指定ユーザインターフェースは１組のユーザ選択可能な芳香アイコンの芳香パレットを含み、前記ユーザ選択可能な芳香アイコンはそれぞれ、各芳香に対応し、前記芳香シーケンス指定ユーザインターフェースは、前記芳香パレットからの前記ユーザ選択可能な芳香アイコンの選択を介して選択的に入力可能である芳香指定フィールドのアレイをさらに含む、前記芳香シーケンス指定ユーザインターフェースを提示することと、
前記芳香シーケンス指定ユーザインターフェースを介して入力を受信することと、
前記芳香シーケンス指定ユーザインターフェースを介して受信された前記入力に少なくとも部分的に基づいて芳香指定ファイルを生成することと、
を実行させる、装置。
【請求項７０】
前記芳香シーケンス指定ユーザインターフェースは、２つ以上の芳香カテゴリーを含む、請求項６９に記載の装置。
【請求項７１】
前記芳香シーケンス指定ユーザインターフェースは、前記芳香カテゴリーそれぞれにおける２つ以上の芳香についてのユーザ選択可能なアイコンを含む、請求項７０に記載の装置。
【請求項７２】
前記芳香シーケンス指定ユーザインターフェースは、各芳香カテゴリーに、各前記芳香カテゴリーで相互に空間的に順次的に配置された２つ以上の芳香についての２つの以上のユーザ選択可能なアイコンを含む、請求項７０に記載の装置。
【請求項７３】
前記芳香シーケンス指定ユーザインターフェースは、各芳香カテゴリーに、各前記芳香カテゴリーで相互に空間的に順次的に列状に配置された２つ以上の芳香について２つ以上のユーザ選択可能なアイコンを含む、請求項７０に記載の装置。
【請求項７４】
前記芳香シーケンス指定ユーザインターフェースは、芳香の第１のカテゴリーの各芳香をそれぞれ表すユーザ選択可能な芳香アイコンの第１のアレイと、芳香の第２のカテゴリーの各芳香をそれぞれ表すユーザ選択可能な芳香アイコンの少なくとも第２のアレイとを含み、芳香の前記第２のカテゴリーは、芳香の前記第１のカテゴリーと異なる、請求項６９に記載の装置。
【請求項７５】
前記芳香シーケンス指定ユーザインターフェースは、
芳香のコーヒーカテゴリーの各芳香をそれぞれ表すユーザ選択可能な芳香アイコンの第１のアレイと、
芳香のチョコレートカテゴリーの各芳香をそれぞれ表すユーザ選択可能な芳香アイコン第２のアレイと、
芳香のキャラメルカテゴリーの各芳香をそれぞれ表すユーザ選択可能な芳香アイコンの第３のアレイと、
芳香のナッツカテゴリーの各芳香をそれぞれ表すユーザ選択可能な芳香アイコンの第４のアレイ
のうち少なくとも２つを含む、請求項６９に記載の装置。
【請求項７６】
前記芳香シーケンス指定ユーザインターフェースは、芳香指定フィールドのアレイを含み、
前記芳香指定フィールドの前記アレイの第１の軸に沿った前記芳香指定フィールドの配分によって時間的シーケンスが表される、請求項６９に記載の装置。
【請求項７７】
前記芳香シーケンス指定ユーザインターフェースは、第１の軸および前記第１の軸に垂直な第２の軸を有する芳香指定フィールドの二次元アレイを含み、
前記アレイの前記第１の軸に沿った前記芳香指定フィールドの配分は、時間的シーケンスにおける位置を表し、前記アレイの前記第２の軸に沿った前記芳香指定フィールドの配分は、前記時間的シーケンスにおける各位置において吐出されるべき１つ以上の芳香を表す、請求項６９に記載の装置。
【請求項７８】
前記芳香シーケンス指定ユーザインターフェースは、名称フィールドを含み、前記少なくとも１つのプロセッサは、前記名称フィールド内に入力された名称を前記芳香指定ファイルと論理的に関連付ける、請求項６９に記載の装置。
【請求項７９】
前記芳香シーケンス指定ユーザインターフェースは、受信者アドレスフィールドと、送信用のユーザ選択可能なアイコンとを含み、前記送信用のユーザ選択可能なアイコンの選択に応答して、前記少なくとも１つのプロセッサは、前記受信者アドレスフィールドを介して指定されたアドレスへの前記芳香指定ファイルの送信を生じさせるさせる、請求項６９に記載の装置。
【請求項８０】
前記少なくとも１つのプロセッサは、１組のプロセッサが実行可能な命令をプロセッサベースの装置へ提供することにより、前記芳香シーケンス指定ユーザインターフェースを提供する、請求項６９に記載の装置。
【請求項８１】
前記少なくとも１つのプロセッサは、少なくとも１つのマークアップ言語ファイルをモバイル通信装置へ無線的に提供することにより、前記芳香シーケンス指定ユーザインターフェースを提供する、請求項６９に記載の装置。
【請求項８２】
前記少なくとも１つのプロセッサは、１組のウェブサービスを提供することにより、前記芳香シーケンス指定ユーザインターフェースを提供する、請求項６９に記載の装置。
【請求項８３】
ハウジングと、複数の使い捨ての芳香媒体を有する使い捨ての芳香カートリッジであって、
前記ハウジングは、周辺外周と、第１の端部と、前記ハウジングの長さにわたって前記第１の端部から対向する第２の端部と、前記ハウジング内でその回転軸の周囲に環状に配列された複数のチャンバを規定する少なくとも１つの壁を有し、前記チャンバのうち少なくとも２つは、前記第１の端部および前記第２の端部を通じて延び、前記チャンバはそれぞれ、相互に分離および区別され、
前記使い捨ての芳香媒体はそれぞれ、前記チャンバのうち少なくとも２つのそれぞれの対応するチャンバに受容される、使い捨ての芳香カートリッジ。
【請求項８４】
前記チャンバのうち少なくとも１つは空である、請求項８３に記載の使い捨ての芳香カートリッジ。
【請求項８５】
前記チャンバのうち少なくとも１つは、非芳香の媒体を含む、請求項８３に記載の使い捨ての芳香カートリッジ。
【請求項８６】
前記チャンバのうち少なくとも１つは、内部を通過する空気から芳香を除去する空気フィルタ媒体を含む、請求項８３に記載の使い捨ての芳香カートリッジ。
【請求項８７】
前記チャンバはそれぞれ、前記第１の端部の少なくとも近傍に穴部を有し、前記穴部はそれぞれ、各寸法領域を有し、前記第１の端部は、前記穴部のうち２つの間に間隔を空けて配置された少なくとも１つの部分を含み、前記少なくとも１つの部分は、前記穴部の各前記寸法領域に等しい寸法領域を有する、請求項８３に記載の使い捨ての芳香カートリッジ。
【請求項８８】
前記使い捨ての芳香媒体はそれぞれ、非液体形態である、請求項８３に記載の使い捨ての芳香カートリッジ。
【請求項８９】
各使い捨ての芳香媒体は、粉末形態である、請求項８３に記載の使い捨ての芳香カートリッジ。
【請求項９０】
各使い捨ての芳香媒体は、パックされた粉末形態である、請求項８３に記載の使い捨ての芳香カートリッジ。
【請求項９１】
各使い捨ての芳香媒体は、ワックス形態である、請求項８３に記載の使い捨ての芳香カートリッジ。
【請求項９２】
前記チャンバそれぞれについて、前記使い捨ての芳香媒体と、各前記チャンバの少なくとも１つの壁の内面との間に隙間があり、前記隙間は、前記ハウジングの長さに沿って延びる、請求項８３に記載の使い捨ての芳香カートリッジ。
【請求項９３】
前記チャンバそれぞれについて、前記使い捨ての芳香媒体と、前記ハウジングの周辺外周を規定する前記少なくとも１つの壁の内面との間に隙間がある、請求項８３に記載の使い捨ての芳香カートリッジ。
【請求項９４】
前記ハウジングは円形の周辺外周を有し、各チャンバは、前記円形の周辺外周の円形外形の楔形のセグメントである、請求項８３に記載の使い捨ての芳香カートリッジ。
【請求項９５】
前記チャンバそれぞれについて、前記使い捨ての芳香媒体と、前記ハウジングの周辺外周を規定する前記少なくとも１つの壁の内面との間に隙間があり、各使い捨ての芳香媒体は、各前記チャンバを形成する少なくとも１つの他の壁に隣接する、請求項９４に記載の使い捨ての芳香カートリッジ。
【請求項９６】
前記第１のおよび前記第２の端部それぞれにおける少なくとも１つの選択的膜であって、前記少なくとも１つの選択的膜は、使い捨ての芳香媒体を固体形態で保持し、空気および芳香空気を通過させ、前記チャンバそれぞれについて、前記使い捨ての芳香媒体と、各前記チャンバを形成する全ての壁との間に隙間があり、前記使い捨ての芳香媒体は各前記選択的膜と接触する、少なくとも１つの選択的膜、
をさらに含む、請求項９４に記載の使い捨ての芳香カートリッジ。
【請求項９７】
前記少なくとも１つの選択的膜は、固体形態の使い捨ての芳香媒体を保持するくらいに十分に小さくかつ空気および芳香空気の通過を可能にするくらいに十分に大きい公称の孔サイズを有する、請求項９６に記載の使い捨ての芳香カートリッジ。
【請求項９８】
前記使い捨ての芳香媒体はそれぞれ各芳香を有し、前記チャンバのうち前記少なくとも２つそれぞれに受容される各芳香媒体の芳香は相互に異なる、請求項８３に記載の使い捨ての芳香カートリッジ。
【請求項９９】
前記ハウジングは、前記ハウジングの前記第２の端部に環状座面を含み、前記環状座面は前記回転軸の周囲に配置される、請求項８３に記載の使い捨ての芳香カートリッジ。
【請求項１００】
前記ハウジングの前記第１の端部および前記第２の端部にわたってそれぞれ取り外し可能に配置される第１および第２の密封シール膜をさらに含む、請求項８３に記載の使い捨ての芳香カートリッジ。
【請求項１０１】
ハウジング及び複数の使い捨ての芳香媒体を有する使い捨ての芳香カートリッジであって、
前記ハウジングは、周辺外周と、第１の端部と、前記ハウジングの長さにわたって前記第１の端部から対向する第２の端部と、複数のチャンバとを規定し、前記チャンバのうち少なくとも２つは、前記第１の端部および前記第２の端部を通じて延び、前記チャンバはそれぞれ、相互に分離および区別され、
前記使い捨ての芳香媒体はそれぞれ、前記チャンバの少なくとも２つそれぞれの対応するチャンバに受容される、使い捨ての芳香カートリッジ。
【請求項１０２】
各使い捨ての芳香媒体は固形形態である、請求項１０１に記載の使い捨ての芳香カートリッジ。
【請求項１０３】
各使い捨ての芳香媒体は粉末形態である、請求項１０１に記載の使い捨ての芳香カートリッジ。
【請求項１０４】
各使い捨ての芳香媒体はパックされた粉末形態である、請求項１０１に記載の使い捨ての芳香カートリッジ。
【請求項１０５】
各使い捨ての芳香媒体はワックス形態である、請求項１０１に記載の使い捨ての芳香カートリッジ。
【請求項１０６】
前記第１の端部および前記第２の端部それぞれにおける少なくとも１つの選択的膜をさらに含み、前記選択的膜は、各前記チャンバ内へ空気を通過させ、各前記チャンバ外へ芳香空気を通過させつつ、前記使い捨ての芳香媒体を各前記チャンバ中に保持する、請求項１０１に記載の使い捨ての芳香カートリッジ。
【請求項１０７】
前記チャンバそれぞれについて、前記使い捨ての芳香媒体と、各前記チャンバを形成する全ての壁との間に隙間があり、前記使い捨ての芳香媒体は、各前記選択的膜と接触する、請求項１０６に記載の使い捨ての芳香カートリッジ。
【請求項１０８】
前記ハウジングは円形の周辺外周を有し、各チャンバは、前記円形の周辺外周の円形外形の楔形セグメントである、請求項１０１に記載の使い捨ての芳香カートリッジ。
【請求項１０９】
前記使い捨ての芳香媒体はそれぞれ各芳香を有し、前記チャンバの前記少なくとも２つのそれぞれに受容された各芳香媒体の芳香は相互に異なる、請求項１０１に記載の使い捨ての芳香カートリッジ。
【請求項１１０】
前記チャンバを少なくとも使用前に密封するように前記ハウジングの前記第１の端部および前記第２の端部にわたって取り外し可能にそれぞれ配置された第１および第２の密封シール膜をさらに含む、請求項１０１に記載の使い捨ての芳香カートリッジ。
【請求項１１１】
使い捨ての芳香カートリッジであって、
ハウジングであって、第１の端部と、前記ハウジングの長さにわたって前記第１の端部から対向する第２の端部と、前記ハウジング中の複数のチャンバとを有し、前記チャンバはそれぞれ、相互に分離および区別され、前記ハウジングの前記第１の端部の少なくとも近傍に穴部を有する、ハウジングと、
粒子形態の複数の使い捨ての芳香媒体であって、前記使い捨ての芳香媒体の各１つは、前記チャンバの少なくとも２つのそれぞれのうちの各１つに配置される、複数の使い捨ての芳香媒体と、
前記ハウジングの前記第１の端部に少なくとも近接しかつ前記使い捨ての芳香媒体が配置された前記チャンバの前記少なくとも２つの少なくとも前記穴部にわたって配置された少なくとも１つの第１の端部選択的膜であって、前記少なくとも１つの第１の端部選択的膜は、前記粒子形態の前記使い捨ての芳香媒体を通過させずかつ芳香空気を選択的に通過させる、少なくとも１つの第１の端部選択的膜と、
を含む、使い捨ての芳香カートリッジ。
【請求項１１２】
前記チャンバはそれぞれ、前記ハウジングの少なくとも前記第２の端部の近傍に穴部をさらに有し、
前記ハウジングの前記第２の端部の少なくとも近傍の少なくとも１つの第２の端部選択的膜であって、前記使い捨ての芳香媒体が配置された前記チャンバの前記少なくとも２つの少なくとも前記穴部に渡って配置され、前記粒子形態の前記使い捨ての芳香媒体を通過させずかつ芳香空気を選択的に通過させる、少なくとも１つの第２の端部選択的膜をさらに含む、請求項１１１に記載の使い捨ての芳香カートリッジ。
【請求項１１３】
前記チャンバはそれぞれ、前記ハウジングの前記第１の端部および前記第２の端部を通じて延びる流体流路を前記ハウジング内に形成する、請求項１１１に記載の使い捨ての芳香カートリッジ。
【請求項１１４】
各使い捨ての芳香媒体は粉末形態である、請求項１１１に記載の使い捨ての芳香カートリッジ。
【請求項１１５】
各使い捨ての芳香媒体はパックされた粉末形態である、請求項１１１に記載の使い捨ての芳香カートリッジ。
【請求項１１６】
各使い捨ての芳香媒体はワックス形態である、請求項１０１に記載の使い捨ての芳香カートリッジ。
【請求項１１７】
前記チャンバそれぞれについて、前記使い捨ての芳香媒体と、各前記チャンバを形成する全ての壁との間に隙間があり、前記使い捨ての芳香媒体は、各前記選択的膜のうち少なくとも１つと接触する、請求項１１１に記載の使い捨ての芳香カートリッジ。
【請求項１１８】
前記チャンバを少なくとも使用前に密封するように前記ハウジングの前記第１の端部および前記第２の端部にわたって取り外し可能にそれぞれ配置された第１および第２の密封シール膜をさらに含む、請求項１１１に記載の使い捨ての芳香カートリッジ。
【請求項１１９】
前記第１の密封シール膜および前記第２の密封シール膜は、少なくともその周辺部の周囲に感圧接着剤を有する箔膜である、請求項１１８に記載の使い捨ての芳香カートリッジ。
【請求項１２０】
使い捨ての芳香キットであって、
複数のチャンバを有する第１の使い捨ての芳香カートリッジであって、前記チャンバのうち２つ以上は、使い捨ての芳香媒体を収容する、第１の使い捨ての芳香カートリッジと、
複数のチャンバを有する少なくとも第２の使い捨ての芳香カートリッジであって、前記チャンバのうち２つ以上は、非液体形態の使い捨ての芳香媒体を収容し、前記第２の使い捨ての芳香カートリッジの前記使い捨ての芳香媒体の少なくともいくつかは、前記第１の使い捨ての芳香カートリッジの前記使い捨ての芳香媒体の少なくともいくつかのものと異なる芳香である芳香を有する、少なくとも第２の使い捨ての芳香カートリッジと、
を含む、使い捨ての芳香キット。
【請求項１２１】
前記チャンバのうち少なくとも１つは空である、請求項１２０に記載の使い捨ての芳香キット。
【請求項１２２】
前記チャンバのうち少なくとも１つは、非芳香の媒体を収容する、請求項１２０に記載の使い捨ての芳香キット。
【請求項１２３】
前記チャンバのうち少なくとも１つは、芳香中和媒体を収容する、請求項１２０に記載の使い捨ての芳香キット。
【請求項１２４】
前記チャンバのうち少なくとも１つは、内部を通過する空気から芳香を除去する空気フィルタ媒体を収容する、請求項１２０に記載の使い捨ての芳香キット。
【請求項１２５】
各使い捨ての芳香媒体は非液体形態である、請求項１２０に記載の使い捨ての芳香キット。
【請求項１２６】
各使い捨ての芳香媒体は固形である、請求項１２０に記載の使い捨ての芳香キット。
【請求項１２７】
各使い捨ての芳香媒体は、粒子のリザバーである、請求項１２０に記載の使い捨ての芳香キット。
【請求項１２８】
前記粒子のリザバーが粉末である、請求項１２７に記載の使い捨ての芳香キット。
【請求項１２９】
前記粒子のリザバーがパックされた粉末である、請求項１２７に記載の使い捨ての芳香キット。
【請求項１３０】
各使い捨ての芳香媒体はワックス形態である、請求項１０１に記載の使い捨ての芳香キット。
【請求項１３１】
前記チャンバを少なくとも使用前に密封するように、前記第１の使い捨ての芳香カートリッジの第１の端部および第２の端部にたってそれぞれ取り外し可能に配置された第１の対の密封シール膜と、
前記チャンバを少なくとも使用前に密封するように、前記第２の使い捨ての芳香カートリッジの第１の端部および第２の端部にわたってそれぞれ取り外し可能に配置された第２の対の密封シール膜と、
をさらに含む、請求項１２０に記載の使い捨ての芳香キット。
【請求項１３２】
前記密封シール膜は、各つまみと、少なくともその周辺部の周囲の感圧接着剤とをそれぞれ備えた箔膜であり、その感圧性により、前記チャンバを使用後に再密封することが可能である、請求項１３１に記載の使い捨ての芳香キット。
【請求項１３３】
使用前の少なくとも前記第１の使い捨ての芳香カートリッジを収容する第１の密封シールされたパウチをさらに含む、請求項１２０に記載の使い捨ての芳香キット。
【請求項１３４】
前記第１の密封シールされたパウチは、使用前の少なくとも前記第２の使い捨ての芳香カートリッジも収容する、請求項１３３に記載の使い捨ての芳香キット。
【請求項１３５】
使用前の少なくとも前記第２の使い捨ての芳香カートリッジを収容する第２の密封シールされたパウチをさらに含み、前記第１の密封シールされたパウチおよび前記第２の密封シールされたパウチは、使用前に一緒に包装される、請求項１３３に記載の使い捨ての芳香キット。
【請求項１３６】
支持基板および前記支持基板によって担持されるブリスター基板を含むブリスターパックであって、前記ブリスター基板は、使用前の前記第１および前記第２の第１の使い捨ての芳香カートリッジそれぞれを内部に受容する複数のブリスターを有する、ブリスターパックをさらに含む、請求項１２０に記載の使い捨ての芳香キット。
【請求項１３７】
使い捨ての芳香媒体を収容する前記第１の使い捨ての芳香カートリッジの前記チャンバそれぞれに収容される前記使い捨ての芳香媒体は、相互に異なる芳香を有する、請求項１２０に記載の使い捨ての芳香キット。
【請求項１３８】
使い捨ての芳香媒体を収容する前記第１の使い捨ての芳香カートリッジの前記チャンバそれぞれに収容される前記使い捨ての芳香媒体は、相互に同じ芳香を有する、請求項１２０に記載の使い捨ての芳香キット。
【請求項１３９】
使い捨ての芳香カートリッジであって、
ハウジングであって、第１の端部と、前記ハウジングの長さにわたって前記第１の端部から対向する第２の端部と、前記ハウジング中の複数のチャンバとを有し、前記チャンバはそれぞれ、相互に分離および区別され、前記ハウジングの前記第１の端部の少なくとも近傍に穴部を有する、ハウジングと、
複数の使い捨ての芳香媒体であって、前記使い捨ての芳香媒体それぞれ１つが前記チャンバのうち少なくとも２つのそれぞれ１つ内に配置され、前記使い捨ての芳香媒体の総表面積のうち少なくとも５０パーセントが前記チャンバを通過する気流へ晒される、複数の使い捨ての芳香媒体と、
を含む、使い捨ての芳香カートリッジ。
【請求項１４０】
各使い捨ての芳香媒体は、少なくとも使用時に芳香を放出し、非液体形態である、請求項１３９に記載の使い捨ての芳香キット。
【請求項１４１】
各使い捨ての芳香媒体は粉末形態である、請求項１４０に記載の使い捨ての芳香キット。
【請求項１４２】
各使い捨ての芳香媒体はパックされた粉末形態である、請求項１４０に記載の使い捨ての芳香キット。
【請求項１４３】
前記チャンバそれぞれについて、前記使い捨ての芳香媒体と、各前記チャンバの少なくとも１つの壁の内面との間に隙間があり、前記隙間は、前記ハウジングの長さに沿って伸びる、請求項１３９に記載の使い捨ての芳香キット。
【請求項１４４】
前記チャンバそれぞれについて、前記使い捨ての芳香媒体と、前記ハウジングの周辺外周を規定する少なくとも１つの壁の内面との間に隙間がある、請求項１３９に記載の使い捨ての芳香キット。
【請求項１４５】
前記ハウジングは、円形の周辺外周を有し、各チャンバは、前記円形の周辺外周の円形外形の楔形セグメントである、請求項１３９に記載の使い捨ての芳香キット。
【請求項１４６】
前記チャンバそれぞれについて、各使い捨ての芳香媒体と、前記ハウジングの周辺外周を規定する少なくとも１つの壁の内面との間に隙間があり、各使い捨ての芳香媒体は、各前記チャンバを形成する少なくとも１つの他の壁に隣接する、請求項１４５に記載の使い捨ての芳香キット。
【請求項１４７】
前記第１の端部および前記第２の端部のそれぞれに少なくとも１つの選択的膜をさらに有し、
前記チャンバそれぞれについて、前記使い捨ての芳香媒体と、各前記チャンバを形成する全ての壁との間に隙間があり、前記使い捨ての芳香媒体は、各前記選択的膜と接触する、請求項１４５に記載の使い捨ての芳香キット。
【請求項１４８】
前記第１の端部および前記第２の端部のそれぞれの前記少なくとも１つの選択的膜は、少なくとも１つの第１の端部選択的膜を含み、前記少なくとも１つの第１の端部選択的膜は、少なくとも前記ハウジングの前記第１の端部に近接し、少なくとも前記使い捨ての芳香媒体が配置された前記チャンバのうち前記少なくとも２つの少なくとも前記穴部にわたって配置され、前記少なくとも１つの第１の端部選択的膜は、粒子形態の前記使い捨ての芳香媒体の通過を防止しつつ、空気または芳香空気を選択的に通過させる、請求項１３９に記載の使い捨ての芳香キット。
【請求項１４９】
前記ハウジングの前記第１の端部および前記第２の端部にわたってそれぞれ取り外し可能に配置された第１および第２の密封シール膜をさらに含む、請求項１４８に記載の使い捨ての芳香キット。
【請求項１５０】
前記カートリッジをドライブシャフトの非対称部へ取り外し可能に連結させる非対称連結器をさらに含む、請求項１４８に記載の使い捨ての芳香キット。
【請求項１５１】
取り外し可能な芳香カートリッジから芳香を吐出する芳香吐出装置であって、前記取り外し可能な芳香カートリッジは、対応する出口をそれぞれ有する複数のチャンバを有する本体を含み、前記取り外し可能な芳香カートリッジの前記本体は、鍵路を有する外面を含み、前記芳香吐出装置は、
空気を移動させる空気移動器と、
出力シャフトを有する第１のモータと、
前記第１のモータの前記出力シャフトへ連結されかつ前記出力シャフトによって回転可能な連結スリーブであって、前記連結スリーブは、前記取り外し可能な芳香カートリッジの前記本体の前記外面の少なくとも一部を受容するような形状およびサイズにされた容積を規定し、前記連結スリーブは突出鍵部を含み、前記突出鍵部は、前記連結スリーブを前記取り外し可能な芳香カートリッジへ取り外し可能に相互接続させるように、前記取り外し可能な芳香カートリッジの前記鍵路とスライド可能に係合し、これにより、前記第１のモータの前記出力シャフトが回転運動を前記連結スリーブへ伝達し、その結果、回転運動が前記取り外し可能な芳香カートリッジへ伝達され、前記第１のモータは、前記空気移動器の動作の開始後に、前記取り外し可能な芳香カートリッジの前記複数のチャンバのうち第１のチャンバの対応する出口が前記芳香吐出装置の第１のポートへ流体連絡的に接続される第１の方位に前記取り外し可能な芳香カートリッジを向ける、連結スリーブと、
前記第１の方位から、前記取り外し可能な芳香カートリッジを、前記複数のチャンバのうち第２のチャンバの対応する出口が前記芳香吐出装置の前記第１のポートへ流体連絡的に接続される第２の方位に向けるための移動方向の決定及び前記決定された移動方向における移動量の決定を行い、前記第１のモータに、前記複数のチャンバのうち前記第２のチャンバの前記対応する出口を前記芳香吐出装置の前記第１のポートへ流体連絡的に接続させる前記第２の方位に前記取り外し可能な芳香カートリッジを向けさせる、コントローラと、
を含む、芳香吐出装置。
【請求項１５２】
前記連結スリーブは、ベース部と、前記ベース部から上方に延びる円筒形壁とを含み、前記突出鍵部は、前記円筒形壁の内面上に配置される、請求項１５１に記載の装置。
【請求項１５３】
前記連結スリーブの前記ベース部は、前記取り外し可能な芳香カートリッジの前記複数のチャンバの各出口とそれぞれ整列された複数の穴部を含む、請求項１５２に記載の装置。
【請求項１５４】
前記連結スリーブは、前記第１のモータの前記出力シャフトのうち少なくとも一部を受容するような形状およびサイズにされた穴部を有するモータシャフト連結部を有する、請求項１５１に記載の装置。
【請求項１５５】
前記コントローラへ動作可能に接続された光源をさらに含み、前記コントローラは、１つ以上の条件の発生時に前記光源に発光させる、請求項１５１に記載の装置。
【請求項１５６】
前記１つ以上の条件は、前記芳香吐出装置が少なくとも１つの芳香を指定する芳香指定を受信すること含む、請求項１５１に記載の装置。
【請求項１５７】
前記コントローラは、第１の回転方向および第２の回転方向のうちどちらが、前記取り外し可能な芳香カートリッジを前記第１の方位から前記第２の方位へ移動させるための最小の移動量を提供するかを決定し、前記第２の回転方向は前記第１の回転方向と反対である、請求項１５１に記載の装置。
【請求項１５８】
前記コントローラは、前記取り外し可能な芳香カートリッジを前記第１の回転方向で前記第１の方位から前記第２の方位に向ける、ステッパーモータによるステップ数を決定する、請求項１５７に記載の装置。
【請求項１５９】
前記コントローラは、前記取り外し可能な芳香カートリッジを前記第１の回転方向で前記第１の方位から前記第２の方位に向ける、ステッパーモータによるステップ数を決定する、請求項１５１に記載の装置。
【請求項１６０】
前記コントローラは、前記第１のモータに、前記取り外し可能な芳香カートリッジを、前記第１の方位から前記決定された移動方向で前記決定された移動量だけ移動させる、請求項１５１に記載の装置。
【請求項１６１】
前記第１の方向は第１の回転方向であり、前記第１のモータはステッパーモータであり、前記コントローラは、前記第１のモータに、前記取り外し可能な芳香カートリッジを前記第１の回転方向で決定された第１のステップ数だけ移動させる、請求項１５１に記載の装置。
【請求項１６２】
前記コントローラは、第１の指示に応答して、前記第１のモータに、前記取り外し可能な芳香カートリッジをデフォルト方位に向けさせる、請求項１５１に記載の装置。
【請求項１６３】
前記コントローラは、芳香媒体を含む前記複数のチャンバのいずれもが前記芳香吐出装置の前記第１のポートへ流体連絡的に接続されないように、前記第１のモータに、前記取り外し可能な芳香カートリッジを前記デフォルト方位に向けさせる、請求項１６２に記載の装置。
【請求項１６４】
前記コントローラは、前記複数のチャンバのうち空の第３のチャンバが前記芳香吐出装置の前記第１のポートへ流体連絡的に接続されるように、前記第１のモータに、前記取り外し可能な芳香カートリッジを前記デフォルト方位に向けさせる、請求項１６２に記載の装置。
【請求項１６５】
前記コントローラは、前記複数のチャンバのうち空気フィルタが配置された第３のチャンバが前記芳香吐出装置の前記第１のポートへ流体連絡的に接続されるように、前記第１のモータに、前記取り外し可能な芳香カートリッジを前記デフォルト方位に向けさせる、請求項１６２に記載の装置。
【請求項１６６】
前記コントローラは、電源の利用可能な電力の低下を検出し、前記利用可能な電力の低下の検出に応答して前記第１の指示を提供する、請求項１６２に記載の装置。
【請求項１６７】
前記コントローラは、電源断の入力を検出し、前記電源断の入力の検出に応答して前記第１の指示を提供する、請求項１６２に記載の装置。
【請求項１６８】
前記コントローラは、前記第１の指示に応答して、前記取り外し可能な芳香カートリッジを前記デフォルト方位に向けた後、前記空気移動器の動作を停止させる、請求項１６２に記載の装置。
【請求項１６９】
前記コントローラは、前記空気移動器の動作の開始と、前記第１の指示に応答した前記空気移動器の動作の停止の間、空気を移動させるように前記空気移動器を連続的に動作させる、請求項１６８に記載の装置。
【請求項１７０】
前記コントローラは、
前記コントローラを介して、前記第２の方位から、前記取り外し可能な芳香カートリッジの前記複数のチャンバのうち第３のチャンバを、前記芳香吐出装置の前記第１のポートと共に向けるための移動方向の決定及び前記決定された移動方向での移動量の決定を行い、
前記第１のモータに、前記取り外し可能な芳香カートリッジを、前記複数のチャンバのうち前記第２のチャンバの対応する出口が前記芳香吐出装置の前記第１のポートへ流体連絡的に接続される第３の方位に向けさせ、
前記第１の指示に応答して、前記空気移動器の動作の開始と、前記空気移動器の動作の停止の間で、空気を移動させるように前記空気移動器を連続的に動作させる、
請求項１６８に記載の装置。
【請求項１７１】
前記コントローラは、前記第１のモータに、前記取り外し可能な芳香カートリッジを前記第２の方位に向けることと、前記取り外し可能な芳香カートリッジを第３の方位に向けることとの間で、前記取り外し可能な芳香カートリッジを前記デフォルト方位に向けさせる、請求項１６８に記載の装置。
【請求項１７２】
前記コントローラは、芳香指定に少なくとも部分的に基づいて、前記取り外し可能な芳香カートリッジの方位のシーケンスを決定し、前記方位のシーケンスは、少なくとも前記第１の方位および前記第２の方位を含む、請求項１６２に記載の装置。
【請求項１７３】
前記コントローラは、
前記デフォルト方位から、前記取り外し可能な芳香カートリッジを、前記第１の方位に向けるための移動方向の決定と前記決定された移動方向での移動量の決定を行い、
前記取り外し可能な芳香カートリッジを前記第２の方位に向ける前に、前記第１のモータに、前記取り外し可能な芳香カートリッジを、前記複数のチャンバの前記第１のチャンバの前記対応する出口が前記芳香吐出装置の前記第１のポートへ流体連絡的に接続される前記第１の方位に向けさせる、
請求項１７２に記載の装置。
【請求項１７４】
前記芳香指定を無線を介して無線的に受信する通信モジュールを更に有し、
前記通信モジュールは、前記コントローラが前記取り外し可能な芳香カートリッジの前記方位のシーケンスを決定する前に、前記芳香指定を受信する、請求項１７２に記載の装置。
【請求項１７５】
前記コントローラへ動作可能に接続された光源をさらに有し、前記通信モジュールが前記芳香指定を受信したときに、前記コントローラは前記光源を発光させる、請求項１７４に記載の装置。
【請求項１７６】
芳香吐出装置であって、
上面を有する本体と、
前記本体へ接続された、複数の離間した芳香吐出サブユニットを有し、
前記複数の芳香吐出サブユニットはそれぞれ、
空気を移動させる空気移動器と、
前記空気移動器の動作の開始後、芳香カートリッジを、前記芳香カートリッジの複数のチャンバのうち第１のチャンバの対応する出口が前記芳香吐出サブユニットのポートへ流体連絡的に接続される第１の方位に芳香カートリッジを向けるモータと、
前記芳香吐出サブユニットの前記ポートへ流体連絡的に接続された長細型の芳香チャンネルであって、前記本体の前記上面へ取り付けられかつ前記本体の前記上面から上方に延び、垂直軸の周りで選択的に回転可能である、長細型の芳香チャンネルと、
前記第１の方位から、前記芳香カートリッジを、前記複数のチャンバのうち第２のチャンバの対応する出口が前記芳香吐出サブユニットの前記ポートへ流体連絡的に接続される第２の方位に向けるための移動方向の決定及び前記決定された移動方向での移動量の決定を行うコントローラを有する、
芳香吐出装置。
【請求項１７７】
前記芳香吐出装置の前記本体は下側本体部を含み、前記上面は、前記下側本体部へ回転可能に接続される、請求項１７６に記載の芳香吐出装置。
【請求項１７８】
前記複数の離間した芳香吐出ユニットは、２つの離間した芳香吐出ユニットを含み、各前記芳香吐出ユニットの前記長細型の芳香チャンネルはそれぞれ、少なくとも９０度の範囲にわたって回転可能である、請求項１７６に記載の芳香吐出装置。
【請求項１７９】
取り外し可能な芳香カートリッジから芳香を吐出する芳香吐出装置であって、前記取り外し可能な芳香カートリッジは、対応する出口をそれぞれ有する複数のチャンバを有する本体を含み、前記取り外し可能な芳香カートリッジの前記本体は、鍵路を有する外面を含み、前記芳香吐出装置は、
空気を移動させる空気移動器を含む芳香チャンネルであって、第１のポートをさらに有する、芳香チャンネルと、
出力シャフトを含む第１のモータと、
前記第１のモータの前記出力シャフトへ連結されかつ前記出力シャフトによって回転可能な連結スリーブであって、前記連結スリーブは、前記取り外し可能な芳香カートリッジの前記本体の前記外面の少なくとも一部を受容するような形状およびサイズにされた容積を規定し、前記連結スリーブは突出鍵部を含み、前記突出鍵部は、前記連結スリーブを前記取り外し可能な芳香カートリッジへ取り外し可能に相互接続させるように、前記取り外し可能な芳香カートリッジの前記鍵路とスライド可能に係合し、これにより、前記第１のモータの前記出力シャフトが回転運動を前記連結スリーブへ伝達し、その結果、回転運動が前記取り外し可能な芳香カートリッジへ伝達され、前記第１のモータは、前記空気移動器の動作の開始後に、前記取り外し可能な芳香カートリッジを、前記取り外し可能な芳香カートリッジの前記複数のチャンバのうち第１のチャンバの対応する出口が前記芳香チャネルの前記第１のポートへ流体連絡的に接続される第１の方位に向ける、連結スリーブと、
前記取り外し可能な芳香カートリッジを、前記第１の方位から、前記複数のチャンバのうち第２のチャンバの対応する出口が前記芳香チャネルの前記第１のポートへ流体連絡的に接続される第２の方位に向けるための移動方向の決定及び前記決定された移動方向における移動量の決定を行い、前記第１のモータに、前記取り外し可能な芳香カートリッジを、前記複数のチャンバのうち前記第２のチャンバの前記対応する出口が前記芳香チャネルの前記第１のポートへ流体連絡的に接続される前記第２の方位に向けさせるコントローラと、
を有する、芳香吐出装置。
【請求項１８０】
前記第１のモータ、前記連結スリーブおよび前記コントローラを収容するベース部と、
蓋部とをさらに有し、
前記芳香チャンネルは、前記蓋部へ接続され、前記蓋部は、前記ベース部へ回転可能に接続される、請求項１７９に記載の装置。
【請求項１８１】
前記芳香チャンネルは、前記コントローラへ動作可能に接続された光源を含み、前記コントローラは、１つ以上の条件の発生時に前記光源を発光させる、請求項１７９に記載の装置。
【請求項１８２】
取り外し可能な芳香カートリッジから前記光源を吐出する芳香吐出装置であって、前記取り外し可能な芳香カートリッジは、対応する出口をそれぞれ有する複数のチャンバを有する本体を含み、前記取り外し可能な芳香カートリッジの前記本体は、第１の連結部を有する外面を含み、前記芳香吐出装置は、
空気を移動させる空気移動器と、
出力シャフトを含む第１のモータと、
前記第１のモータの前記出力シャフトへ連結されかつ前記出力シャフトによって回転可能な連結スリーブであって、前記連結スリーブは、前記取り外し可能な芳香カートリッジの前記本体の前記外面の少なくとも一部を受容するような形状およびサイズにされた容積を規定し、前記連結スリーブは、前記連結スリーブを前記取り外し可能な芳香カートリッジへ取り外し可能に相互接続させるように前記取り外し可能な芳香カートリッジの前記第１の連結部と係合する第２の連結部を含み、これにより、前記第１のモータの前記出力シャフトが回転運動を前記連結スリーブへ伝達し、その結果、回転運動が前記取り外し可能な芳香カートリッジへ伝達され、前記第１のモータは、前記取り外し可能な芳香カートリッジを、前記空気移動器の動作の開始後に、前記取り外し可能な芳香カートリッジの前記複数のチャンバのうち第１のチャンバの対応する出口が前記芳香吐出装置の第１のポートへ流体連絡的に接続される第１の方位に向ける、連結スリーブと、
前記取り外し可能な芳香カートリッジを、前記第１の方位から、前記複数のチャンバのうち第２のチャンバの対応する出口が前記芳香吐出装置の前記第１のポートへ流体連絡的に接続される第２の方位に向けるための移動方向の決定及び前記決定された移動方向における移動量の決定を行い、前記第１のモータに、前記取り外し可能な芳香カートリッジを、前記複数のチャンバのうち前記第２のチャンバの前記対応する出口が前記芳香吐出装置の前記第１のポートへ流体連絡的に接続される前記第２の方位に向けさせるコントローラと、
を有する、芳香吐出装置。
【請求項１８３】
ハウジング及び複数の使い捨ての芳香媒体を有する使い捨ての芳香カートリッジであって、
前記ハウジングは、周辺外周と、第１の端部と、前記ハウジングの長さにわたって前記第１の端部から対向する第２の端部と、前記ハウジング内でその回転軸の周囲に配列された複数のチャンバとを規定する少なくとも１つの壁を有し、前記チャンバのうち少なくとも２つは、前記第１の端部および前記第２の端部を通じて延び、前記チャンバはそれぞれ、相互に分離および区別され、前記壁は、鍵接合部を規定する芳香吐出装置の連結部分における、鍵部及び鍵路の他方と噛み合う鍵部及び鍵路の一方を有し、前記鍵接合部は、前記使い捨ての芳香カートリッジの前記ハウジングと前記芳香吐出装置の前記連結部分との間の軸方向移動を許容し、前記ハウジングの回転軸の周りでの両者間の回転移動を制限し、
前記使い捨ての芳香媒体の各１つは、前記チャンバのうち少なくとも２つのそれぞれの各１つに受容される、使い捨ての芳香カートリッジ。
【請求項１８４】
前記壁は、前記第２の端部から前記壁に沿って上方に延びる鍵路を含む、請求項１８３に記載の使い捨ての芳香カートリッジ。
【請求項１８５】
ハウジング及び複数の使い捨ての芳香媒体を有する使い捨ての芳香カートリッジであって、
前記ハウジングは、周辺外周と、第１の端部と、前記ハウジングの長さにわたって前記第１の端部から対向する第２の端部と、前記ハウジング内でその回転軸の周囲に配列される複数のチャンバとを規定する少なくとも１つの壁を有し、前記チャンバのうち少なくとも２つは、前記第１の端部および前記第２の端部を通じて延び、前記チャンバはそれぞれ、相互に分離および区別され、前記壁は、芳香吐出装置の連結部分の突起部と噛み合って鍵接合部を規定する凹部を含み、前記鍵接合部は、前記使い捨ての芳香カートリッジの前記ハウジングと前記芳香吐出装置の前記連結部分との間の軸方向移動を許容し、前記ハウジングの回転軸の周りでの回転移動を制限し、
前記使い捨ての芳香媒体のうち各１つは、前記チャンバのうち少なくとも２つのそれぞれの各１つに受容される、使い捨ての芳香カートリッジ。
【請求項１８６】
ハウジング及び複数の使い捨ての芳香媒体を有する使い捨ての芳香カートリッジであって、
前記ハウジングは、周辺外周と、第１の端部と、前記ハウジングの長さにわたって前記第１の端部から対向する第２の端部と、前記ハウジング内でその回転軸の周囲に配列された複数のチャンバとを規定する少なくとも１つの壁を有し、前記チャンバのうち少なくとも２つは、前記第１の端部および前記第２の端部を通じて延び、前記チャンバはそれぞれ、相互に分離および区別され、前記壁は、芳香吐出装置の連結スリーブの内部連結部と噛み合って鍵接合部を規定する外部連結部を含み、前記鍵接合部は、前記使い捨ての芳香カートリッジの前記ハウジングと前記芳香吐出装置の前記連結部との間の軸方向移動を許容し、両者間の前記ハウジングの回転軸の周りでの回転移動を制限し、
前記使い捨ての芳香媒体のうちそれぞれ１つは、前記チャンバのうち少なくとも２つのそれぞれの各１つに受容される、使い捨ての芳香カートリッジ
【発明の詳細な説明】
【技術分野】
【０００１】
本開示は、芳香指定で指定された芳香の組み合わせおよびシーケンス（順序）の選択的な吐出（分配／dispencing）に主に関する。
【関連分野の説明】
【０００２】
匂いの感覚（すなわち、嗅覚）は、人間にとって極めて重要である。例えば、煙の匂いにより、近隣に火災の危険性があることを人に注意喚起することができる。さらに、匂いにより、記憶を呼び起こし、感情を揺さぶることもできる。人の心、ムード、認知機能、および／または健康を変化させるために、多様な形態のアロマセラピーが調査されている。
【０００３】
嗅覚感覚を選択的に提供するために、複数のシステムおよび装置が開発されている。多様な理由のため、このようなシステムおよび装置は不適切であることが判明しており、商業的にも受け入れられていない。例えば、映画のサウンドトラックによってトリガされると、映画館内の座席から複数の異なる香りを発生させるSmell-O-Visionシステムが５０年以上前に開発された。このシステムは高価であり、技術的問題もあった。そのため、Smell-O-Visionシステムは、１つの映画との関連で用いられただけである。
【０００４】
ユーザが芳香の順序および組み合わせを用いて特定のテーマ、アイディア、および／または感情を伝えるためにカスタマイズされた芳香指定を迅速かつ容易に生成することを可能にするための新規のアプローチが所望されている。さらに、このような芳香指定に基づいて芳香を吐出する新規のシステムおよび装置が所望されている。
【発明の概要】
【０００５】
芳香吐出装置を動作させる方法は、空気を移動させるように空気移動器の動作を開始させることと、前記空気移動器の動作を開始させることの後、第１の芳香カートリッジを、第１のモータを介して、前記第１の芳香カートリッジの複数のチャンバのうち第１のチャンバの対応する出口が前記芳香吐出装置の第１のポートと流体連絡的に接続する第１の方位に向けることと、少なくとも１のコントローラを介して、前記第１の芳香カートリッジを、前記第１の方位から、前記複数のチャンバのうち第２のチャンバの対応する出口が前記芳香吐出装置の前記第１のポートへ流体連絡的に接続される第２の方位に向けるための移動方向の決定及び前記決定された移動方向における移動量の決定を行うことと、前記第１のモータを介して、前記第１の芳香カートリッジを、前記複数のチャンバのうち第２のチャンバの対応する出口が前記芳香吐出装置の前記第１のポートへ流体連絡的に接続される前記第２の方位に向けることを含む、方法と要約し得る。
【０００６】
前記移動方向の決定を行うことは、第１の回転方向および第２の回転方向のどちらが、前記第１の芳香カートリッジを前記第１の方位から前記第２の方位へ移動させるための最小移動量を提供するかを決定することを含み、前記第２の回転方向は前記第１の回転方向と反対であり得る。前記決定された移動方向における前記移動量の決定を行うことは、前記第１の芳香カートリッジを前記第１の方位から前記第２の方位に向ける、前記第１の回転方向におけるステッパーモータによるステップ数を決定することを含み得る。前記決定された移動方向における移動量の決定を行うことは、前記第１の芳香カートリッジを前記第１の方位から前記第２の方位に向ける、前記第１の回転方向におけるステッパーモータによるステップ数を決定することを含み得る。前記第１の芳香カートリッジを前記第２の方位に向けることは、前記決定された移動方向において前記第１の芳香カートリッジを前記第１の方位から前記決定された移動量だけ移動させることを含み得る。前記第１の方向は第１の回転方向であり得、前記第１の芳香カートリッジを前記第２の方位に向けることは、前記第１の回転方向において前記第１の芳香カートリッジを前記ステッパーモータの決定された第１のステップ数だけ動かすようにステッパーモータを駆動することを含み得る。この方法は、第１の指示に応答して、前記第１のモータを介して前記第１の芳香カートリッジをデフォルト方位に向けることをさらに含み得る。前記第１の芳香カートリッジを前記デフォルト方位に向けることは、芳香媒体を含む前記複数のチャンバのいずれもが前記芳香吐出装置の前記第１のポートと流体連絡的に接続しないように前記第１の芳香カートリッジを向けることを含み得る。前記第１の芳香カートリッジを前記デフォルト方位に向けることは、前記複数のチャンバのうち空である第３のチャンバが前記芳香吐出装置の前記第１のポートへ流体連絡的に接続されるように前記第１の芳香カートリッジを向けることを含み得る。前記第１の芳香カートリッジを前記デフォルト方位に向けることは、前記複数のチャンバのうち空気フィルタが配置された第３のチャンバが前記芳香吐出装置の前記第１のポートへ流体連絡的に接続されるように前記第１の芳香カートリッジを向けることを含み得る。この方法は、前記少なくとも１つのコントローラを介して電源の利用可能な電力の低下を検出することと、前記利用可能な電力の低下の検出に応答して前記第１の指示を提供することと、をさらに含み得る。この方法は、前記少なくとも１つのコントローラを介して電源断の入力を検出することと、前記電源断の入力の前記検出に応答して前記第１の指示を提供することとをさらに含み得る。この方法は、前記第１の指示に応答して、前記第１の芳香カートリッジを前記デフォルト方位に向けることの後、前記空気移動器の動作を停止させることをさらに含み得る。この方法は、前記空気移動器の動作を開始させることと、前記第１の指示に応答して前記空気移動器の動作を停止させることとの間で、空気を移動させるように前記空気移動器を連続的に動作させることをさらに含み得る。この方法は、前記少なくとも１つのコントローラを介して、前記第１の芳香カートリッジの前記複数のチャンバのうち第３のチャンバを、前記第２の方位から、前記芳香吐出装置の前記第１のポートと共に向けるための移動方向の決定及び前記前記決定された移動方向での移動量の決定を行うことと、前記第１のモータを介して、前記第１の芳香カートリッジを、前記複数のチャンバのうち前記第２のチャンバの対応する出口が前記芳香吐出装置の前記第１のポートに流体連絡的に接続される第３の方位に向けることと、前記空気移動器の動作を開始させることと、前記第１の指示に応答して前記空気移動器の動作を停止させることとの間で、空気を移動させるように前記空気移動器を連続的に動作させることとをさらに含み得る。この方法は、前記第１の芳香カートリッジを前記第２の方位に向けることと、前記第１の芳香カートリッジを第３の方位に向けることとの間で、前記第１の芳香カートリッジを前記第１のモータを介して前記デフォルト方位に向けることをさらに含み得る。この方法は、前記少なくとも１つのコントローラを介して、芳香指定に少なくとも部分的に基づいて、前記第１の芳香カートリッジの方位のシーケンスを決定することをさらに含み、前記方位のシーケンスは、少なくとも前記第１の方位および前記第２の方位を含み得る。この方法は、前記少なくとも１つのコントローラを介して、前記デフォルト方位から前記第１の芳香カートリッジを前記第１の方位へ向けるための移動方向及び前記決定された移動方向での移動量を決定することと、前記第１の芳香カートリッジを前記第２の方位に向ける前に、前記第１のモータを介して、前記第１の芳香カートリッジを、前記複数のチャンバのうち前記第１のチャンバの対応する出口が前記芳香吐出装置の前記第１のポートへ流体連絡的に接続される前記第１の方位に向けることをさらに含み得る。この方法は、前記第１の芳香カートリッジの前記方位のシーケンスを決定する前に前記芳香指定を無線を介して無線受信することをさらに含み得る。
【０００７】
芳香吐出装置は、空気を移動させる空気移動器と、前記空気移動器の動作の開始後に、第１の芳香カートリッジを、前記第１の芳香カートリッジの複数のチャンバのうち第１のチャンバの対応する出口が前記芳香吐出装置の第１のポートと流体連絡的に接続される第１の方位に向ける第１のモータと、前記第１の方位から、前記第１の芳香カートリッジを、前記複数のチャンバのうち第２のチャンバの対応する出口が前記芳香吐出装置の前記第１のポートへ流体連絡的に接続される第２の方位に向けるための移動量の決定及び前記決定された移動方向における移動量の決定を行い、前記第１のモータに、前記第１の芳香カートリッジを、前記複数のチャンバのうち前記第２のチャンバの対応する出口が前記芳香吐出装置の前記第１のポートへ流体連絡的に接続される前記第２の方位に向けさせる少なくとも１つのコントローラと、を含む、装置と要約し得る。
【０００８】
前記少なくとも１つのコントローラは、第１の回転方向および第２の回転方向のどちらが、前記第１の芳香カートリッジを前記第１の方位から前記第２の方位へ移動させるための最小移動量を提供するかを決定し、前記第２の回転方向は前記第１の回転方向と反対であり得る。前記少なくとも１つのコントローラは、前記第１の芳香カートリッジを前記第１の方位から前記第２の方位に向ける、前記第１の回転方向におけるステッパーモータによるステップ数を決定し得る。前記少なくとも１つのコントローラは、前記第１の芳香カートリッジを前記第１の方位から前記第２の方位に向ける、前記第１の回転方向におけるステッパーモータによるステップ数を決定し得る。前記少なくとも１つのコントローラは、前記第１のモータに、前記第１の芳香カートリッジを前記第１の方位から前記決定された移動方向に前記決定された移動量だけ移動させ得る。前記第１の方向は第１の回転方向であり得、前記第１のモータはステッパーモータであり得、前記少なくとも１つのコントローラは、前記第１のモータに、前記第１の芳香カートリッジを前記決定された移動方向に決定された第１のステップ数だけ移動させ得る。前記少なくとも１つのコントローラは、第１の指示に応答して、前記第１のモータに前記第１の芳香カートリッジをデフォルト方位に向けさせ得る。前記少なくとも１つのコントローラは、芳香媒体を含む前記複数のチャンバのいずれもが前記芳香吐出装置の前記第１のポートへ流体連絡的に接続されないように、前記第１のモータに、前記第１の芳香カートリッジを前記デフォルト方位に向けさせ得る。前記少なくとも１つのコントローラは、前記複数のチャンバのうち空である第３のチャンバが前記芳香吐出装置の前記第１のポートへ流体連絡的に接続されるように、前記第１のモータに、前記第１の芳香カートリッジを前記デフォルト方位に向けさせ得る。前記少なくとも１つのコントローラは、前記複数のチャンバのうち空気フィルタが配置された第３のチャンバが前記芳香吐出装置の前記第１のポートへ流体連絡的に接続されるように、前記第１のモータに、前記第１の芳香カートリッジを前記デフォルト方位に向けさせ得る。前記少なくとも１つのコントローラは、電源の利用可能な電力の低下を検出し得、前記利用可能な電力の低下に応答して前記第１の指示を提供し得る。前記少なくとも１つのコントローラは、電源断の入力を検出し得、前記電源断の入力の検出に応答して前記第１の指示を提供し得る。前記第１の指示に応答して、前記少なくとも１つのコントローラは、前記第１の芳香カートリッジを前記デフォルト方位に向けた後、前記空気移動器の動作を停止させ得る。前記少なくとも１つのコントローラは、前記空気移動器の動作の開始と前記第１の指示に応答した前記空気移動器の動作を停止の間で、空気を移動させるように前記空気移動器を連続的に動作させ得る。前記少なくとも１つのコントローラは、前記少なくとも１つのコントローラを介して、前記第２の方位から、前記第１の芳香カートリッジの前記複数のチャンバのうち第３のチャンバを前記芳香吐出装置の前記第１のポートと共に向けるための移動方向の決定及び前記決定された移動方向での移動量の決定を行うことができ、前記第１のモータに、前記第１の芳香カートリッジを、前記複数のチャンバのうち前記第２のチャンバの対応する出口が前記芳香吐出装置の前記第１のポートに流体連絡的に接続される第３の方位に向けさせることができ、前記空気移動器に、前記空気移動器の動作の開始と前記第１の指示に応答した前記空気移動器の動作の停止の間で、空気を移動させるように前記空気移動器を連続的に動作させ得る。前記少なくとも１つのコントローラは、前記第１の芳香カートリッジを前記第２の方位に向けることと前記第１の芳香カートリッジを第３の方位に向けることとの間で、前記第１のモータに、前記第１の芳香カートリッジを前記デフォルト方位に向けさせ得る。前記少なくとも１つのコントローラは、芳香指定に少なくとも部分的に基づいて前記第１の芳香カートリッジの方位のシーケンスを決定することができ、前記方位のシーケンスは、少なくとも前記第１の方位および前記第２の方位を含む。前記少なくとも１つのコントローラは、前記デフォルト方位から、前記第１の芳香カートリッジを前記第１の方位へ向けるための移動方向の決定及び前記決定された移動方向における移動量の決定を行うことができ、前記第１の芳香カートリッジを前記第２の方位に向ける前に、前記モータに、前記第１の芳香カートリッジを、前記複数のチャンバのうち前記第１のチャンバの対応する出口が前記芳香吐出装置の前記第１のポートへ流体連絡的に接続される前記第１の方位に向けさせ得る。この装置は、前記芳香指定を無線を介してワイヤレスで受信する通信モジュールを更に含むことができ、前記通信モジュールは、前記少なくとも１つのコントローラが前記第１の芳香カートリッジの前記方位のシーケンスを決定する前に前記芳香指定を受信する。
【０００９】
芳香吐出装置を動作させる方法は、複数のチャンバであって、前記チャンバのうち少なくともいくつかが内部に各芳香媒体を有する前記複数のチャンバを有する第１の芳香カートリッジを受容することと、前記第１の芳香カートリッジがデフォルト方位にある状態で、前記第１の芳香カートリッジに空気を移動させるように空気移動器の動作を開始することと、前記空気移動器の動作を開始することの後、前記第１の芳香カートリッジを、第１のモータを介して、前記第１の芳香カートリッジの前記複数のチャンバのうち第１のチャンバの対応する出口を前記芳香吐出装置の第１のポートへ流体連絡的に接続させる第１の方位に向けることと、停止条件の指示に応答して、前記第１の芳香カートリッジを前記デフォルト方位に戻すことと、を含む、方法と要約し得る。
【００１０】
前記第１の芳香カートリッジを前記デフォルト方位に戻すことは、芳香媒体を含む前記複数のチャンバのいずれもが前記芳香吐出装置の前記第１のポートへ流体連絡的に接続されないように、前記第１の芳香カートリッジを向けることを含み得る。前記第１の芳香カートリッジを前記デフォルト方位に戻すことは、前記複数のチャンバのうち空のチャンバが前記芳香吐出装置の前記第１のポートへ流体連絡的に接続されるように前記第１の芳香カートリッジを向けることを含み得る。前記第１の芳香カートリッジを前記デフォルト方位に戻すことは、前記複数のチャンバのうち空気フィルタが配置されたチャンバが前記芳香吐出装置の前記第１のポートへ流体連絡的に接続されるように前記第１の芳香カートリッジを向けることを含み得る。この方法は、少なくとも１つのコントローラを介して電源の利用可能な電力の低下を検出し、前記利用可能な電力の低下の検出に応答して前記停止条件の指示を提供することをさらに含み得る。この方法は、少なくとも１つのコントローラを介して電源断の入力を検出し、前記電源断の入力の検出に応答して前記停止条件の指示を提供することをさらに含み得る。この方法は、前記停止条件の指示に応答して、前記第１の芳香カートリッジを前記デフォルト方位に向けることの後、前記空気移動器の動作を停止させることをさらに含み得る。この方法は、前記空気移動器の動作を開始させることと、前記停止条件の指示に応答して前記空気移動器の動作を停止させることとの間で、空気を移動させるように前記空気移動器を連続的に動作させることをさらに含み得る。
【００１１】
複数のチャンバを有する第１の芳香カートリッジと、前記第１の芳香カートリッジに対して空気を移動させる空気移動器と、前記第１の芳香カートリッジの方位を変化させる第１のモータと、少なくとも１つのコントローラとを有する芳香吐出装置は、前記チャンバのうち少なくともいくつかが内部に対応する芳香媒体を有し、前記少なくとも１つのコントローラは、前記第１の芳香カートリッジがデフォルト方位の状態で空気移動器の動作を開始させることと、前記空気移動器の動作を開始させることの後、前記第１のモータに、前記第１の芳香カートリッジを、前記デフォルト方位から、前記第１の芳香カートリッジの前記複数のチャンバのうち第１のチャンバの対応する出口が前記芳香吐出装置の第１のポートへ流体連絡的に接続される第１の方位へ向けさせること、停止条件の指示に応答して、前記第１のモータを介して、前記第１のモータに、前記第１の芳香カートリッジを前記デフォルト方位へ戻させることと、を行う、装置と要約し得る。
【００１２】
前記少なくとも１つのコントローラは、芳香媒体を含む前記複数のチャンバのいずれもが前記芳香吐出装置の前記第１のポートへ流体連絡的に接続されないように、前記第１のモータに、前記第１の芳香カートリッジを前記デフォルト方位へ戻させ得る。前記少なくとも１つのコントローラは、前記複数のチャンバのうち空の１つのチャンバが前記芳香吐出装置の前記第１のポートへ流体連絡的に接続されるように、前記第１のモータに、前記第１の芳香カートリッジを前記デフォルト方位へ戻させ得る。前記少なくとも１つのコントローラは、前記複数のチャンバのうち空気フィルタが配置された１つのチャンバが前記芳香吐出装置の前記第１のポートへ流体連絡的に接続されるように、前記第１のモータに、前記第１の芳香カートリッジを前記デフォルト方位へ戻させ得る。前記少なくとも１つのコントローラは、電源の利用可能な電力の低下を検出することができ、前記利用可能な電力の低下の検出に応答して前記停止条件の指示を提供し得る。前記少なくとも１つのコントローラは、電源断の入力を検出することができ、前記電源断の入力の検出に応答して前記停止条件の指示を提供し得る。前記停止条件の指示に応答して、前記少なくとも１つのコントローラは、前記第１のモータに、前記第１の芳香カートリッジを前記デフォルト方位に向けさせた後、前記空気移動器の動作を停止させ得る。前記少なくとも１つのコントローラは、前記空気移動器の動作を開始させることと、前記停止条件の指示に応答して前記空気移動器の動作を停止させることとの間で、空気を移動させるように前記空気移動器を連続的に動作させ得る。
【００１３】
芳香シーケンス指定装置における動作方法は、芳香シーケンス指定ユーザインターフェースの提示を生じさせることであって、前記芳香シーケンス指定ユーザインターフェースは、１組のユーザ選択可能な芳香アイコンの芳香パレットを含み、前記ユーザ選択可能な芳香アイコンはそれぞれ、各芳香に対応し、前記芳香シーケンス指定ユーザインターフェースは、前記芳香パレットからの前記ユーザ選択可能な芳香アイコンの選択を介して選択的に入力可能である芳香指定フィールドのアレイをさらに含む、前記芳香シーケンス指定ユーザインターフェースの提示を生じさせること、前記芳香シーケンス指定ユーザインターフェースを介して入力を受信することと、前記芳香シーケンス指定ユーザインターフェースを介して受信された前記入力に少なくとも部分的に基づいて芳香指定ファイルを生成することとを含む、方法と要約し得る。
【００１４】
前記芳香シーケンス指定ユーザインターフェースの提示を生じさせることは、２つ以上の芳香カテゴリーを含む前記芳香シーケンス指定ユーザインターフェースの提示を生じさせることを含み得る。前記芳香シーケンス指定ユーザインターフェースの提示を生じさせることは、前記芳香カテゴリーそれぞれの２つ以上の芳香についてのユーザ選択可能なアイコンを含む前記芳香シーケンス指定ユーザインターフェースの提示を生じさせることを含み得る。前記芳香シーケンス指定ユーザインターフェースの提示を生じさせることは、各芳香カテゴリーに、各前記芳香カテゴリーで相互に空間的に順次的に配置された２つ以上の芳香についての２つの以上のユーザ選択可能なアイコンを含む前記芳香シーケンス指定ユーザインターフェースの提示を生じさせることを含み得る。前記芳香シーケンス指定ユーザインターフェースの提示を生じさせることは、各芳香カテゴリーに、各前記芳香カテゴリーで相互に空間的に順次的に列状に配置された２つ以上の芳香についての２つの以上のユーザ選択可能なアイコンを含む前記芳香シーケンス指定ユーザインターフェースの提示を生じさせることを含み得る。前記芳香シーケンス指定ユーザインターフェースの提示を生じさせることは、第１のカテゴリーの芳香の各芳香をそれぞれ表すユーザ選択可能な芳香アイコンの第１のアレイと、第２のカテゴリーの芳香の各芳香をそれぞれ表すユーザ選択可能な芳香アイコンの少なくとも第２のアレイの提示を生じさせることを含むことができ、前記第２のカテゴリーの芳香は、前記第１のカテゴリーの芳香と異なる。前記芳香シーケンス指定ユーザインターフェースの提示を生じさせることは、芳香のコーヒーカテゴリーの各芳香をそれぞれ表すユーザ選択可能な芳香アイコンの第１のアレイと、芳香のチョコレートカテゴリーの各芳香をそれぞれ表すユーザ選択可能な芳香アイコンの第２のアレイと、芳香のキャラメルカテゴリーの各芳香をそれぞれ表すユーザ選択可能な芳香アイコンの第３のアレイと、芳香のナッツカテゴリーの各芳香をそれぞれ表すユーザ選択可能な芳香アイコンの第４のアレイと、のうち少なくとも２つの提示を生じさせることを含み得る。前記芳香シーケンス指定ユーザインターフェースの提示を生じさせることは、芳香指定フィールドのアレイを含む前記芳香シーケンス指定ユーザインターフェースの提示を生じさせることを含むことができ、時間的シーケンスが、前記芳香指定フィールドの前記アレイの第１の軸に沿った前記芳香指定フィールドの配分によって表される。前記芳香シーケンス指定ユーザインターフェースの提示を生じさせることは、第１の軸および前記第１の軸に垂直な第２の軸を有する芳香指定フィールドの二次元アレイを含む前記芳香シーケンス指定ユーザインターフェースの提示を生じさせることを含むことができ、前記アレイの前記第１の軸に沿った前記芳香指定フィールドの配分は、時間的シーケンスにおける位置を表し、前記アレイの前記第２の軸に沿った前記芳香指定フィールドの配分は、前記時間的シーケンスにおける各位置において吐出される１つ以上の芳香を表す。前記芳香シーケンス指定ユーザインターフェースの提示を生じさせることは、名称フィールドを含む前記芳香シーケンス指定ユーザインターフェースの提示を生じさせることを含むことができ、前記名称フィールド中に入力された名称を前記芳香指定ファイルと論理的に関連付けることをさらに含み得る。前記芳香シーケンス指定ユーザインターフェースの提示を生じさせることは、受信者アドレスフィールドおよび送信用のユーザ選択可能なアイコンを含む前記芳香シーケンス指定ユーザインターフェースの提示を生じさせることを含むことができ、前記送信用のユーザ選択可能なアイコンの選択に応答して、前記芳香指定ファイルを前記受信者アドレスフィールドを介して指定されたアドレスへの送信すること、をさらに含み得る。前記芳香シーケンス指定ユーザインターフェースの提示を生じさせることは、１組のプロセッサが実行可能な命令をプロセッサベースの装置へ提供することを含み得る。前記芳香シーケンス指定ユーザインターフェースの提示を生じさせることは、少なくとも１つのマークアップ言語ファイルをサーバコンピュータを介してモバイル通信装置へ無線的に提供することを含み得る。前記芳香シーケンス指定ユーザインターフェースの提示を生じさせることは、１組のウェブサービスをサーバコンピュータを介して提供することを含み得る。
【００１５】
少なくとも１つのプロセッサと命令を保存するコンピュータ可読記憶媒体を含む芳香シーケンス指定装置は、前記コンピュータ可読記憶媒体は、前記命令が前記少なくとも１つのプロセッサによって実行されると、前記芳香シーケンス指定装置に、芳香シーケンス指定ユーザインターフェースを提示することであって、前記芳香シーケンス指定ユーザインターフェースは１組のユーザ選択可能な芳香アイコンの芳香パレットを含み、前記ユーザ選択可能な芳香アイコンはそれぞれ、各芳香に対応し、前記芳香シーケンス指定ユーザインターフェースは、前記芳香パレットからの前記ユーザ選択可能な芳香アイコンの選択を介して選択的に入力可能である芳香指定フィールドのアレイをさらに含む、前記芳香シーケンス指定ユーザインターフェースを提示することと、前記芳香シーケンス指定ユーザインターフェースを介して入力を受信することと、前記芳香シーケンス指定ユーザインターフェースを介して受信された前記入力に少なくとも部分的に基づいて芳香指定ファイルを生成することと、を実行させる、装置と要約し得る。
【００１６】
前記芳香シーケンス指定ユーザインターフェースは、２つ以上の芳香カテゴリーを含み得る。前記芳香シーケンス指定ユーザインターフェースは、前記芳香カテゴリーそれぞれにおける２つ以上の芳香についてのユーザ選択可能なアイコンを含み得る。前記芳香シーケンス指定ユーザインターフェースは、各芳香カテゴリーに、各前記芳香カテゴリーで相互に空間的に順次的に配置された２つ以上の芳香についての２つの以上のユーザ選択可能なアイコンを含み得る。前記芳香シーケンス指定ユーザインターフェースは、各芳香カテゴリーに、各前記芳香カテゴリーで相互に空間的に順次的に列状に配置された２つ以上の芳香について２つ以上のユーザ選択可能なアイコンを含み得る。前記芳香シーケンス指定ユーザインターフェースは、芳香の第１のカテゴリーの各芳香をそれぞれ表すユーザ選択可能な芳香アイコンの第１のアレイと、芳香の第２のカテゴリーの各芳香をそれぞれ表すユーザ選択可能な芳香アイコンの少なくとも第２のアレイとを含むことができ、芳香の前記第２のカテゴリーは、芳香の前記第１のカテゴリーと異なる。前記芳香シーケンス指定ユーザインターフェースは、芳香のコーヒーカテゴリーの各芳香をそれぞれ表すユーザ選択可能な芳香アイコンの第１のアレイと、芳香のチョコレートカテゴリーの各芳香をそれぞれ表すユーザ選択可能な芳香アイコン第２のアレイと、芳香のキャラメルカテゴリーの各芳香をそれぞれ表すユーザ選択可能な芳香アイコンの第３のアレイと、芳香のナッツカテゴリーの各芳香をそれぞれ表すユーザ選択可能な芳香アイコンの第４のアレイのうち少なくとも２つを含み得る。前記芳香シーケンス指定ユーザインターフェースは、芳香指定フィールドのアレイを含むことができ、前記芳香指定フィールドの前記アレイの第１の軸に沿った前記芳香指定フィールドの配分によって時間的シーケンスが表される。前記芳香シーケンス指定ユーザインターフェースは、第１の軸および前記第１の軸に垂直な第２の軸を有する芳香指定フィールドの二次元アレイを含むことができ、前記アレイの前記第１の軸に沿った前記芳香指定フィールドの配分は、時間的シーケンスにおける位置を表し、前記アレイの前記第２の軸に沿った前記芳香指定フィールドの配分は、前記時間的シーケンスにおける各位置において吐出されるべき１つ以上の芳香を表す。前記芳香シーケンス指定ユーザインターフェースは、名称フィールドを含むことができ、前記少なくとも１つのプロセッサは、前記名称フィールド内に入力された名称を前記芳香指定ファイルと論理的に関連付ける。前記芳香シーケンス指定ユーザインターフェースは、受信者アドレスフィールドと、送信用のユーザ選択可能なアイコンとを含むことができ、前記送信用のユーザ選択可能なアイコンの選択に応答して、前記少なくとも１つのプロセッサは、前記受信者アドレスフィールドを介して指定されたアドレスへの前記芳香指定ファイルの送信を生じさせ得る。前記少なくとも１つのプロセッサは、１組のプロセッサが実行可能な命令をプロセッサベースの装置へ提供することにより、前記芳香シーケンス指定ユーザインターフェースを提供し得る。前記少なくとも１つのプロセッサは、少なくとも１つのマークアップ言語ファイルをモバイル通信装置へ無線的に提供することにより、前記芳香シーケンス指定ユーザインターフェースを提供し得る。前記少なくとも１つのプロセッサは、１組のウェブサービスを提供することにより、前記芳香シーケンス指定ユーザインターフェースを提供し得る。
【００１７】
ハウジングと、複数の使い捨ての芳香媒体を有する使い捨ての芳香カートリッジは、前記ハウジングは、周辺外周と、第１の端部と、前記ハウジングの長さにわたって前記第１の端部から対向する第２の端部と、前記ハウジング内でその回転軸の周囲に環状に配列された複数のチャンバを規定する少なくとも１つの壁を有し、前記チャンバのうち少なくとも２つは、前記第１の端部および前記第２の端部を通じて延び、前記チャンバはそれぞれ、相互に分離および区別され、前記使い捨ての芳香媒体はそれぞれ、前記チャンバのうち少なくとも２つのそれぞれの対応するチャンバに受容される、使い捨ての芳香カートリッジ、と要約し得る。
【００１８】
前記チャンバのうち少なくとも１つは空である得る。前記チャンバのうち少なくとも１つは、非芳香の媒体を含み得る請求項８３に記載の使い捨ての芳香カートリッジ。前記チャンバのうち少なくとも１つは、内部を通過する空気から芳香を除去する空気フィルタ媒体を含み得る。前記チャンバはそれぞれ、前記第１の端部の少なくとも近傍に穴部を有することができ、前記穴部はそれぞれ、各寸法領域を有し、前記第１の端部は、前記穴部のうち２つの間に間隔を空けて配置された少なくとも１つの部分を含み、前記少なくとも１つの部分は、前記穴部の各前記寸法領域に等しい寸法領域を有する。前記使い捨ての芳香媒体はそれぞれ、非液体形態であり得る。各使い捨ての芳香媒体は、粉末形態であり得る。各使い捨ての芳香媒体は、パックされた粉末形態であり得る。各使い捨ての芳香媒体は、ワックス形態であり得る。前記チャンバそれぞれについて、前記使い捨ての芳香媒体と、各前記チャンバの少なくとも１つの壁の内面との間に隙間があり得、前記隙間は、前記ハウジングの長さに沿って延びる。前記チャンバそれぞれについて、前記使い捨ての芳香媒体と、前記ハウジングの周辺外周を規定する前記少なくとも１つの壁の内面との間に隙間があり得る。前記ハウジングは円形の周辺外周を有することができ、各チャンバは、前記円形の周辺外周の円形外形の楔形のセグメントである。前記チャンバそれぞれについて、前記使い捨ての芳香媒体と、前記ハウジングの周辺外周を規定する前記少なくとも１つの壁の内面との間に隙間があり得、各使い捨ての芳香媒体は、各前記チャンバを形成する少なくとも１つの他の壁に隣接し得る。この使い捨ての芳香カートリッジは、前記第１のおよび前記第２の端部それぞれにおける少なくとも１つの選択的膜であって、前記少なくとも１つの選択的膜は、使い捨ての芳香媒体を固体形態で保持し、空気および芳香空気を通過させ、前記チャンバそれぞれについて、前記使い捨ての芳香媒体と、各前記チャンバを形成する全ての壁との間に隙間があり、前記使い捨ての芳香媒体は各前記選択的膜と接触する、少なくとも１つの選択的膜、をさらに含み得る。前記少なくとも１つの選択的膜は、固体形態の使い捨ての芳香媒体を保持するくらいに十分に小さくかつ空気および芳香空気の通過を可能にするくらいに十分に大きい公称の孔サイズを有し得る。前記使い捨ての芳香媒体はそれぞれ各芳香を有し得る、前記チャンバのうち前記少なくとも２つそれぞれに受容される各芳香媒体の芳香は相互に異なる。前記ハウジングは、前記ハウジングの前記第２の端部に環状座面を含むことができ、前記環状座面は前記回転軸の周囲に配置される。使い捨ての芳香カートリッジは、前記ハウジングの前記第１の端部および前記第２の端部にわたってそれぞれ取り外し可能に配置される第１および第２の密封シール膜をさらに含み得る。
【００１９】
ハウジング及び複数の使い捨ての芳香媒体を有する使い捨ての芳香カートリッジは、前記ハウジングは、周辺外周と、第１の端部と、前記ハウジングの長さにわたって前記第１の端部から対向する第２の端部と、複数のチャンバとを規定し、前記チャンバのうち少なくとも２つは、前記第１の端部および前記第２の端部を通じて延び、前記チャンバはそれぞれ、相互に分離および区別され、前記使い捨ての芳香媒体はそれぞれ、前記チャンバの少なくとも２つそれぞれの対応するチャンバに受容される、使い捨ての芳香カートリッジ、と要約し得る。
【００２０】
各使い捨ての芳香媒体は固形形態であり得る。各使い捨ての芳香媒体は粉末形態であり得る。各使い捨ての芳香媒体はパックされた粉末形態であり得る。各使い捨ての芳香媒体はワックス形態であり得る。この使い捨ての芳香カートリッジは、前記第１の端部および前記第２の端部それぞれにおける少なくとも１つの選択的膜をさらに含むことができ、前記選択的膜は、各前記チャンバ内へ空気を通過させ、各前記チャンバ外へ芳香空気を通過させつつ、前記使い捨ての芳香媒体を各前記チャンバ中に保持する。前記チャンバそれぞれについて、前記使い捨ての芳香媒体と、各前記チャンバを形成する全ての壁との間に隙間があり得、前記使い捨ての芳香媒体は、各前記選択的膜と接触する。前記ハウジングは円形の周辺外周を有することができ、各チャンバは、前記円形の周辺外周の円形外形の楔形セグメントであり得る。前記使い捨ての芳香媒体はそれぞれ各芳香を有することができ、前記チャンバの前記少なくとも２つのそれぞれに受容された各芳香媒体の芳香は相互に異なる。この使い捨ての芳香カートリッジは、前記チャンバを少なくとも使用前に密封するように前記ハウジングの前記第１の端部および前記第２の端部にわたって取り外し可能にそれぞれ配置された第１および第２の密封シール膜をさらに含み得る。
【００２１】
使い捨ての芳香カートリッジは、ハウジングであって、第１の端部と、前記ハウジングの長さにわたって前記第１の端部から対向する第２の端部と、前記ハウジング中の複数のチャンバとを有し、前記チャンバはそれぞれ、相互に分離および区別され、前記ハウジングの前記第１の端部の少なくとも近傍に穴部を有する、ハウジングと、粒子形態の複数の使い捨ての芳香媒体であって、前記使い捨ての芳香媒体の各１つは、前記チャンバの少なくとも２つのそれぞれのうちの各１つに配置される、複数の使い捨ての芳香媒体と、前記ハウジングの前記第１の端部に少なくとも近接しかつ前記使い捨ての芳香媒体が配置された前記チャンバの前記少なくとも２つの少なくとも前記穴部にわたって配置された少なくとも１つの第１の端部選択的膜であって、前記少なくとも１つの第１の端部選択的膜は、前記粒子形態の前記使い捨ての芳香媒体を通過させずかつ芳香空気を選択的に通過させる、少なくとも１つの第１の端部選択的膜とを含む、使い捨ての芳香カートリッジ、と要約され得る。
【００２２】
前記チャンバはそれぞれ、前記ハウジングの少なくとも前記第２の端部の近傍に穴部をさらに有することができ、前記ハウジングの前記第２の端部の少なくとも近傍の少なくとも１つの第２の端部選択的膜であって、前記使い捨ての芳香媒体が配置された前記チャンバの前記少なくとも２つの少なくとも前記穴部に渡って配置され、前記粒子形態の前記使い捨ての芳香媒体を通過させずかつ芳香空気を選択的に通過させる、少なくとも１つの第２の端部選択的膜をさらに含み得る。前記チャンバはそれぞれ、前記ハウジングの前記第１の端部および前記第２の端部を通じて延びる流体流路を前記ハウジング内に形成し得る。各使い捨ての芳香媒体は粉末形態であり得る。各使い捨ての芳香媒体はパックされた粉末形態であり得る。各使い捨ての芳香媒体はワックス形態であり得る。前記チャンバそれぞれについて、前記使い捨ての芳香媒体と、各前記チャンバを形成する全ての壁との間に隙間があり得、前記使い捨ての芳香媒体は、各前記選択的膜のうち少なくとも１つと接触する。この使い捨ての芳香カートリッジは、前記チャンバを少なくとも使用前に密封するように前記ハウジングの前記第１の端部および前記第２の端部にわたって取り外し可能にそれぞれ配置された第１および第２の密封シール膜をさらに含み得る。前記第１の密封シール膜および前記第２の密封シール膜は、少なくともその周辺部の周囲に感圧接着剤を有する箔膜であり得る、使い捨ての芳香カートリッジ。
【００２３】
使い捨ての芳香キットは、複数のチャンバを有する第１の使い捨ての芳香カートリッジであって、前記チャンバのうち２つ以上は、使い捨ての芳香媒体を収容する、第１の使い捨ての芳香カートリッジと、複数のチャンバを有する少なくとも第２の使い捨ての芳香カートリッジであって、前記チャンバのうち２つ以上は、非液体形態の使い捨ての芳香媒体を収容し、前記第２の使い捨ての芳香カートリッジの前記使い捨ての芳香媒体の少なくともいくつかは、前記第１の使い捨ての芳香カートリッジの前記使い捨ての芳香媒体の少なくともいくつかのものと異なる芳香である芳香を有する、少なくとも第２の使い捨ての芳香カートリッジと、を含み得る、と要約され得る。
【００２４】
前記チャンバのうち少なくとも１つは空であり得る。前記チャンバのうち少なくとも１つは、非芳香の媒体を収容し得る。前記チャンバのうち少なくとも１つは、芳香中和媒体を収容し得る。前記チャンバのうち少なくとも１つは、内部を通過する空気から芳香を除去する空気フィルタ媒体を収容し得る。各使い捨ての芳香媒体は非液体形態であり得る。各使い捨ての芳香媒体は固形であり得る。各使い捨ての芳香媒体は、粒子のリザバーであり得る。前記粒子のリザバーが粉末であり得る。前記粒子のリザバーがパックされた粉末であり得る。各使い捨ての芳香媒体はワックス形態であり得る。この使い捨ての芳香キットは、前記チャンバを少なくとも使用前に密封するように、前記第１の使い捨ての芳香カートリッジの第１の端部および第２の端部にたってそれぞれ取り外し可能に配置された第１の対の密封シール膜と、前記チャンバを少なくとも使用前に密封するように、前記第２の使い捨ての芳香カートリッジの第１の端部および第２の端部にわたってそれぞれ取り外し可能に配置された第２の対の密封シール膜と、をさらに含み得る。前記密封シール膜は、各つまみと、少なくともその周辺部の周囲の感圧接着剤とをそれぞれ備えた箔膜であり得、その感圧性により、前記チャンバを使用後に再密封することが可能である。この使い捨ての芳香キットは、使用前の少なくとも前記第１の使い捨ての芳香カートリッジを収容する第１の密封シールされたパウチをさらに含み得る。前記第１の密封シールされたパウチは、使用前の少なくとも前記第２の使い捨ての芳香カートリッジも収容し得る。この使い捨ての芳香キットは、使用前の少なくとも前記第２の使い捨ての芳香カートリッジを収容する第２の密封シールされたパウチをさらに含むことができ、前記第１の密封シールされたパウチおよび前記第２の密封シールされたパウチは、使用前に一緒に包装される。この使い捨ての芳香キットは、支持基板および前記支持基板によって担持されるブリスター基板を含むブリスターパックであって、前記ブリスター基板は、使用前の前記第１および前記第２の第１の使い捨ての芳香カートリッジそれぞれを内部に受容する複数のブリスターを有する、ブリスターパックをさらに含み得る。使い捨ての芳香媒体を収容する前記第１の使い捨ての芳香カートリッジの前記チャンバそれぞれに収容される前記使い捨ての芳香媒体は、相互に異なる芳香を有し得る。使い捨ての芳香媒体を収容する前記第１の使い捨ての芳香カートリッジの前記チャンバそれぞれに収容される前記使い捨ての芳香媒体は、相互に同じ芳香を有し得る。
【００２５】
使い捨ての芳香カートリッジは、ハウジングであって、第１の端部と、前記ハウジングの長さにわたって前記第１の端部から対向する第２の端部と、前記ハウジング中の複数のチャンバとを有し、前記チャンバはそれぞれ、相互に分離および区別され、前記ハウジングの前記第１の端部の少なくとも近傍に穴部を有する、ハウジングと、複数の使い捨ての芳香媒体であって、前記使い捨ての芳香媒体それぞれ１つが前記チャンバのうち少なくとも２つのそれぞれ１つ内に配置され、前記使い捨ての芳香媒体の総表面積のうち少なくとも５０パーセントが前記チャンバを通過する気流へ晒される、複数の使い捨ての芳香媒体と、を含む、使い捨ての芳香カートリッジと要約され得る。
【００２６】
各使い捨ての芳香媒体は、少なくとも使用時に芳香を放出する場合があり、非液体形態である。各使い捨ての芳香媒体は粉末形態であり得る。各使い捨ての芳香媒体はパックされた粉末形態であり得る。前記チャンバそれぞれについて、前記使い捨ての芳香媒体と、各前記チャンバの少なくとも１つの壁の内面との間に隙間があり得、前記隙間は、前記ハウジングの長さに沿って伸びる。前記チャンバそれぞれについて、前記使い捨ての芳香媒体と、前記ハウジングの周辺外周を規定する少なくとも１つの壁の内面との間に隙間があり得る。前記ハウジングは、円形の周辺外周を有することができ、各チャンバは、前記円形の周辺外周の円形外形の楔形セグメントである得る。前記チャンバそれぞれについて、各使い捨ての芳香媒体と、前記ハウジングの周辺外周を規定する少なくとも１つの壁の内面との間に隙間があり得、各使い捨ての芳香媒体は、各前記チャンバを形成する少なくとも１つの他の壁に隣接し得る。この使い捨ての芳香カートリッジは、前記第１の端部および前記第２の端部のそれぞれに少なくとも１つの選択的膜をさらに有することができ、前記チャンバそれぞれについて、前記使い捨ての芳香媒体と、各前記チャンバを形成する全ての壁との間に隙間があり得、前記使い捨ての芳香媒体は、各前記選択的膜と接触する。前記第１の端部および前記第２の端部のそれぞれの前記少なくとも１つの選択的膜は、少なくとも１つの第１の端部選択的膜を含むことができ、前記少なくとも１つの第１の端部選択的膜は、少なくとも前記ハウジングの前記第１の端部に近接し、少なくとも前記使い捨ての芳香媒体が配置された前記チャンバのうち前記少なくとも２つの少なくとも前記穴部にわたって配置され、前記少なくとも１つの第１の端部選択的膜は、粒子形態の前記使い捨ての芳香媒体の通過を防止しつつ、空気または芳香空気を選択的に通過させる。この使い捨ての芳香カートリッジは、前記ハウジングの前記第１の端部および前記第２の端部にわたってそれぞれ取り外し可能に配置された第１および第２の密封シール膜をさらに含み得る。この使い捨ての芳香カートリッジは、前記カートリッジをドライブシャフトの非対称部へ取り外し可能に連結させる非対称連結器をさらに含み得る。
【００２７】
取り外し可能な芳香カートリッジから芳香を吐出する芳香吐出装置は、前記取り外し可能な芳香カートリッジは、対応する出口をそれぞれ有する複数のチャンバを有する本体を含み、前記取り外し可能な芳香カートリッジの前記本体は、鍵路を有する外面を含み、前記芳香吐出装置は、空気を移動させる空気移動器と、出力シャフトを有する第１のモータと、前記第１のモータの前記出力シャフトへ連結されかつ前記出力シャフトによって回転可能な連結スリーブであって、前記連結スリーブは、前記取り外し可能な芳香カートリッジの前記本体の前記外面の少なくとも一部を受容するような形状およびサイズにされた容積を規定し、前記連結スリーブは突出鍵部を含み、前記突出鍵部は、前記連結スリーブを前記取り外し可能な芳香カートリッジへ取り外し可能に相互接続させるように、前記取り外し可能な芳香カートリッジの前記鍵路とスライド可能に係合し、これにより、前記第１のモータの前記出力シャフトが回転運動を前記連結スリーブへ伝達し、その結果、回転運動が前記取り外し可能な芳香カートリッジへ伝達され、前記第１のモータは、前記空気移動器の動作の開始後に、前記取り外し可能な芳香カートリッジの前記複数のチャンバのうち第１のチャンバの対応する出口が前記芳香吐出装置の第１のポートへ流体連絡的に接続される第１の方位に前記取り外し可能な芳香カートリッジを向ける、連結スリーブと、前記第１の方位から、前記取り外し可能な芳香カートリッジを、前記複数のチャンバのうち第２のチャンバの対応する出口が前記芳香吐出装置の前記第１のポートへ流体連絡的に接続される第２の方位に向けるための移動方向の決定及び前記決定された移動方向における移動量の決定を行い、前記第１のモータに、前記複数のチャンバのうち前記第２のチャンバの前記対応する出口を前記芳香吐出装置の前記第１のポートへ流体連絡的に接続させる前記第２の方位に前記取り外し可能な芳香カートリッジを向けさせる、コントローラとを含む、芳香吐出装置、と要約され得る。
【００２８】
前記連結スリーブは、ベース部と、前記ベース部から上方に延びる円筒形壁とを含むことができ、前記突出鍵部は、前記円筒形壁の内面上に配置され得る。前記連結スリーブの前記ベース部は、前記取り外し可能な芳香カートリッジの前記複数のチャンバの各出口とそれぞれ整列された複数の穴部を含み得る。前記連結スリーブは、前記第１のモータの前記出力シャフトのうち少なくとも一部を受容するような形状およびサイズにされた穴部を有するモータシャフト連結部を有し得る。この装置は、前記コントローラへ動作可能に接続された光源をさらに含むことができ、前記コントローラは、１つ以上の条件の発生時に前記光源に発光させる。前記１つ以上の条件は、前記芳香吐出装置が少なくとも１つの芳香を指定する芳香指定を受信すること含み得る。前記コントローラは、第１の回転方向および第２の回転方向のうちどちらが、前記取り外し可能な芳香カートリッジを前記第１の方位から前記第２の方位へ移動させるための最小の移動量を提供するかを決定する場合があり、前記第２の回転方向は前記第１の回転方向と反対である。前記コントローラは、前記取り外し可能な芳香カートリッジを前記第１の回転方向で前記第１の方位から前記第２の方位に向ける、ステッパーモータによるステップ数を決定し得る。前記コントローラは、前記取り外し可能な芳香カートリッジを前記第１の回転方向で前記第１の方位から前記第２の方位に向ける、ステッパーモータによるステップ数を決定し得る。前記コントローラは、前記第１のモータに、前記取り外し可能な芳香カートリッジを、前記第１の方位から前記決定された移動方向で前記決定された移動量だけ移動させ得る。前記第１の方向は第１の回転方向であり得、前記第１のモータはステッパーモータであり得、前記コントローラは、前記第１のモータに、前記取り外し可能な芳香カートリッジを前記第１の回転方向で決定された第１のステップ数だけ移動させ得る。前記コントローラは、第１の指示に応答して、前記第１のモータに、前記取り外し可能な芳香カートリッジをデフォルト方位に向けさせ得る。前記コントローラは、芳香媒体を含む前記複数のチャンバのいずれもが前記芳香吐出装置の前記第１のポートへ流体連絡的に接続されないように、前記第１のモータに、前記取り外し可能な芳香カートリッジを前記デフォルト方位に向けさせ得る。前記コントローラは、前記複数のチャンバのうち空の第３のチャンバが前記芳香吐出装置の前記第１のポートへ流体連絡的に接続されるように、前記第１のモータに、前記取り外し可能な芳香カートリッジを前記デフォルト方位に向けさせ得る。前記コントローラは、前記複数のチャンバのうち空気フィルタが配置された第３のチャンバが前記芳香吐出装置の前記第１のポートへ流体連絡的に接続されるように、前記第１のモータに、前記取り外し可能な芳香カートリッジを前記デフォルト方位に向けさせ得る。前記コントローラは、電源の利用可能な電力の低下を検出する場合があり、前記利用可能な電力の低下の検出に応答して前記第１の指示を提供し得る。前記コントローラは、電源断の入力を検出する場合があり、前記電源断の入力の検出に応答して前記第１の指示を提供し得る。前記コントローラは、前記第１の指示に応答して、前記取り外し可能な芳香カートリッジを前記デフォルト方位に向けた後、前記空気移動器の動作を停止させ得る。前記コントローラは、前記空気移動器の動作の開始と、前記第１の指示に応答した前記空気移動器の動作の停止の間、空気を移動させるように前記空気移動器を連続的に動作させ得る。前記コントローラは、前記コントローラを介して、前記第２の方位から、前記取り外し可能な芳香カートリッジの前記複数のチャンバのうち第３のチャンバを、前記芳香吐出装置の前記第１のポートと共に向けるための移動方向の決定及び前記決定された移動方向での移動量の決定を行うことができ、前記第１のモータに、前記取り外し可能な芳香カートリッジを、前記複数のチャンバのうち前記第２のチャンバの対応する出口が前記芳香吐出装置の前記第１のポートへ流体連絡的に接続される第３の方位に向けさせることができ、前記第１の指示に応答して、前記空気移動器の動作の開始と、前記空気移動器の動作の停止の間で、空気を移動させるように前記空気移動器を連続的に動作させ得る。前記コントローラは、前記第１のモータに、前記取り外し可能な芳香カートリッジを前記第２の方位に向けることと、前記取り外し可能な芳香カートリッジを第３の方位に向けることとの間で、前記取り外し可能な芳香カートリッジを前記デフォルト方位に向けさせ得る。前記コントローラは、芳香指定に少なくとも部分的に基づいて、前記取り外し可能な芳香カートリッジの方位のシーケンスを決定する場合があり、前記方位のシーケンスは、少なくとも前記第１の方位および前記第２の方位を含む。前記コントローラは、前記デフォルト方位から、前記取り外し可能な芳香カートリッジを、前記第１の方位に向けるための移動方向の決定と前記決定された移動方向での移動量の決定を行うことができ、前記取り外し可能な芳香カートリッジを前記第２の方位に向ける前に、前記第１のモータに、前記取り外し可能な芳香カートリッジを、前記複数のチャンバの前記第１のチャンバの前記対応する出口が前記芳香吐出装置の前記第１のポートへ流体連絡的に接続される前記第１の方位に向けさせる。この装置は、前記芳香指定を無線を介して無線的に受信する通信モジュールを更に有することができ、前記通信モジュールは、前記コントローラが前記取り外し可能な芳香カートリッジの前記方位のシーケンスを決定する前に、前記芳香指定を受信する。この装置は、前記コントローラへ動作可能に接続された光源をさらに有することができ、前記通信モジュールが前記芳香指定を受信したときに、前記コントローラは前記光源を発光させる。
【００２９】
芳香吐出装置は、上面を有する本体と、前記本体へ接続された、複数の離間した芳香吐出サブユニットを有し、前記複数の芳香吐出サブユニットはそれぞれ、空気を移動させる空気移動器と、前記空気移動器の動作の開始後、芳香カートリッジを、前記芳香カートリッジの複数のチャンバのうち第１のチャンバの対応する出口が前記芳香吐出サブユニットのポートへ流体連絡的に接続される第１の方位に芳香カートリッジを向けるモータと、前記芳香吐出サブユニットの前記ポートへ流体連絡的に接続された長細型の芳香チャンネルであって、前記本体の前記上面へ取り付けられかつ前記本体の前記上面から上方に延び、垂直軸の周りで選択的に回転可能である、長細型の芳香チャンネルと、前記第１の方位から、前記芳香カートリッジを、前記複数のチャンバのうち第２のチャンバの対応する出口が前記芳香吐出サブユニットの前記ポートへ流体連絡的に接続される第２の方位に向けるための移動方向の決定及び前記決定された移動方向での移動量の決定を行うコントローラを有すると要約され得る。
【００３０】
前記芳香吐出装置の前記本体は下側本体部を含むことができ、前記上面は、前記下側本体部へ回転可能に接続され得る。前記複数の離間した芳香吐出ユニットは、２つの離間した芳香吐出ユニットを含むことができ、各前記芳香吐出ユニットの前記長細型の芳香チャンネルはそれぞれ、少なくとも９０度の範囲にわたって回転可能であり得る。
【００３１】
取り外し可能な芳香カートリッジから芳香を吐出する芳香吐出装置は、前記取り外し可能な芳香カートリッジは、対応する出口をそれぞれ有する複数のチャンバを有する本体を含み、前記取り外し可能な芳香カートリッジの前記本体は、鍵路を有する外面を含み、前記芳香吐出装置は、空気を移動させる空気移動器を含む芳香チャンネルであって、第１のポートをさらに有する、芳香チャンネルと、出力シャフトを含む第１のモータと、前記第１のモータの前記出力シャフトへ連結されかつ前記出力シャフトによって回転可能な連結スリーブであって、前記連結スリーブは、前記取り外し可能な芳香カートリッジの前記本体の前記外面の少なくとも一部を受容するような形状およびサイズにされた容積を規定し、前記連結スリーブは突出鍵部を含み、前記突出鍵部は、前記連結スリーブを前記取り外し可能な芳香カートリッジへ取り外し可能に相互接続させるように、前記取り外し可能な芳香カートリッジの前記鍵路とスライド可能に係合し、これにより、前記第１のモータの前記出力シャフトが回転運動を前記連結スリーブへ伝達し、その結果、回転運動が前記取り外し可能な芳香カートリッジへ伝達され、前記第１のモータは、前記空気移動器の動作の開始後に、前記取り外し可能な芳香カートリッジを、前記取り外し可能な芳香カートリッジの前記複数のチャンバのうち第１のチャンバの対応する出口が前記芳香チャネルの前記第１のポートへ流体連絡的に接続される第１の方位に向ける、連結スリーブと、前記取り外し可能な芳香カートリッジを、前記第１の方位から、前記複数のチャンバのうち第２のチャンバの対応する出口が前記芳香チャネルの前記第１のポートへ流体連絡的に接続される第２の方位に向けるための移動方向の決定及び前記決定された移動方向における移動量の決定を行い、前記第１のモータに、前記取り外し可能な芳香カートリッジを、前記複数のチャンバのうち前記第２のチャンバの前記対応する出口が前記芳香チャネルの前記第１のポートへ流体連絡的に接続される前記第２の方位に向けさせるコントローラとを有する、芳香吐出装置と要約され得る。
【００３２】
この装置は、前記第１のモータ、前記連結スリーブおよび前記コントローラを収容するベース部と、蓋部とをさらに有することができ、前記芳香チャンネルは、前記蓋部へ接続され、前記蓋部は、前記ベース部へ回転可能に接続される。前記芳香チャンネルは、前記コントローラへ動作可能に接続された光源を含むことができ、前記コントローラは、１つ以上の条件の発生時に前記光源を発光させ得る。
【００３３】
取り外し可能な芳香カートリッジから前記光源を吐出する芳香吐出装置は、前記取り外し可能な芳香カートリッジは、対応する出口をそれぞれ有する複数のチャンバを有する本体を含み、前記取り外し可能な芳香カートリッジの前記本体は、第１の連結部を有する外面を含み、前記芳香吐出装置は、空気を移動させる空気移動器と、出力シャフトを含む第１のモータと、前記第１のモータの前記出力シャフトへ連結されかつ前記出力シャフトによって回転可能な連結スリーブであって、前記連結スリーブは、前記取り外し可能な芳香カートリッジの前記本体の前記外面の少なくとも一部を受容するような形状およびサイズにされた容積を規定し、前記連結スリーブは、前記連結スリーブを前記取り外し可能な芳香カートリッジへ取り外し可能に相互接続させるように前記取り外し可能な芳香カートリッジの前記第１の連結部と係合する第２の連結部を含み、これにより、前記第１のモータの前記出力シャフトが回転運動を前記連結スリーブへ伝達し、その結果、回転運動が前記取り外し可能な芳香カートリッジへ伝達され、前記第１のモータは、前記取り外し可能な芳香カートリッジを、前記空気移動器の動作の開始後に、前記取り外し可能な芳香カートリッジの前記複数のチャンバのうち第１のチャンバの対応する出口が前記芳香吐出装置の第１のポートへ流体連絡的に接続される第１の方位に向ける、連結スリーブと、前記取り外し可能な芳香カートリッジを、前記第１の方位から、前記複数のチャンバのうち第２のチャンバの対応する出口が前記芳香吐出装置の前記第１のポートへ流体連絡的に接続される第２の方位に向けるための移動方向の決定及び前記決定された移動方向における移動量の決定を行い、前記第１のモータに、前記取り外し可能な芳香カートリッジを、前記複数のチャンバのうち前記第２のチャンバの前記対応する出口が前記芳香吐出装置の前記第１のポートへ流体連絡的に接続される前記第２の方位に向けさせるコントローラとを有する、芳香吐出装置と要約され得る。
【００３４】
ハウジング及び複数の使い捨ての芳香媒体を有する使い捨ての芳香カートリッジは、前記ハウジングは、周辺外周と、第１の端部と、前記ハウジングの長さにわたって前記第１の端部から対向する第２の端部と、前記ハウジング内でその回転軸の周囲に配列された複数のチャンバとを規定する少なくとも１つの壁を有し、前記チャンバのうち少なくとも２つは、前記第１の端部および前記第２の端部を通じて延び、前記チャンバはそれぞれ、相互に分離および区別され、前記壁は、鍵接合部を規定する芳香吐出装置の連結部分における、鍵部及び鍵路の他方と噛み合う鍵部及び鍵路の一方を有し、前記鍵接合部は、前記使い捨ての芳香カートリッジの前記ハウジングと前記芳香吐出装置の前記連結部分との間の軸方向移動を許容し、前記ハウジングの回転軸の周りでの両者間の回転移動を制限し、前記使い捨ての芳香媒体の各１つは、前記チャンバのうち少なくとも２つのそれぞれの各１つに受容される、使い捨ての芳香カートリッジ、と要約され得る。
【００３５】
前記壁は、前記第２の端部から前記壁に沿って上方に延びる鍵路を含み得る。
【００３６】
ハウジング及び複数の使い捨ての芳香媒体を有する使い捨ての芳香カートリッジは、前記ハウジングは、周辺外周と、第１の端部と、前記ハウジングの長さにわたって前記第１の端部から対向する第２の端部と、前記ハウジング内でその回転軸の周囲に配列される複数のチャンバとを規定する少なくとも１つの壁を有し、前記チャンバのうち少なくとも２つは、前記第１の端部および前記第２の端部を通じて延び、前記チャンバはそれぞれ、相互に分離および区別され、前記壁は、芳香吐出装置の連結部分の突起部と噛み合って鍵接合部を規定する凹部を含み、前記鍵接合部は、前記使い捨ての芳香カートリッジの前記ハウジングと前記芳香吐出装置の前記連結部分との間の軸方向移動を許容し、前記ハウジングの回転軸の周りでの回転移動を制限し、前記使い捨ての芳香媒体のうち各１つは、前記チャンバのうち少なくとも２つのそれぞれの各１つに受容される、使い捨ての芳香カートリッジ、と要約され得る。
【００３７】
使い捨ての芳香カートリッジは、ハウジング及び複数の使い捨ての芳香媒体を有し、前記ハウジングは、周辺外周と、第１の端部と、前記ハウジングの長さにわたって前記第１の端部から対向する第２の端部と、前記ハウジング内でその回転軸の周囲に配列された複数のチャンバとを規定する少なくとも１つの壁を有し、前記チャンバのうち少なくとも２つは、前記第１の端部および前記第２の端部を通じて延び、前記チャンバはそれぞれ、相互に分離および区別され、前記壁は、芳香吐出装置の連結スリーブの内部連結部と噛み合って鍵接合部を規定する外部連結部を含み、前記鍵接合部は、前記使い捨ての芳香カートリッジの前記ハウジングと前記芳香吐出装置の前記連結部との間の軸方向移動を許容し、両者間の前記ハウジングの回転軸の周りでの回転移動を制限し、前記使い捨ての芳香媒体のうちそれぞれ１つは、前記チャンバのうち少なくとも２つのそれぞれの各１つに受容される、使い捨ての芳香カートリッジ、と要約され得る。
【図面の簡単な説明】
【００３８】
【図１Ａ】図１Ａは、１つの例示される実施形態による、芳香吐出装置の等角図である。
【図１Ｂ】図１Ｂは、図１Ａの芳香吐出装置の分解図である。
【図２Ａ】図２Ａは、１つの例示される実施形態による芳香放出器の等角図である。
【図２Ｂ】図２Ｂは、図２Ａの芳香放出器の分解図である。
【図３Ａ】図３Ａは、１つの例示される実施形態による、第１のディフューザ部の正面図である。
【図３Ｂ】図３Ｂは、図３Ａの第１のディフューザ部の後方平面図である。
【図３Ｃ】図３Ｃは、図３Ａの第１のディフューザ部の上方平面図であり、ファンが取り付けられている。
【図４】図４は、１つの例示される実施形態による、第２のディフューザ部の正面図である。
【図５Ａ】図５Ａは、１つの例示される実施形態による芳香混合チャンバの正面図である。
【図５Ｂ】図５Ｂは、図５Ａの芳香混合チャンバの底面図である。
【図６Ａ】図６Ａは、図１Ａの芳香吐出装置の上側棚の上方平面図である。
【図６Ｂ】図６Ｂは、図６Ａの上側棚の一部の拡大図である。
【図７Ａ】図７Ａは、１つの例示される実施形態による、モータの側面図である。
【図７Ｂ】図７Ｂは、図７Ａのモータの上方平面図である。
【図８Ａ】図８Ａは、図１Ａの芳香吐出装置の下側棚の上方平面図である。
【図８Ｂ】図８Ｂは、図８Ａの下側棚の一部の拡大図である。
【図９Ａ】図９Ａは、１つの例示される実施形態による芳香カートリッジの正面図である。
【図９Ｂ】図９Ｂは、図９Ａの線Ｉ−Ｉに沿ってとられた断面図である。
【図９Ｃ】図９Ｃは、図９Ａの芳香カートリッジの上方平面図である。
【図９Ｄ】図９Ｄは、図９Ａの芳香カートリッジの上方平面図であり、端部は取り外されている。
【図１０Ａ】図１０Ａは、１つの例示される実施形態による芳香吐出装置の等角図である。
【図１０Ｂ】図１０Ｂは、図１０Ａの芳香吐出装置の部分分解図である。
【図１０Ｃ】図１０Ｃは、図１０Ａの芳香吐出装置の別の部分分解図である。
【図１０Ｄ】図１０Ｄは、図１０Ａの線ＩＩ−ＩＩに沿ってとられた断面図である。
【図１０Ｅ】図１０Ｅは、図１０Ａの芳香吐出装置の芳香混合チャンバの底面図である。
【図１１Ａ】図１１Ａは、図１０Ａの芳香吐出装置の芳香カートリッジホルダの上方平面図である。
【図１１Ｂ】図１１Ｂは、図１１Ａの芳香カートリッジホルダの等角図である。
【図１２Ａ】図１２Ａは、図１０Ａの芳香吐出装置の芳香カートリッジホルダの等角図である。
【図１２Ｂ】図１２Ｂは、図１２Ａの芳香カートリッジの部分分解図である。
【図１２Ｃ】図１２Ｃは、図１２Ａの芳香カートリッジの底面図である。
【図１３Ａ】図１３Ａは、１つの例示される実施形態による、図１２Ａの線ＩＩＩ−ＩＩＩに沿ってとられた水平方向スライス図である。
【図１３Ｂ】図１３Ｂは、１つの例示される実施形態による、図１２Ａの線ＩＩＩ−ＩＩＩに沿ってとられた水平方向スライス図である。
【図１３Ｃ】図１３Ｃは、１つの例示される実施形態による、図１２Ａの線ＩＩＩ−ＩＩＩに沿ってとられた水平方向スライス図である。
【図１３Ｄ】図１３Ｄは、１つの例示される実施形態による、図１２Ａの線ＩＩＩ−ＩＩＩに沿ってとられた水平方向スライス図である。
【図１３Ｅ】図１３Ｅは、１つの例示される実施形態による、図１２Ａの線ＩＩＩ−ＩＩＩに沿ってとられた水平方向スライス図である。
【図１３Ｆ】図１３Ｆは、１つの例示される実施形態による、図１２Ａの線ＩＩＩ−ＩＩＩに沿ってとられた水平方向スライス図である。
【図１４Ａ】図１４Ａは、１つの例示される実施形態による、芳香カートリッジの端部の等角図である。
【図１４Ｂ】図１４Ｂは、図１４Ａの芳香カートリッジの端部の分解図である。
【図１４Ｃ】図１４Ｃは、１つの例示される実施形態による、図１４Ａの芳香カートリッジの端部の密封シール膜の底面図である。
【図１５Ａ】図１５Ａは、１つの例示される実施形態による芳香カートリッジパウチの分解図である。
【図１５Ｂ】図１５Ｂは、１つの例示される実施形態による芳香カートリッジブリスターパックの分解図である。
【図１６】図１６は、１つの例示される実施形態による芳香吐出システムのネットワーク図である。
【図１７Ａ】図１７Ａは、１つの例示される実施形態による芳香吐出装置の模式図である。
【図１７Ｂ】図１７Ｂは、１つの例示される実施形態による芳香吐出装置の模式図である。
【図１７Ｃ】図１７Ｃは、１つの例示される実施形態による芳香吐出装置の模式図である。
【図１７Ｄ】図１７Ｄは、１つの例示される実施形態による芳香吐出装置の模式図である。
【図１７Ｅ】図１７Ｅは、１つの例示される実施形態による芳香吐出装置の模式図である。
【図１８】図１８は、１つの例示される実施形態によるモバイル装置のブロック図である。
【図１９】図１９は、１つの例示される実施形態によるサーバのブロック図である。
【図２０】図２０は、１つの例示される実施形態による芳香シーケンス指定ユーザインターフェースのブロック図である。
【図２１】図２１は、１つの例示される実施形態による、芳香吐出システムの操作方法のフローチャートである。
【図２２】図２２は、１つの例示される実施形態による、芳香吐出システムの操作方法のフローチャートである。
【図２３】図２３は、１つの例示される実施形態による、芳香吐出システムの操作方法のフローチャートである。
【図２４Ａ】図２４Ａは、１つの例示される実施形態による芳香カートリッジの上方平面図である。
【図２４Ｂ】図２４Ｂは、図２４Ａの芳香カートリッジを時計回りに１４４°だけ回転させた様子の上方平面図である。
【図２４Ｃ】図２４Ｃは、図２４Ｂの芳香カートリッジを時計回りに７２°だけ回転させた様子の上方平面図である。
【図２５】図２５は、１つの例示される実施形態による芳香吐出装置の正面斜視図である。
【図２６】図２６は、図２５の芳香吐出装置の後面斜視図である。
【図２７】図２７は、図２５の芳香吐出装置の部分の後面斜視部分分解図である。
【図２８】図２８は、図２５の芳香吐出装置の部分の正面斜視部分分解図である。
【図２９】図２９は、蓋が開口位置にある際の図２５の芳香吐出装置の正面斜視図である。
【図３０】図３０は、蓋が開口位置にある際の図２５の芳香吐出装置の一部の拡大斜視図である。
【図３１Ａ】図３１Ａは、蓋が開口位置にある際の図２５の芳香吐出装置の正面図である。
【図３１Ｂ】図３１Ｂは、図３１Ａの線Ｃ−Ｃに沿ってとられた芳香吐出装置の立断面図である。
【図３２Ａ】図３２Ａは、蓋が閉鎖位置にある際の図２５の芳香吐出装置の正面図である。
【図３２Ｂ】図３２Ｂは、図３２Ａの線Ａ−Ａに沿ってとられた芳香吐出装置の立断面図である。
【図３３Ａ】図３３Ａは、図２５の芳香吐出装置の芳香放出器の上方平面図である。
【図３３Ｂ】図３３Ｂは、図３３Ａの線Ａ−Ａに沿ってとられた芳香放出器の立断面図である。
【図３４Ａ】図３４Ａは、１つの例示される実施形態による、芳香カートリッジの上方からの斜視図である。
【図３４Ｂ】図３４Ｂは、図３４Ａの芳香カートリッジの下方からの斜視図である。
【図３４Ｃ】図３４Ｃは、図３４Ａの芳香カートリッジの正面図である。
【図３４Ｄ】図３４Ｄは、図３４Ａの芳香カートリッジの底面図である。
【図３５Ａ】図３５Ａは、図２５の芳香吐出装置の芳香カートリッジ受容部の上方に配置された図３４Ａの芳香カートリッジの立面図である。
【図３５Ｂ】図３５Ｂは、図２５の芳香吐出装置の芳香カートリッジ受容部内に配置された図３４Ａの芳香カートリッジの立面図である。
【図３５Ｃ】図３５Ｃは、図３５Ｂの線３５Ｃ−３５Ｃに沿ってとられた下部断面図である。
【図３５Ｄ】図３５Ｄは、図２５の芳香吐出装置の芳香カートリッジ受容部の底面図である。
【図３５Ｅ】図３５Ｅは、図２５の芳香吐出装置の４つの芳香カートリッジ受容部の上方に配置された４つの芳香カートリッジの等角図である。
【図３６Ａ】図３６Ａは、１つの例示される実施形態による芳香吐出装置の正面斜視図である。
【図３６Ｂ】図３６Ｂは、２つの芳香放出器を内方に４５°だけ回転させた場合の図３６Ａの芳香吐出装置の正面斜視図である。
【図３６Ｃ】図３６Ｃは、２つの芳香放出器を外方に４５°だけ回転させた場合の図３６Ａの芳香吐出装置の正面斜視図である。
【詳細な説明】
【００３９】
以下の記載において、多様な開示の実施形態の深い理解のため、特定の詳細について説明する。しかし、当業者であれば、これらの特定の詳細のうち１つ以上無しでまたは他の方法、構成要素、材料などと共に実施形態が実施され得ることを認識する。他の場合において、実施形態の記載を不要に曖昧しないようにするために、マイクロコントローラ、モータ装置、電源（例えば、ＤＣ／ＤＣ変換器）、無線通信（すなわち、送信器、受信器またはトランシーバ）、コンピューティングシステム（例えば、クライアントおよびサーバコンピューティングシステム）、およびネットワーク（例えば、セルラー、パケット交換）、ならびに他の通信チャンネルと関連付けられた周知の構造については、詳細を図示または記載していない。
【００４０】
文脈から他に明らかとならない限り、本明細書中および以下の特許請求の範囲全体において、「ｃｏｍｐｒｉｓｅ」という単語およびその変化形（例えば、「ｃｏｍｐｒｉｓｅｓ」および「ｃｏｍｐｒｉｓｉｎｇ」）は、開いた包含的な意味（すなわち、「非限定的に含む」）ものとして解釈されるべきである。
【００４１】
本明細書中全体において「一実施形態」または「実施形態」について言及する場合、当該実施形態に関連して記載される特定の特徴、構造または特性が少なくとも１つの実施形態に含まれる。よって、「一実施形態において」または「実施形態において」という文言が本明細書全体における多様な箇所において用いられた場合、必ずしも同じ実施形態を指すものではない。さらに、特定の特徴、構造または特性は、１つ以上の実施形態において任意の適切な様態で組み合わせられ得る。
【００４２】
本明細書および添付の特許請求の範囲において用いられるように、単数形である「ａ」、「ａｎ」および「ｔｈｅ」は、他に文脈から明らかにならない限り、複数形を含む。「または」という用語は、他に文脈から明らかにならない限り、「および／または」を含むものとして一般的に用いられる点にも留意されたい。
【００４３】
本明細書中に記載される本開示の見出しおよび要約は、ひとえに便宜上のものであり、実施形態の範囲または意味を説明するものではない。
【００４４】
先ず、芳香吐出装置の多様な実施形態の構造について説明する。次に、芳香吐出システムについて説明する。次に、芳香吐出システムの多様な構成要素の構造について説明する。次に、芳香吐出システムの操作のいくつかの例について説明する。
【００４５】
図１Ａは、１つの例示される実施形態による芳香吐出装置１００の等角図である。図１Ｂは、芳香吐出装置１００の分解図である。芳香吐出装置１００は、４つの芳香吐出ユニット１０２、ベース１０４、下側棚１０６、スペーサ１０８、保持部材１１０および上側棚１１２を含む。各芳香吐出ユニット１０２は、４つのモータ１１４、４つの芳香カートリッジ１１６と、芳香放出器１１８と、以下に述べる複数の電子構成要素とを含む。
【００４６】
図２Ａは、１つの例示される実施形態による芳香放出器１１８（芳香チャンネルとも呼ぶ）の等角図である。図２Ｂは、図２Ａに示す芳香放出器１１８の分解図である。芳香放出器１１８は、第１のハウジング部１２０ａおよび第２のハウジング部１２０ｂを有するハウジング１２０と、ディフューザ１２２と、ファン１２６の動作を制御するために用いられるスイッチ１２４と、通信インターフェースコネクタ１２８と、芳香混合チャンバ１３０と、導管１３２とを含む。一実施形態において、通信インターフェースコネクタ１２８は、ＵＳＢ−Ａ型の雌コネクタである。ディフューザ１２２は、第１のディフューザ部１３４と、第２のディフューザ部１３６と、第３のディフューザ部１３８とを含む。
【００４７】
図３Ａ〜図３Ｃは、図２Ｂに示す第１のディフューザ部１３４の多様な図を示す。第１のディフューザ部１３４は、入口ポート１３４ａと、出口ポート１３４ｃを画定するチャンバ１３４ｂとを含む。第１のディフューザ部１３４の入口ポート１３４ａは、ディフューザ１２２の入口ポートとして機能し、出口ポート１３４ｃは、ディフューザ１２２の出口ポートとして機能する。区画１３４ｄが、入口ポート１３４ａと出口ポート１３４ｃとの間に配置される。区画１３４ｄは、ファン１２６の少なくとも一部を内部に保持するようなサイズおよび寸法にされる。ファン１２６は、入口ポート１３４ａから第１のディフューザ部１３４の出口ポート１３４ｃへの空気流れを発生させるように、動作可能である。図３Ｃに示すように、第１のディフューザ部１３４は、チャンバ１３４ｂの下部内に形成された４つの矩形穴部１３４ｅを含む。
【００４８】
図４は、図２Ｂに示す第２のディフューザ部１３６の正面図である。第２のディフューザ部１３６は、下部１３６ａと、上部１３６ｂと、上部１３６ｂの上部の周囲から外方に延びるリップ１３６ｃとを含む。４つの保持部材１３６ｄが第２のディフューザ部１３６ｄの下部１３６ａから外方に延びるが、保持部材１３６ｄのうち３つのみを図４中に図示している。テーパー部１３６ｅは、保持部材１３６ｄそれぞれから外方に延びる。
【００４９】
ディフューザ１２２は、第１のディフューザ部１３４を第２のディフューザ部１３６へ取り付けることと、第３のディフューザ部１３８を第２のディフューザ部１３６へ取り付けらることとによって組み立てられる。より詳細には、第２のディフューザ部１３６は、第１のディフューザ部１３４の内側に配置され、保持部材１３６ｄは、チャンバ１３４ｂの下部内に形成された矩形穴部１３４ｅと整列され、テーパー部１３６ｅが矩形穴部１３４ｅを通じて延びるまで、第２のディフューザ部１３６を第１のディフューザ部１３４へと前進させる。第３のディフューザ部１３８は、接着剤を用いて第２のディフューザ部１３６のリップ１３６ｃへ取り付けることができる。例えば、エポキシ樹脂は、リップ１３６ｃの上面上に配置され、第３のディフューザ部１３８は第２のディフューザ部１３６の上方に配置される。第３のディフューザ部１３８の下面がリップ１３６ｃの上面上のエポキシ樹脂と接触するまで、第３のディフューザ部１３８を第２のディフューザ部１３６へ向かって前進させる。
【００５０】
第１のディフューザ部１３４および第２のディフューザ部１３６のサイズおよび寸法は、第２のディフューザ部１３６が第１のディフューザ部１３４へ取り付けられたときに、第１のディフューザ部１３４のチャンバ１３４ｂの内面と第２のディフューザ部１３６の外面との間に通路が形成されるようなサイズおよび寸法である。芳香放出器１１８が組み立てられ、作動すると、ファン１２６によって空気が第２のディフューザ部１３６の外面の周囲の第１のディフューザ部１３４の入口ポート１３４ａ内へ流入し、第１のディフューザ部１３４の出口ポート１３４ｃから流出する。
【００５１】
図５Ａおよび図５Ｂはそれぞれ、芳香混合チャンバ１３０の正面図および底面図である。芳香混合チャンバ１３０は、底部１３０ａと、中央部１３０ｂと、芳香混合チャンバ１３０ののための出口ポートとして機能する上部１３０ｃとを含む。図５Ｂに示すように、芳香混合チャンバ１３０は、底部１３０ａから中央部１３０ｂを通じて上部１３０ｃへ延びる複数のチャンネル１３０ｅを含む。芳香混合チャンバ１３０の底部１３０ａは、４つの円形穴部１３０ｆおよび楕円形穴部１３０ｇを含む。
【００５２】
図６Ａは、芳香吐出装置１００の上側棚１１２の上方平面図である。図６Ｂは、芳香吐出装置１００の上側棚１１２の部位１１２’の拡大図である。上側棚１１２の部位１１２’は、４つの円形穴部１１２ａと、楕円形穴部位１１２ｂと、４つの楔形穴部１１２ｃとを含む。
【００５３】
４つの芳香混合チャンバ１３０は、複数のナットおよびボルト（図示せず）を用いて上側棚１１２へ取り付けられる。以下、芳香混合チャンバ１３０のうち１つを上側棚１１２へ取り付けるプロセスについて、図１Ｂ、図５Ａ、図５Ｂ、図６Ａおよび図６Ｂを参照して説明する。芳香混合チャンバ１３０の円形穴部１３０ｆが上側棚１１２の４つの円形穴部１１２ａの群と整列されるように、芳香混合チャンバ１３０を上側棚１１２の上面上に配置する。４つのボルトを芳香混合チャンバ１３０の円形穴部１３０ｆそれぞれに挿入し、上側棚１１２の対応する円形穴部１１２ａに通す。その後、ナットを各ボルトへ固定する。上記のプロセスを、残りの芳香混合チャンバ１３０それぞれに対して繰り返す。芳香混合チャンバ１３０が上側棚１１２へ取り付けられると、上側棚１１２の楔形穴部１１２ｃは、芳香混合チャンバ１３０への入口ポートとして機能する。
【００５４】
図７Ａは、１つの例示される実施形態によるモータ１１４の側面図である。モータ１１４は、モータハウジング１１４ａと、モータハウジング１１４ａから延びるシャフト１１４ｂとを含む。シャフト１１４ｂは、平坦部１１４ｃおよび切頂円筒部１１４ｄを含む。図７Ｂに示すように、モータ１１４は、複数の穴部１１４ｆを有する上部１１４ｅを含む。
【００５５】
図８Ａは、芳香吐出装置１００の下側棚１０６の上方平面図である。図８Ｂは、図８Ａに示す上側棚１０６の部分１０６’の拡大図である。下側棚１０６の部分１０６’は、４つの大型円形穴部１０６ａと、１６個の小型円形穴部１０６ｂと、楕円形穴部分１０６ｃとを含む。
【００５６】
１６個のモータ１１４を複数のボルト（図示せず）を用いて下側棚１０６へ取り付ける。以下、モータ１１４のうち１つを下側棚１０６へ取り付けるプロセスについて、図１Ｂ、図７Ａ、図７Ｂ、図８Ａおよび図８Ｂを参照して説明する。モータ１１４の円形穴部１１４ｆが下側棚１０６の大型円形穴部１０６ａの１つを包囲する４つの小型円形穴部１０６ｂの群と整列されるように、モータ１１４のうち１つを下側棚１０６の下側に配置する。モータ１１４を下側棚１０６へ前進させ、モータ１１４の上部１１４ｅが下側棚１０６の下面に隣接するまで、シャフト１１４ｂを大型円形穴部分１０６ａに通過させる。４つのボルトを下側棚１０６のそれぞれの小型円形穴部１０６ｂを通じて挿入し、モータ１１４の円形穴部１１４ｆ内へ前進させる。ボルトを回転させてモータハウジング１１４ａ内のねじ山（図示せず）と係合させることにより、モータ１１４を下側棚１０６へ取り付ける。上記のプロセスを残りの１５個のモータ１１４に対して繰り返す。
【００５７】
以下、１つの例示される実施形態による芳香カートリッジ９００について図９Ａ〜図９Ｄを参照して説明する。図９Ａは、芳香カートリッジ９００の正面図である。図９Ｂは、図９Ａの線Ｉ−Ｉに沿ってとられた断面図である。図９Ｃは、芳香カートリッジ９００の上方平面図である。図９Ｄは、図９００の芳香カートリッジの上方平面図であり、第１の端部９０６は取り外されている。
【００５８】
図９Ａに示すように、芳香カートリッジ９００は、第１の端部９０２ａおよび第２の端部９０２ｂを有するハウジング９０２を含む。円筒形外壁９０４は、ハウジング９０２の周辺外周を画定する。第１の端部９０６は、芳香カートリッジ９００の第１の端部９０２ａに配置される。第１の端部９０６は、５個の楔形穴部９０８を含む。隆起リップ９１０は、穴部９０８それぞれの周囲の第１の端部９０６から外方に延びる。
【００５９】
第２の端部９１２は、芳香カートリッジ９００の第２の端部９０２ｂに配置される。図９Ｄ中に最良に示すように、第２の端部９１２は、５個の楔形穴部９１４を含む。図９Ａに最良に示すように、軸９１６は、第２の端部９１２から外方に延びる。軸９１６は、円形穴部９２０を有する平面部９１８を含む。軸９１６はまた、切頂円筒部９２２を含む。平面部９１８および切頂円筒部９２２は、「Ｄ」字型の穴部９２４を形成する。軸９１６の穴部９２４は、モータ１１４のシャフト１１４ｂを穴部９２４に挿入できるようなサイズおよび寸法にされる。モータ１１４のうち１つのシャフト１１４ｂが軸９１６の穴部９２４へ挿入されると、シャフト１１４ｂの平面部１１４ｃが軸９１６の平面部９１８へ隣接し、これによりシャフト１１４ｄが回転して、芳香カートリッジ９００が芳香カートリッジ９００の長手方向軸９２６の周囲において回転することが確実になる。
【００６０】
図９Ｃは、芳香カートリッジ９００の上面図であり、図９Ｄは、芳香カートリッジ９００の上面図であり、第１の端部９０６は取り外されている。複数の壁は、外壁９０４、軸方向壁９２８および５個の平面壁９３０を含む第２の端部９１２から上方に延びる。平面壁９３０は、軸方向壁９２８から外壁９０４に半径方向に延びる。第１の端部９０６、第２の端部９１２、平面壁９３０、軸方向壁９２８、および外壁９０４は、５個のチャンバ９３２を芳香カートリッジ９００内に画定する。チャンバ９３２それぞれに対して、第１の端部９０６に形成された穴部９０８のうち１つが、第２の端部９１２に形成された対応する穴部９１４と整列する。
【００６１】
ここで図９Ｂを参照して、図９Ａの線Ｉ−Ｉに沿ってとられた芳香カートリッジ９００の断面図が示されている。５個のチャンバ９３２のうち１つのみを図９Ｂに示す。芳香カートリッジ９００は、実質的に任意の所望の数の芳香カートリッジチャンバ９３２を持ち得る。チャンバ９３２のうち１つ以上が、芳香媒体９３４で充填され得る。芳香媒体９３４は、例えば、パッケージされた粉末形態の芳香粒子、芳香粉末などの非液物質、芳香ワックス、空気フィルタ、または非芳香材料であり得る。チャンバ９３２のうち１つ以上は空であり得る。
【００６２】
第１の選択的膜９３６が、芳香カートリッジ９００の第１の端部９０６の下面へ取り付けられ得る。第１の選択的膜９３６に形成される孔（図示せず）は、芳香媒体９３４の分子が芳香カートリッジ９００の第１の端部９０６の穴部９０８から流れることが可能なようなサイズおよび寸法にされる。例えば、芳香媒体９３４は微粒子形態であり、第１の選択的膜９３６は、微粒子形態の芳香媒体９３４は通過させず、空気または芳香空気を選択的に通過させ得る。一実施形態において、芳香カートリッジ９００は、第１の選択的膜９３６を含まない。
【００６３】
第２の選択的膜９３８は、第２の端部９１２の上面に取り付けられ得る。第２の選択的膜９３８に形成され得る孔（図示せず）は、芳香媒体９３４の穴部９１４からの落下を回避し、空気が穴部９１４を通って流れることができるサイズおよび寸法にされる。一実施形態において、第２の選択的膜９３８は、非孔性の塑性材料である。別の実施形態において、芳香カートリッジ９００は、第２の選択的膜９３８を含まない。一実施形態において、第１の選択的膜９３６および第２の選択的膜９３８は、１センチメートルあたりの縫い目が５６本である綿花材料から形成される。
【００６４】
図９Ｂに示すように、チャンバ９３２を画定する壁のうち１つ以上と芳香媒体９３４の間にハウジング９０２の長さに沿う１つ以上の隙間９４０が形成されるように、芳香媒体９３４がチャンバ９３２内に配置され得る。図９Ｂにおいて、隙間９４０のうち１つは、芳香媒体９３４と外壁９０４との間に形成され、隙間のうち１つは、芳香媒体９３４と軸方向壁９２８との間に形成される。隙間９４０により、チャンバ９３２を通じた空気流れが促進される。
【００６５】
一実施形態において、芳香カートリッジチャンバ９３２の１つ以上を画定する壁の１つ以上の１つ以上の内面上には、コーティング９４２（例えば、ワックス）が形成される。図９Ｂにおいて、コーティング９４２は、外壁９０４および軸方向壁９２８の内面上に形成される。
【００６６】
以下、１つの例示される実施形態による芳香吐出装置１０００について、図１０Ａ〜図１０Ｅを参照して説明する。図１０Ａは、芳香吐出装置１０００の等角図である。図１０Ｂおよび図１ＯＣは、芳香吐出装置１０００の部分分解図である。図１０Ｄは、図１０Ａの線ＩＩ−ＩＩに沿ってとられた断面図である。図１０Ｅは、図１０Ｄに示す芳香混合チャンバの底面図である。
【００６７】
図１０Ａに示すように、芳香吐出装置１０００は、凹部１００２ａと、ディフューザ１００４と、スイッチ１００６とを有するハウジング１００２を含む。図１０Ｂに示すように、芳香吐出装置１０００はまた、４つのモータ１００８と、４つの芳香カートリッジ１２００と、芳香カートリッジホルダ１０１２とを含む。モータ１００８はそれぞれ、ハウジング１００８ａ、シャフト１００８ｂ、および端部１００８ｃを含む。一実施形態において、モータ１００８はそれぞれ、ステッパーモータである。図１０Ｃに示すように、芳香カートリッジホルダ１０１２は、ハウジング１００２の凹部１００２ａと整列させることが可能な凹部１０１２ａを有する。凹部１００２ａおよび１０１２ａにより、芳香カートリッジホルダ１０１２内外へのカートリッジ１２００の搭載および／または取り外しが可能になるように芳香カートリッジホルダ１０１２をハウジング１００２から取り外すことが容易になる。凹部１００２ａおよび１０１０ａはまた、芳香カートリッジホルダ１０１２をハウジング１００２内に配置した際に芳香カートリッジホルダ１０１２がハウジング１００２に対して所定の方向を有することを確実にするための整列構造として機能する。
【００６８】
図１０Ｄに示すように、ディフューザ１００４は、第１のディフューザ部１００４ａ、第２のディフューザ部１００４ｂおよび第３のディフューザ部１００４ｃを含む。第１のディフューザ部１００４ａ、ディフューザ第２の部１００４ｂ、および第３のディフューザ部１００４ｃはそれぞれ、第１のディフューザ部１３４、第２のディフューザ部１３６および第３のディフューザ部１３８に類似する。芳香吐出装置１０００は、上部１０１４ａおよび下部１０１４ｂを含む芳香混合チャンバ１０１４を含む。芳香混合チャンバ１０１４の上部１０１４ａは、芳香混合チャンバ１０１４のための出口ポートとして機能する穴部１０１４ｃを含む。ファン１０１６は、芳香混合チャンバ１０１４の穴部１０１４ｃ内に配置される。芳香吐出装置１０００はまた、インターフェースコネクタ１０１８、１つ以上のバッテリー１０２０およびプリント回路板１０２２を含む。一実施形態において、通信インターフェースコネクタ１０１８は、ＵＳＢ−Ａ型の雌コネクタである。プリント回路板１０２２は、芳香情報の通信および処理と、そのような芳香情報に基づいたモータ１００８およびファン１０１６の動作の制御とのための多様な構成要素および回路を含む。
【００６９】
図１０Ｅに示すように、芳香混合チャンバ１０１４の下部１０１４ｂは、４つの楔形穴部１０１４ｄを含む。楔形穴部１０１４ｄはそれぞれ、芳香混合チャンバ１０１４への入口ポートとして機能する。
【００７０】
図１１Ａは、図１０Ｂに示す芳香カートリッジホルダ１０１２の上方平面図である。図１１Ｂは、芳香カートリッジホルダ１０１２の等角図である。芳香カートリッジホルダ１０１２は、４つの芳香カートリッジレセプタクル１０１２ｂを含み、これらの芳香カートリッジレセプタクル１０１２ｂはそれぞれ、少なくとも芳香カートリッジ１２００のうち１つの下部を受容するようなサイズおよび寸法にされる。各芳香カートリッジレセプタクル１０１２ｂは、シャフトまたは軸１０１２ｃ、楔形穴部１０１２ｄ、および整列インジケータ１０１２ｅを含む。整列インジケータ１０１２ｅは、多様な形態（例えば、マーキング、へこみ、または突起）をとり得る。
【００７１】
以下、１つの例示される実施形態による芳香カートリッジ１２００について、図１２Ａ〜図１２Ｃを参照して説明する。図１２Ａは、芳香カートリッジ１２００の等角図である。図１２Ｂは、芳香カートリッジ１２００の部分分解図である。図１２Ｃは、芳香カートリッジ１２００の底面図である。図１２Ａに示すように、芳香カートリッジ１２００は、円形の周辺外周を有するハウジング１２０２を含む。ハウジング１２０２は、第１の端部１２０２ａおよび第２の端部１２０２ｂを含む。円筒形外壁１２０４は、ハウジング１２０２の周辺外周を画定する。
【００７２】
第１の端部１２０６は、ハウジング１２０２の第１の端部１２０２ａに配置される。第１の端部１２０６は、５個の楔形穴部１２０８および穴部１２１０を含む。穴部１２１０と各モータ１００８のシャフト１００８ｂの端部１００８ｃは、端部１００８ｃを穴部１２１０内に挿入することが可能なサイズおよび寸法にされる。一実施形態において、端部１００８ｃおよび穴部１２１０は円形であり、端部１００８ｃは、シャフト１００８ｂの回転により長手方向の回転軸１２２２の周囲の芳香カートリッジ１２００の回転が生じるように、穴部１２１０にぴったりと挿入することができる。一実施形態において、端部１００８ｃおよび穴部１２１０は「Ｄ」字型であり、各モータ１００８のシャフト１００８ｂの端部１００８ｃは、シャフト１００８ｂの回転により長手方向軸１２２２の周囲の芳香カートリッジ１２００の回転が生じるように、穴部１２１０に挿入することができる。
【００７３】
第２の端部１２１２は、ハウジング１２０２の第２の端部１２０２ｂに配置される。第２の端部１２１２は、５個の楔形穴部１２１４を含む。円形穴部１２１６は、第２の端部１２１２に形成され、上方にハウジング１２０２内を延び、ベアリング面１２１８を終了させる。円形穴部１２１６および芳香カートリッジホルダ１０１２の軸１０１２ｃは、軸１０１２ｃが円形穴部１２１６に挿入されたときに芳香カートリッジ１２００が長手方向軸１２２２の周囲に回転可能なように各軸１０１２ｃを円形穴部１２１６内に挿入することができるような、サイズおよび寸法にされる。環状ベアリング面１０１８は、円形穴部１２１６に隣接してハウジング１２００の第２の端部１２０２ｂに配置される。環状ベアリング面１０１８は、芳香カートリッジホルダ１０１２の軸１０１２ｃが円形穴部１２１６に挿入されて芳香カートリッジ１２００が回転されたときに環状ベアリング面１０１８が１０１２ｃの側面に当接するように、回転軸１２２２の周囲に配置される。
【００７４】
図１２Ｂに示すように、外壁１２０４、軸方向壁１２２８および５個の平面壁１２３０を含む複数の壁は、第２の端部１２１２から上方に延びる。平面壁１２３０は、軸方向壁１２２８から外壁１２０４へ放射方向に延びる。外壁１２０４、第１の端部１２０６、第２の端部１２１２、軸方向壁１２２８および平面壁１２３０により、回転軸１２２２の周囲に環状に配列された５個のチャンバ１２３２が芳香カートリッジ１２００内に画定される。チャンバ１２３２それぞれに対して、第１の端部１２０６内に形成された穴部１２０８のうちの１つが第２の端部１２１２内に形成された対応する穴部１２１４と整列される。各チャンバ１２３２は、第２の端部１２１２内に形成された穴部１２１４から第１の端部１２０６内に形成された対応する穴部１２０８へ空気が流体連絡することが可能なチャンネルを画定する。外壁１２０４、軸方向壁１２２８および平面壁１２３０は、チャンバ１２３２のうちの１つを通って流れる空気がチャンバ１２３２の任意の他のものに漏れることを防止する。
【００７５】
以下に詳述するように、モータ１００８のシャフト１００８ｂの端部１００８ｃは、芳香カートリッジ１２００の穴部１２１６と係合し、芳香カートリッジ１２００の穴部１２１６を、芳香カートリッジ１２００の第１の端部１２０６の楔形穴部１２０８のうちの特定の１つが芳香混合チャンバ１０１４の下部１０１４ｂの楔形穴部１０１４ｄのうちの１つと整列される５個の所定の位置／方向付けのうち１つまで回転させることができる。芳香カートリッジ１２００がこのような位置にある場合、芳香カートリッジ１２００の第２の端部１２１２の対応する楔形穴部１２１４は、芳香カートリッジホルダ１０１２の楔形穴部１０１２ｄのうちの１つと整列される。一実施形態において、楔形穴部１０１２ｄ、１０１４ｃ、１２０８および１２１４のサイズおよび寸法は同一である。芳香カートリッジ１２００がこのような位置／方向付けにある場合、ファン１０１６は、芳香カートリッジホルダ１０１２の楔形穴部１０１２ｄのうちの１つへ入り、そして、対応する楔形穴部１２１４および１２０８を介しチャンバ１２３２のうちの１つを通り、穴部１０１４ｄおよび１０１４ｃを介し芳香混合チャンバ１０１４を通り、ディフューザ１００４から出て行くように空気を流し得る。
【００７６】
芳香カートリッジ１２００はまた、整列インジケータ１２２０を含む。整列インジケータ１２２０は、例えば、マーキング、へこみまたは突起などの多様な形態をとり得る。芳香カートリッジ１２００の１つの整列インジケータ１２２０が芳香カートリッジホルダ１０１２の整列インジケータ１０１２ｅの１つと整列されると、チャンバ１２３２のうちの所定の１つ（すなわち、デフォルトチャンバ）の穴部１２１４が芳香カートリッジホルダ１０１２に形成された穴部１０１２ｄのうちの１つと整列される。芳香吐出装置１０００のユーザは、芳香カートリッジ１２００が初めに芳香カートリッジホルダ１０１２に取りつけられたとき、芳香カートリッジ１２００の１つの整列インジケータ１２２０と、芳香カートリッジホルダ１０１２の整列インジケータ１０１２ｅの１つとを整列させることができる。芳香カートリッジ１２００の１つの整列インジケータ１２２０が芳香カートリッジホルダ１０１２の整列インジケータ１０１２ｅの１つと整列され、芳香カートリッジホルダ１０１２が芳香吐出装置１０００のハウジング１００２に挿入されると、芳香カートリッジ１２００のデフォルトチャンバ１２３２の第１の端部１２０６の穴部１２０８は、芳香混合チャンバ１０１４の下部１０１４ｂの穴部１０１４ｄの１つと整列される。
【００７７】
芳香カートリッジ１２００について芳香吐出装置１０００に関連して述べているが、芳香カートリッジ１２００は、他の芳香吐出装置において用いられ得る。例えば、芳香カートリッジ１２００は、プリンター、カメラ、衣類、椅子、台所用品および自動車と共に設けられる他の芳香吐出装置と共に用いられ得る。このような芳香吐出装置により、ユーザは、芳香カートリッジ１２００それぞれの特定のチャンバ１２３２が所定の方位を有するように芳香カートリッジ１２００のうち１つ以上を手動で回転させることにより、特定の芳香または芳香組み合わせを指定することができる。あるいは、芳香吐出装置１０００は、他の装置（例えば、プリンター、カメラ、衣類、椅子、台所用品および自動車）と一体化させることもできる。
【００７８】
上記した芳香吐出装置１０００の芳香カートリッジホルダ１０１２は、４つの芳香カートリッジレセプタクル１０１２ｂを含み、上記した芳香カートリッジ１２００はそれぞれ、５個のチャンバ１２３２を含む。芳香カートリッジ１２００それぞれのチャンバ１２３２のうち４つが芳香媒体１２３４を含み（例えば、芳香カートリッジ１２００それぞれのチャンバ１２３２のうちの１つが空であり）かつ各芳香媒体１２３４の芳香が他の芳香媒体１２３４それぞれと異なる場合、芳香吐出装置１０００は、３４０種類の異なる芳香組み合わせ（すなわち、４４＋４３＋４−２＋４１）を吐出することができる。
【００７９】
一実施形態において、芳香吐出装置１０００の芳香カートリッジホルダ１０１２は、５個の芳香カートリッジレセプタクル１０１２ｂを含み、芳香カートリッジ１２００はそれぞれ、６個のチャンバ１２３２を含む。芳香カートリッジ１２００それぞれのチャンバ１２３２のうち５個が芳香媒体１２３４を含み（例えば、芳香カートリッジ１２００それぞれのチャンバ１２３２のうちの１つが空気フィルタを含み）かつ各芳香媒体１２３４の芳香が他の芳香媒体１２３４それぞれと異なる場合、芳香吐出装置１０００は、３，９０５種類の異なる芳香組み合わせ（すなわち、５５＋５−４＋５３＋５２＋５１）を吐出し得る。
【００８０】
別の実施形態において、芳香吐出装置１０００の芳香カートリッジホルダ１０１２は、６個の芳香カートリッジレセプタクル１０１２ｂを含み、芳香カートリッジ１２００はそれぞれ、７個のチャンバ１２３２を含む。芳香カートリッジ１２００それぞれのチャンバ１２３２のうち６個が芳香媒体１２３４を含み（例えば、芳香カートリッジ１２００それぞれのチャンバ１２３２のうちの１つが空であり）かつ各芳香媒体１２３４の芳香が他の芳香媒体１２３４それぞれの芳香と異なる場合、芳香吐出装置１０００は、５５，９８６種類の異なる芳香組み合わせ（すなわち、６６＋６−５＋６４＋６３＋６２＋６１）を吐出し得る。
【００８１】
もちろん、芳香吐出装置１０００の芳香カートリッジホルダ１０１２は、別の数の芳香カートリッジレセプタクル１０１２ｂを含むことができ、芳香カートリッジ１２００はそれぞれ、別の数のチャンバ１２３２を含み得る。さらに、芳香吐出装置１０００が実質的に任意の所望の数の異なる芳香組み合わせを生成することができるように、芳香媒体１２３４が芳香カートリッジ１２００のチャンバ１２３２内に配分され得る。
【００８２】
以下、芳香カートリッジ１２００の複数の例示的実施形態について、図１３Ａ〜図１３Ｆを参照して説明する。図１３Ａ〜図１３Ｆはそれぞれ、図１２Ａに示す線ＩＩＩ−ＩＩＩに沿った芳香カートリッジ１２００の水平方向スライス図である。例示的実施形態それぞれにおいて、１つ以上の芳香媒体１２３４は、チャンバ１２３２のうち１つ以上の中に配置される。各芳香媒体１２３４は、図９Ｂに関連して上述した芳香媒体９３４と同様に配置される。例えば、第１の選択的膜９３６が芳香媒体１２３４と穴部１２０８との間に配置されかつ／または第２の選択的膜９３８が芳香媒体１２３４と穴部１２１４との間に配置されるように、各芳香媒体１２３４が穴部１２０８および１２１４のうちの対応する１つ間のチャンバ１２３２の１つに配置され得る。
【００８３】
図１３Ａは、チャンバ１２３２それぞれが芳香媒体１２３４を含む実施形態を示す。芳香媒体１２３４のうち１つ以上は、他の芳香媒体１２３４のうちの１つ以上と同じかまたは異なる芳香またはアロマを持ち得る。例えば、各芳香媒体１２３４は、他の芳香媒体１２３４の芳香またはアロマと異なる芳香またはアロマを持ち得る。芳香媒体１２３４のうち１つ以上は非芳香、例えば、空気フィルタ媒体（例えば、炭フィルタを含む媒体）および／または芳香中和媒体（例えば、重曹を含む媒体）であり得る。
【００８４】
図１３Ｂに示すように、チャンバ１２３２の１つ以上が空であり得る。さらに、芳香媒体１２３４それぞれと、各チャンバ１２３２を画定する壁の１つ以上との間に隙間１２４０が配置され得る。例えば、チャンバ１２３２のうち１つ以上内に、芳香媒体１２３４と外壁１２０４との間に隙間１２４０が配置され得る。
【００８５】
図１３Ｃに示すように、チャンバ１２３２の１つ以上内に、芳香媒体１２３４と、１つ以上のチャンバ１２３２を画定する壁それぞれとの間に隙間１２４０が配置され得る。すなわち、１つ以上のチャンバ１２３２内に、芳香媒体１２３４と、外壁１２０４、軸方向壁１２２８および一対の平面壁１２３０との間に隙間１２４０が配置され得る。
【００８６】
チャンバ１２３２のうち１つ以上の壁のうち１つ以上の上に芳香媒体１２３４が配置され得る。例えば、各芳香媒体１２３４は、図１３Ｄに示すように各芳香媒体１２３４を外壁１２０４上に配置され、あるいは、図１３Ｅに示すように平面壁１２３０のうちの１つの上に配置され得る。
【００８７】
芳香媒体１２３４の表面積全体のうち５０パーセントを越える部分がチャンバ１２３２のうちの１つを通って流れる空気に晒されるように、各芳香媒体１２３４が配置され得る。例えば、図１３Ｅに示す各芳香媒体１２３４の寸法は、以下のようなものであり得る：すなわち、長さが１センチメートル（ｃｍ）に等しく、幅が１ｃｍに等しく、高さが５ｃｍに等しい。よって、各芳香媒体１２３４の表面積全体は、４つの側部の表面積である（すなわち、４×１ｃｍ×５ｃｍ＝２０ｃｍ２）プラス２つの端部の表面積（すなわち、２×１ｃｍ×１ｃｍ＝２ｃｍ２）または２２ｃｍ２である。平面壁１２３０のうちの１つに接触する側部の表面積は、１ｃｍ×５ｃｍまたは５ｃｍ２である。第１の端部１２０６および第２の端部１２１２の穴部１２０８および１２１４それぞれのサイズおよび寸法が、芳香媒体１２３４の各端部の表面積の１００パーセントが各チャンバ１２３２内に流れる空気に晒されるようなサイおよび寸法である場合、チャンバ１２３２のうちの１つを通って流れる空気に晒される各芳香媒体１２３４の表面積は、３つの側部表面積（すなわち、３×１ｃｍ×５ｃｍ＝１５ｃｍ２）プラス２つの端部の表面積（すなわち、２×１ｃｍ×１ｃｍ＝２ｃｍ２）または１７ｃｍ２である。よって、各芳香媒体１２３４の約７２％（すなわち、１７ｃｍ２／２２ｃｍ２）は、チャンバ１２３２のうち１つを通過する空気へ晒される。
【００８８】
図１３Ｆは、芳香媒体１２３４と、チャンバ１２３２を画定する壁それぞれの内面との間に隙間１２４０が設けられるように、チャンバ１２３２のうち４つの中に星形の芳香媒体１２３４が設けられた例を示す。第１の端部１２０６および第２の端部１２１２の穴部１２０８および１２１４それぞれのサイズおよび寸法が芳香媒体１２３４の各端部の表面積の１００パーセントがチャンバ１２３２内に流れる空気に晒されるようなサイズおよび寸法であると仮定した場合、各芳香媒体１２３４の表面積の１００パーセントが、チャンバ１２３２の１つのを通って流れる空気に晒される。
【００８９】
図１３Ａ〜図１３Ｆに示す芳香媒体１２３４の例示的な断面形状および位置は例示的なものであり、非限定的なものである。芳香媒体１２３４の断面形状は、多様な形状（例えば、円形、四角形、矩形、三角形、楕円形、楔形、星形）をとり得る。さらに、芳香媒体１２３４とチャンバ１２３２の１つの少なくとも１つの壁の内面との間に隙間１２４０が設けられるように各芳香媒体１２３４が配置され得、ここで、隙間１２４０は、ハウジング１２０２の長さに沿って延びる。
【００９０】
図１４Ａは、１つの例示される実施形態による、芳香カートリッジ１４００の上部の等角図である。図１４Ｂは、芳香カートリッジ１４００の上部の分解図である。芳香カートリッジ１４００は、図１２Ａ〜図１２Ｃに示す芳香カートリッジ１２００に類似する。芳香カートリッジ１４００は、４つの楔形穴部１４０４と、穴部１４０４のうち２つの間に設けられたシール部１４０６とを有する端部１４０２を含む。シール部１４０６の表面積は、穴部１４０４それぞれの表面積未満であってもよいし、穴部１４０４それぞれの表面積を越えてもよいし、あるいは穴部１４０４それぞれの表面積に等しくてもよい。
【００９１】
芳香カートリッジ１４００はまた、１つ以上の気密シール膜１４０８を含む。気密シール膜１４０８は、スズ箔、アルミ箔、または例えばその合金から形成された箔から形成され得る。気密シール膜１４０８は、主要部１４１０と、タブ１４１２と、主要部１４１０の上面上に形成された内容インジケータ１４１４とを含む。
【００９２】
内容インジケータ１４１４は、芳香カートリッジ１４００のチャンバそれぞれに含まれる特定の芳香、アロマまたは他のアイテムを示す画像、文字列および／またはコンピュータ可読構造（例えば、バーコードまたはＲＦＩＤタグ）を含み得る。例えば、内容インジケータ１４１４は、第１の指定チャンバが第１の芳香（例えば、ヘーゼルナッツコーヒーの芳香）を有する粒子を含むことと、第２の指定チャンバが第２の芳香（例えば、エスプレッソの芳香）を有する粒子を含むことと、第３の指定チャンバが第３の芳香（例えば、コナコーヒーの芳香）を有する粒子を含むことと、第４の指定チャンバが香りを中和させる粒子（例えば、重曹）を含むことと、第５の指定チャンバが空であることとを示し得る。一実施形態において、内容インジケータ１４１４は、カートリッジ１４００のハウジング上に設けられる。
【００９３】
図１４Ｃは、気密シール膜１４０８の底面図である。感圧接着剤１４１６が、気密シール膜１４０８の下面の周辺部の周りに設けられる。気密シール膜１４０８を第１の端部１４０２の上方に配置し、感圧接着剤１４１６が第１の端部１４０２の上面と接触するまで、第１の端部１４０２に向かって前進させることができる。主要部１４１０が密封部を穴部１４０４の周囲に形成し、（芳香カートリッジ１４００のチャンバ内に含まれる芳香媒体の劣化の原因になり得る）空気および水分の穴部１４０４からの流出を回避するように、圧力が気密シール膜１４０８の主要部１４１０の上面へ付加され得る。カートリッジ１４００の使用前に気密シール膜１４０８を第１の端部１４０２から取り外すことができ、カートリッジ１４００の使用後には、カートリッジ１４００を第１の端部１４０２へ再度取り付けることで、内部の芳香媒体を保護することができる。カートリッジ１４００はまた、図１２Ｃに示す第２の端部１２１２に類似するカートリッジ１４００の第２の端部へ取り付けることが可能な第２の気密シール膜１４０８を含み得る。
【００９４】
図１５Ａは、１つの例示される実施形態によるパウチ１５００の分解図である。パウチ１５００は、１つ以上の側部１５０２を含む。一実施形態において、パウチ１５００は、空気および水分を通過させない塑性材料で形成された２つの側部１５０２を含む。１つ以上の芳香カートリッジ（例えば、カートリッジ１２００）は、側部１５０２の間に配置され、気密かつ防水のパウチをカートリッジの周囲に形成するように、側部１５０２の対応する縁部が溶接され、これにより、カートリッジの使用前のカートリッジの内容物を保護することができる。一実施形態において、１つ以上の芳香カートリッジの周囲に折りたたまれた１つの側部１５０２が提供され、気密かつ防水のパウチをカートリッジ周囲に形成するように、側部１５０２の対応する縁部が溶接される。一実施形態において、パウチ１５００は、パウチ１５００の密封後にパウチ１５００中に含まれ得る水分を吸収することが可能な乾燥剤（例えば、酸化カルシウムまたはシリカゲル）を含む。
【００９５】
図１５Ｂは、１つの例示される実施形態による、芳香カートリッジブリスターパック１５０４の分解図である。ブリスターパック１５０４は、支持基板１５０６およびブリスター基板１５０８を含む。ブリスター基板１５０８は、境界部１５０８ａと、ブリスター基板１５０８の第１の表面から外方に延びる１つ以上の区画１５０８ｂとを含む。芳香カートリッジが区画１５０８ｂそれぞれの内部に配置された後、ブリスター基板１５０８の第１の表面の反対側の第２の表面上の境界部１５０８ａへ接着剤を塗布し、支持基板１５０６を境界部１５０８ａ上の接着剤と接触させる。支持基板１５０６は、区画１５０８ｂそれぞれを密封することにより、内部に密封されたカートリッジ内容物を外気および水分から保護する。一実施形態において、区画１５０８ｂはそれぞれ、区画１５０８ｂの密封後に区画１５０８ｂ中に含まれ得る水分を吸収することが可能な乾燥剤（例えば、酸化カルシウムまたはシリカゲル）を含む。
【００９６】
図１６は、１つの例示される実施形態による、芳香吐出システム１６００のネットワーク図である。芳香吐出システム１６００は、芳香吐出装置１６０２と、第１のモバイル装置１６０４と、サーバ１６０６と、第２のモバイル装置１６０８とを含む。１つ以上の通信ネットワーク１６１０は、第１のモバイル装置１６０４、サーバ１６０６および第２のモバイル装置１６０８間の通信経路を提供する。芳香吐出装置１６０２および第１のモバイル装置１６０４は、有線または無線通信を介して通信する。一実施形態において、芳香吐出装置１６０２および第１のモバイル装置１６０４は、Ｂｌｕｅｔｏｏｔｈ（登録商標）通信を介して通信する。
【００９７】
以下に述べるように、第１のモバイル装置１６０４、サーバ１６０６および／または第２のモバイル装置１６０８は、プロセッサによって実行されたときに１つ以上のメッセージ１６１２を生成するコンピュータが実行可能なコードを含み得る。各メッセージ１６１２は、文字列部１６１４、芳香部１６１６、音声部１６１８および／または映像部１６２０を含み得る。第１のモバイル装置１６０４は、コンピュータが実行可能な命令を含むソフトウェアアプリケーションを保存する。これらの命令がプロセッサによって実行されると、第１のモバイル装置１６０４はメッセージ１６１２を処理する。例えば、メッセージ１６１２のうち１つ以上が１つ以上のアプリケーション（例えば、電子メールアプリケーションおよび／またはソーシャルメディアアプリケーション（例えば、ＴｗｉｔｔｅｒまたはＦａｃｅｂｏｏｋ））を介して受信されると、第１のモバイル装置１６０４は、このような命令を実行開始し得る。
【００９８】
メッセージ１６１２のうち１つ以上が受信されると、ソフトウェアアプリケーションは、例えば、プロセッサに命令して第１のモバイル装置１６０４の表示装置（例えば、タッチスクリーン）に文字列部１６１４を表示させ得る。文字列部１６１４は、メッセージ１６１２の芳香部１６１６、音声部１６１８および／または映像部１６２０の記述を含み得る。第１のモバイル装置１６０４のユーザは、入力装置（例えば、キーパッドまたはタッチスクリーン）を用いて、メッセージ１６１２または関連メッセージ１６１２のシーケンスをさらに処理すべきかを示し得る。プロセッサは、メッセージ（単数または複数）１６１２をさらに処理すべき指示を受信すると、第１のモバイル装置１６０４に芳香部１６１６に対応する情報を芳香吐出装置１６０２へ送信させ得る。プロセッサはまた、スピーカーに音声部１６１８に対応する１つ以上の音（単数または複数）を生成させ、および／または、表示装置に映像部１６２０に対応する１つ以上の画像（単数または複数）を表示させ得る。
【００９９】
さらに、１つ以上のソフトウェアアプリケーションは、芳香カートリッジ（例えば、芳香カートリッジ９００、１２００または１４００）の内容についての情報を収集するためのコンピュータが実行可能な命令を含み得る。例えば、ソフトウェアアプリケーションは、１つ以上の芳香カートリッジが芳香吐出装置１６０２内にロードされつつあるかロードされたことをユーザが示し得るようにできる。これに応答して、ソフトウェアアプリケーションは、プロセッサに命令して、第１のモバイル装置１６０４の表示装置（例えば、タッチスクリーン）に芳香吐出装置１６０２にロードされたかまたはロードされつつある各カートリッジについての情報を入力するようユーザを促すための一連のプロンプトを表示させる。このような情報は、芳香吐出装置１６０２内の特定の位置（例えば、芳香カートリッジホルダ１０１２の特定の芳香カートリッジレセプタクル１０１２ｂ）についての情報と、各芳香チャンバの内容（例えば、各芳香チャンバ１２３２の識別子およびその内容の識別子）についての情報とを含み得る。例えば、第１の事前規定されたチャンバは第１の芳香を含み、第２の事前規定されたチャンバは第２の芳香を含み、第３の事前規定されたチャンバは第３の芳香を含み、第４の事前規定されたチャンバは香り中和剤（例えば、重曹）を含み、第５の事前規定されたチャンバは空であるとして、ユーザは、右前方の芳香カートリッジレセプタクル１０１２ｂが５個のチャンバを含む芳香カートリッジにロードされたことを示すことでプロンプトに応答し得る。
【０１００】
追加的にまたは代替的に、ソフトウェアアプリケーションは、第１のモバイル装置１６０４の表示装置に、ユーザに芳香カートリッジと共に含まれるバーコードを第１のモバイル装置のカメラ内またはその視野内に配置せよとのメッセージを表示させ得る。その後、ソフトウェアアプリケーションは、プロセッサに命令して、カメラに画像の撮影および対応する画像データの処理を行わせて、カートリッジ内容に関する情報を取得し得る。この場合、ユーザは、カートリッジが配置されつつあるかまたは配置された芳香吐出装置１６０２内の特定の位置（例えば、芳香カートリッジホルダ１０１２の特定の芳香カートリッジレセプタクル１０１２ｂ）についての情報を単に入力し得る。ソフトウェアアプリケーションがプロセッサに芳香吐出装置１６０２内にロードされたカートリッジの内容および位置についての情報を第１のモバイル装置１６０４のメモリへ保存させた後、アプリケーションは、メッセージ１６１２を処理することができる。
【０１０１】
図１７Ａ〜図１７Ｆは、１つの例示される実施形態による、コンピューティング装置１７００の模式図の多様な部分を示す。コンピューティング装置１７００は、図１６に示す芳香吐出装置１６０２を実行するために用いられ得る。コンピューティング装置１７００は、マイクロコントローラ１７０２、４つのステッパーモータ１７０４ａ〜１７０４ｄ（１７０４と総称）、スライドポテンショメータ１７０６、ファン１７０８およびＢｌｕｅｔｏｏｔｈ（登録商標）通信モジュール１７１０を含む。一実施形態において、マイクロコントローラ１７０２は、モデルＡＴＭＥＧＡ２５６０Ｖマイクロコントローラ（Ａｔｍｅｌ  Ｃｏｒｐｏｒａｔｉｏｎ）である。コンピューティング装置１７００はまた、回路１７１２、１７１４、１７１６、１７１８、１７２０、１７２２、１７２４、１７２６および１７２８を含み、これらは、多様な機能（例えば、電源調整、バッテリー充電、バッテリーレベル監視、電力分配、バイアス要素および処理ＵＳＢ通信）を行う。さらに、コンピューティング装置１７００は、１つ以上の芳香カートリッジの１つ以上の向き／位置を決定するためにマイクロコントローラ１７０２が処理することが可能な画像データを提供し得る４つのセンサー１７３０ａ〜１７３０ｄ（例えば、カメラ）を含み得る。
【０１０２】
図１８は、１つの例示される実施形態によるコンピュータシステム１８００のブロック図である。コンピュータシステム１８００は、図１６に示す第１のモバイル装置１６０４および／または第２のモバイル装置１６０８を実行するために用いられ得る。コンピュータシステム１８００は、芳香メッセージ（例えば、メッセージ１６１２）の生成および処理の容易化に適している。コンピュータシステム１８００は、１つ以上の処理ユニット１８１２ａおよび１８１２ｂ（処理ユニット１８１２と総称）と、システムメモリ１８１４と、システムメモリ１８１４を含む多様なシステム構成要素を処理ユニット１８１２へ接続させるシステムバス１８１６とを含み得る。処理ユニット１８１２は、例えば、１つ以上の中央処理装置（ＣＰＵ）１８１２ａ、デジタル信号プロセッサ（ＤＳＰ）１８１２ｂ、特定用途向け集積回路（ＡＳＩＣ）、フィールドプログラマブルゲートアレイ（ＦＰＧＡ）などの任意の論理処理ユニットであり得る。システムバス１８１６は、例えば、メモリコントローラを備えたメモリバス、周辺バスおよびローカルバスを含む任意の公知のバス構造またはアーキテクチャを採用し得る。システムメモリ１８１４は、リードオンリーメモリ（ＲＯＭ）１８１８、ランダムアクセスメモリ（ＲＡＭ）１８２２、およびフラッシュメモリ１８２４を含む。ＲＯＭ１８１８の一部を形成し得る基本入力／出力システム（ＢＩＯＳ）１８２０は、例えば、起動時にコンピュータシステム１８００内の要素間の情報の転送を支援する基本ルーチンを含む。
【０１０３】
コンピュータシステム１８００はまた、例えば、他の任意の無線／有線インターフェースをサポートするインターフェース１８５０及びネットワークインターフェース１８６０などの複数のインターフェースを含み得る。コンピュータ可読記憶媒体は、処理ユニット１８１２ａがアクセスすることが可能な情報を保存するために用いられ得る。例えば、このようなコンピュータ可読記憶媒体を非限定的に挙げると、ランダムアクセスメモリ（ＲＡＭ）、リードオンリーメモリ（ＲＯＭ）、電気的消却・プログラム可能型読取専用メモリ（ＥＥＰＲＯＭ）、フラッシュメモリ、または他の固体メモリまたは他の任意の媒体がある。
【０１０４】
プログラムモジュールは、例えば、オペレーティングシステム１８３６、１つ以上のアプリケーションプログラム１８３８、他のプログラムまたはモジュール１８４０、およびプログラムデータ１８４２などのようにシステムメモリ１８１４内に保存され得る。アプリケーションプログラム１８３８は、プロセッサユニット（単数または複数）１８１２に芳香メッセージおよび芳香情報の生成、処理および／または受信を行わせるための命令を含み得る。他のプログラムモジュール１８４０は、セキュリティ（例えば、パスワードまたは他のアクセス保護および通信暗号化）を取り扱う命令を含み得る。システムメモリ１８１４は、通信プログラム（例えば、コンピュータシステム１８００によるソース（例えば、インターネットのウェブサイト、企業イントラネット、エクストラネット、または本明細書中に記載のような他のネットワークおよび装置、ならびにサーバコンピューティングシステム上の他のサーバアプリケーション）へのアクセスおよび当該ソースとのデータ交換を可能にするウェブクライアントまたはブラウザ１８４４）も含み得る。記載の実施形態中のブラウザ１８４４は、マークアップ言語（例えば、ハイパーテキストマークアップ言語（ＨＴＭＬ）、拡張可能マークアップ言語（ＸＭＬ）または無線マークアップ言語（ＷＭＬ））ベースであり、文書構造を表すために文書データに付加された構文的に区切られた文字を用いたマークアップ言語と共に動作する。複数のウェブクライアントまたはブラウザが市販されている（例えば、Ｍｏｚｉｌｌａ、Ｇｏｏｇｌｅ、およびＭｉｃｒｏｓｏｆｔからのもの）。
【０１０５】
オペレータは、入力装置（例えば、タッチスクリーン１８５２）を通じてかつ／またはグラフィカルユーザインターフェースを介してコマンドおよび情報をコンピュータシステム１８００中へ入力し得る。他の入力装置を挙げると、マイクロフォン、ポインティング装置などがある。これらおよび他の入力装置（例えば、カメラユニット１８５６）が、例えば、システムバス１８１６へ接続するシリアルポートインターフェースなどのインターフェース１８５０を通じて処理ユニット１８１２のうち１つ以上へ接続されるが、他のインターフェース（例えば、パラレルポート、ゲームポートまたは無線インターフェースまたはユニバーサルシリアルバス（ＵＳＢ））も使用可能である。タッチスクリーン装置１８５２または他の表示装置は、映像インターフェース１８５４（例えば、映像アダプタ）を介してシステムバス１８１６へ接続される。
【０１０６】
コンピュータシステム１８００は、図１６を参照して上述したように、１つ以上のリモートコンピュータおよび／または装置への論理接続を用いてネットワーク環境において動作することができる。例えば、コンピュータシステム１８００は、１つ以上のモバイル装置、固定電話および他のサービスプロバイダまたは情報サーバへの論理接続を用いて、ネットワーク環境において動作することができる。通信は、有線および／または無線ネットワークアーキテクチャ（例えば、有線および無線企業規模コンピュータネットワーク、イントラネット、エクストラネット、電気通信ネットワーク、セルラーネットワーク、ページングネットワークおよび他のモバイルネットワーク）を介し得る。
【０１０７】
図１９は、１つの例示される実施形態による例示的コンピュータシステム１９００を示す。コンピュータシステム１９００は、図１６に示すサーバ１６０６を実行するために用いられ得る。コンピュータシステム１９００は、本明細書中においては単数のものとして記載する場合があるが、これは、実施形態を単一装置に限定するものではない。なぜならば、典型的な実施形態において、関与するコンピュータシステムまたは装置が複数であり得るからである。他に明記無き限り、図１９に示す多様なブロックの構造および動作は、従来の設計である。その結果、このようなブロックは、当業者にとって理解されるため、本明細書中においてさらに詳述する必要はない。
【０１０８】
コンピュータシステム１９００は、１つ以上の処理ユニット１９１２ａ、１９１２ｂ（１９１２と総称）と、システムメモリ１９１４と、システムメモリ１９１４を含む多様なシステム構成要素を処理ユニット１９１２へ接続させるシステムバス１９１６とを含み得る。処理ユニット１９１２は、任意の論理処理ユニットであり得る（例えば、１つ以上の中央処理装置（ＣＰＵ）１９１２ａ、デジタル信号プロセッサ（ＤＳＰ）１９１２ｂ、特定用途向け集積回路（ＡＳＩＣ）、フィールドプログラマブルゲートアレイ（ＦＰＧＡ））。システムバス１９１６は、例えば、メモリコントローラを備えたメモリバス、周辺バスおよびローカルバスを含む任意の公知のバス構造またはアーキテクチャを用い得る。システムメモリ１９１４は、リードオンリーメモリ（ＲＯＭ）１９１８およびランダムアクセスメモリ（ＲＡＭ）１９２２を含む。ＲＯＭ１９１８の一部を形成し得る基本入力／出力システム（ＢＩＯＳ）１９２０は、起動時などにコンピュータシステム１９００内の要素間の情報の転送を支援する基本ルーチンを含む。
【０１０９】
コンピュータシステム１９００はまた、例えば、モデム１９６２または他の任意の無線／有線インターフェースを支援するネットワークインターフェース１９６０およびインターフェース１９５０などの複数のインターフェースを含み得る。
【０１１０】
コンピュータシステム１９００は、ハードディスク１９２６からの読み出しおよびハードディスク１９２６への書き込みのためのハードディスクドライブ１９２４、取り外し可能な光ディスク装置１９３２からの読み出しおよび取り外し可能な光ディスク装置１９３２への書き込みのための光ディスク装置ドライブ１９２８、および／または磁気ディスク１９３４からの読み出しおよび磁気ディスク１９３４への書き込みのための磁気ディスクドライブ１９３０を含み得る。光ディスク装置１９３２はＣＤ−ＲＯＭであり得、磁気ディスク１９３４は、磁気フロッピーディスクまたはディスケットであり得る。ハードディスクドライブ１９２４、光ディスク装置ドライブ１９２８および磁気ディスクドライブ１９３０は、システムバス１９１６を介して処理ユニット１９１２と通信し得る。ハードディスクドライブ１９２４、光ディスク装置ドライブ１９２８および磁気ディスクドライブ１９３０は、当業者に公知のように、このようなドライブとシステムバス１９１６との間に接続されたインターフェースまたはコントローラ（図示せず）を含み得る。ドライブ１９２４、１９２８および１９３０と、その関連付けられたコンピュータ可読記憶媒体１９２６、１９３２および１９３４とは、コンピュータ可読命令、データ構造、プログラムモジュールおよびコンピュータシステム１９００のための他のデータの不揮発性かつ非一時的な保存を提供し得る。
【０１１１】
記載のコンピュータシステム１９００はハードディスクドライブ１９２４、光ディスク装置ドライブ１９２８および磁気ディスクドライブ１９３０を用いたものとして例示しているが、当業者であれば、コンピュータからのアクセスが可能なデータを保存することが可能な他の種類のコンピュータ可読記憶媒体が利用可能である（例えば、磁気カセット、フラッシュメモリ、ベルヌーイカートリッジ、ＲＡＭ、ＲＯＭ、スマートカード）ことを理解する。例えば、コンピュータ可読記憶媒体を非限定的に挙げると、ランダムアクセスメモリ（ＲＡＭ）、リードオンリーメモリ（ＲＯＭ）、電気的消却・プログラム可能型読取専用メモリ（ＥＥＰＲＯＭ）、フラッシュメモリ、コンパクトディスクＲＯＭ（ＣＤ−ＲＯＭ）、デジタル多用途ディスク（ＤＶＤ）または他の光ディスク記憶装置、磁気カセット、磁気テープ、磁気ディスク記憶装置または他の磁気記憶装置、固体メモリ、または所望の情報の保存に用いられ得かつ処理ユニット１９１２ａからのアクセスが可能な他の任意の媒体がある。
【０１１２】
プログラムモジュールは、例えば、オペレーティングシステム１９３６、１つ以上のアプリケーションプログラム１９３８、他のプログラムまたはモジュール１９４０、およびプログラムデータ１９４２などのシステムメモリ１９１４中に保存され得る。アプリケーションプログラム１９３８は、プロセッサ（単数または複数）１９１２に芳香メッセージ１６１２および芳香情報の生成、処理、送信および／または受信を行わせるための命令を含み得る。他のプログラムモジュール１９４０は、パスワードまたは他のアクセス保護および通信暗号化などのセキュリティを取り扱うための命令を含み得る。システムメモリ１９１４はまた、例えば、コンピュータシステム１９００に、インターネットのウェブブラウザ、企業イントラネット、エクストラネット、または本明細書中に記載のような他のネットワークおよび装置、ならびにサーバコンピューティングシステム上の他のサーバアプリケーションによるアクセスとこれらとのデータ交換とを可能にするウェブサーバ１９４４などの通信プログラムを含み得る。記載の実施形態中のウェブサーバ１９４４は、マークアップ言語に基づいたもの（例えば、ハイパーテキストマークアップ言語（ＨＴＭＬ）、拡張可能マークアップ言語（ＸＭＬ）又は無線マークアップ言語（ＷＭＬ））であり、文書構造を表すために文書データへ付加された構文的に区切られた文字を用いたマークアップ言語と共に動作する。複数のウェブクライアントまたはブラウザが市販されている（例えば、Ｍｏｚｉｌｌａ、Ｇｏｏｇｌｅ、およびＭｉｃｒｏｓｏｆｔからのもの）。
【０１１３】
図１９中においてはシステムメモリ１９１４中に保存されているものとして図示されているが、オペレーティングシステム１９３６、アプリケーションプログラム１９３８、他のプログラム／モジュール１９４０、プログラムデータ１９４２およびサーバ１９４４は、ハードディスクドライブ１９２４のハードディスク１９２６、光ディスク装置ドライブ１９２８の光ディスク装置１９３２および／または磁気ディスクドライブ１９３０の磁気ディスク１９３４に保存され得る。
【０１１４】
オペレータは、入力装置（例えば、キーボード１９４６）および／またはポインティング装置（例えば、マウス１９４８）を通じておよび／またはグラフィカルユーザインターフェースを介してコマンドおよび情報をコンピュータシステム１９００へ入力することができる。他の入力装置を挙げると、マイクロフォン、ジョイスティック、ゲームパッド、タブレット、スキャナーなどがある。これらの入力装置および他の入力装置は、システムバス１９１６へ接続するシリアルポートインターフェースなどのインターフェース１９５０を通じて１つ以上の処理ユニット１９１２へ接続されるが、パラレルポート、ゲームポートまたは無線インターフェースまたはユニバーサルシリアルバス（ＵＳＢ）などの他のインターフェースも利用可能である。モニター１９５２または他の表示装置は、映像アダプタなどの映像インターフェース１９５４を介してシステムバス１９１６へ接続される。コンピュータシステム１９００は、他の装置（例えば、スピーカー、プリンター）を含み得る。
【０１１５】
コンピュータシステム１９００は、図１６を参照して上記したような１つ以上のリモートコンピュータおよび／または装置への論理接続を用いて、ネットワーク環境において動作し得る。例えば、コンピュータシステム１９００は、１つ以上のモバイル装置、固定電話および他のサービスプロバイダまたは情報サーバへの論理接続を用いて、ネットワーク環境において動作し得る。通信は、有線および無線の企業規模コンピュータネットワーク、イントラネット、エクストラネット、電気通信ネットワーク、セルラーネットワーク、ページングネットワーク、および他のモバイルネットワークなどの有線および／または無線ネットワークアーキテクチャを介し得る。
【０１１６】
本明細書中に記載の多様な技術は、ハードウェア、ソフトウェアおよび／またはファームウェアあるいは適切な場合はこれらの組み合わせとの接続において実行可能であることが理解されるべきである。よって、本開示の方法および装置またはその特定の側面または部分は、有形的媒体（例えば、フロッピーディスケット、ＣＤ−ＲＯＭ、ＤＶＤ、ハードドライブ、フラッシュドライブ）あるいは他の任意の機械可読またはプロセッサ可読記憶媒体中に具現化されたプログラムコード（すなわち、命令）の形態をとることができ、ここで、プログラムコードが機器（例えば、コンピュータまたはモバイル装置のプロセッサ）中へロードされ当該機器によって実行された場合、当該機器が多様な実施形態を実行する装置となる。プログラマブルコンピュータまたはモバイル装置上でのプログラムコード実行の場合、このようなものは、プロセッサ、プロセッサが読み出すことが可能な記憶媒体（揮発性および不揮発性メモリおよび／または記憶要素を含む）、少なくとも１つの入力装置、および少なくとも１つの出力装置を通常含む。１つ以上のプログラムは、本開示に関連して述べるプロセスを、例えばＡＰＩの使用、再利用可能な制御などを通じて実行または利用し得る。このようなプログラムは好適には図１９に示すコンピュータシステム１９００などのコンピュータシステムと通信するために、高レベルの手続き型またはオブジェクト指向型のプログラミング言語で実行される。しかし、所望であれば、プログラム（単数または複数）は、アセンブリまたは機械語で実行され得る。いずれの場合も、言語は、コンパイル型言語またはインタープリタ型言語であり得、ハードウェアインプリメンテーションと組み合わされ得る。
【０１１７】
図２０は、１つの例示される実施形態による、芳香シーケンス指定ユーザインターフェース２０００のブロック図である。芳香シーケンス指定ユーザインターフェース２０００は、サーバ１６０６によって提供され得る。例えば、サーバ１６０６は、芳香シーケンス指定ユーザインターフェース２０００に対応するＨＴＭＬでフォーマットされた情報を第２のモバイル装置１６０８へ提供し得る。第２のモバイル装置１６０８がこの情報を受信すると、装置のプロセッサ（例えば、処理ユニット１８１２ａ）は、表示装置（例えば、タッチスクリーン１８５２）に芳香シーケンス指定ユーザインターフェース２０００を表示させる。ユーザが（例えばタッチスクリーン１８５２を介して）アイコンを選択するかまたは文字列を入力すると、第２のモバイル装置１６０８のプロセッサは、対応する情報をネットワーク１６１０を介してサーバ１６０６へ送信させる。以下に述べるように、サーバ１６０６のプロセッサ（例えば、処理ユニット１９１２ａ）は、第１のモバイル装置１６０４および／または第２のモバイル装置１６０８からの情報の受信に応答して、所定の命令（例えば、アプリケーションプログラム１９３８中に保存されているもの）を実行する。
【０１１８】
芳香シーケンス指定ユーザインターフェース２０００は、４つのカテゴリーの芳香２００４ａ〜２００４ｄを含む芳香パレット２００２を含む。第１のカテゴリーの芳香２００４ａは、４つの異なるコーヒー芳香を含む。第２のカテゴリーの芳香２００４ｂは、４つの異なるチョコレート芳香を含む。第３のカテゴリーの芳香２００４ｃは、４つの異なるキャラメル芳香を含む。第４のカテゴリーの芳香２００４ｄは、４つの異なるナッツ芳香を含む。これらのカテゴリーの芳香２００４ａ〜２００４ｄは、２０個の選択可能なアイコン２００６を含み、アイコン２００６はそれぞれ、特定の芳香（または芳香の不在）を示す。例えば、選択可能なアイコン２００６のうち１つ以上は、特定の芳香を表す文字列、記号および／または画像を含み得る。
【０１１９】
芳香シーケンス指定ユーザインターフェース２０００はまた、二次元アレイの芳香指定フィールド２００８を含む。芳香指定フィールド２００８のアレイは、１６個の文字列入力ボックス２０１０を含む。文字列入力ボックス２０１０は、第１の軸２０１２と、第１の軸２０１２に垂直な第２の軸２０１４とに沿って配置される。芳香指定フィールド２００８のアレイの第１の軸２０１２に沿った芳香指定フィールドフィールド（例えば、文字列入力ボックス２０１０）の配分は、時間的なシーケンス内の位置を示す。例えば、芳香指定フィールド２００８のアレイの上列中の文字列入力ボックス２０１０を介して指定された芳香は、芳香指定フィールド２００８のアレイの下列中の文字列入力ボックス２０１０を介して指定された芳香の前に生成され得る。芳香指定フィールド２００８のアレイの第２の軸２０１４に沿った芳香指定フィールド（例えば、文字列入力ボックス２０１０）の配分は、時間的シーケンスの各位置において吐出されるべき１つ以上の芳香を示す。例えば、芳香指定フィールド２００８のアレイの第１の列中の文字列入力ボックス２０１０を介して指定された芳香が第１の時点に生成され得、芳香指定フィールド２００８のアレイの第２の列中の文字列入力ボックス２０１０を介して指定された芳香が第２の時点に生成され得るといった具合である。すなわち、芳香指定フィールド２００８のアレイの各列中の文字列入力ボックス２０１０を介して指定された芳香は、当該列中の入力ボックス２０１０を介して指定された芳香の混合及び／又は組み合わせである複合芳香を示し得る。さらに、芳香指定フィールド２００８のアレイの４つの例示列中の文字列入力ボックス２０１０を介して指定された芳香は、４つのこのような複合芳香の順序を示し得る。
【０１２０】
選択可能な各アイコン２００６が選択されると、サーバ１６０６は、文字列入力ボックス２０１０のうちの１つに対応する文字列を表示させる。例えば、第２のモバイル装置１６０８のユーザが「コーヒー１」と付された選択可能なアイコン２００６を選択すると、第２のモバイル装置１６０８は、選択可能なアイコン２００６が選択された旨を示す情報をサーバ１６０６へ送り、これに応答して、サーバ１６０６は、第１のカテゴリーの芳香２００４ａの下側の上文字列入力ボックス２０１０に「コーヒー１」と表示させる。芳香シーケンス指定ユーザインターフェース２０００はまた、文字列入力ボックス２０１６、文字列入力ボックス２０１８、文字列入力ボックス２０２０、および提出ボタン２０２２を含む。
【０１２１】
サーバ１６０６は、初めに芳香指定フィールド２００８の二次元アレイの第１の列（例えば、上列）中の文字列入力ボックス２０１０を入力（ポピュレート）可能にし、次に第２の列中の芳香指定フィールド２００８をポピュレート可能にしするといった具体に続き得る。芳香シーケンス指定ユーザインターフェース２０００は、命令を表示する表示領域（図示せず）を含み得る。これらの命令は、４つまでの芳香メッセージを生成するために芳香シーケンス指定ユーザインターフェース２０００を用いることが可能であることを示すことが考えられ、これらの芳香メッセージはそれぞれ、ユーザが指定した４つまでの芳香の組み合わせを指定する。これらの命令は、文字列入力ボックス２０１６へ文字列を入力することにより芳香メッセージと関連付けられるべきテーマまたは名称を指定することが可能である旨と、文字列入力ボックス２０１８へ文字列を入力することにより芳香メッセージと関連付けられるべき送信者を指定することが可能である旨と、文字列（例えば、ｅメールアドレス）を文字列入力ボックス２０２０へ入力することにより芳香メッセージの受信者を指定することが可能である旨と、を示し得る。
【０１２２】
例えば、第２のモバイル装置１６０８のユーザは、初めに「コーヒー１」、「チョコレート１」、「キャラメル１」および「ナッツ１」とそれぞれ付された選択可能なアイコン２００６を選択することができ、その結果、サーバ１６０６は、芳香指定フィールド２００８のアレイの第１の列の文字列入力ボックス２０１０に選択された選択可能なアイコン２００６のラベルに対応する文字列をポピュレートする。その後、ユーザは、「コーヒー２」、「チョコレート２」および「キャラメル２」および「ナッツ２」とそれぞれ付された選択可能なアイコン２００６を選択することができ、その結果、サーバ１６０６は、芳香指定フィールド２００８のアレイの第２の列の文字列入力ボックス２０１０に選択された選択可能なアイコン２００６のラベルに対応する文字列をポピュレートする。その後、ユーザは、「コーヒー３」、「チョコレート３」および「キャラメル３」および「無し」とそれぞれ付された選択可能なアイコン２００６を選択することができ、その結果、サーバ１６０６は、芳香指定フィールド２００８のアレイの第３の列の文字列入力ボックス２０１０に選択された選択可能なアイコン２００６のラベルに対応する文字列をポピュレートする。その後、ユーザは、「コーヒー４」、「無し」、「キャラメル１」および「無し」とそれぞれ付された選択可能なアイコン２００６を選択することができ、その結果、サーバ１６０６は、芳香指定フィールド２００８のアレイの第４の列の文字列入力ボックス２０１０に選択された選択可能なアイコン２００６のラベルに対応する文字列をポピュレートする。その後、ユーザは、選択された芳香組み合わせと関連付けられるべき名称または記載を文字列入力ボックス２０１６中に入力し得る。ユーザは、自身の名前を文字列入力ボックス２０１８に入力し、意図される受信者のｅメールアドレスを文字列入力ボックス２０２０へ入力した後、提出ボタン２０２２を選択し得る。
【０１２３】
これに応答して、サーバ１６０６は、４つの芳香メッセージ１６１２のシーケンスを含む芳香指定ファイルを生成し、これらはそれぞれ、芳香指定フィールド２００８のアレイの列のうちの１つに指定された芳香のインジケータを含む。サーバ１６０６はまた、ｅメールメッセージを生成し、芳香指定ファイルをこのｅメールメッセージへ添付し、文字列入力ボックス２０２０中に入力されたｅメールアドレスを用いてこのｅメールメッセージを送信する。サーバ１６０６はまた、デフォルトまたはユーザが指定した継続時間を（例えば秒単位で）各芳香メッセージについて含み得る。例えば、芳香生成ファイルは、以下の表１に示す情報に対応する情報を含み得る。
【表１】
2017502793.tif 000003
【０１２４】
サーバ１６０６からのｅメールメッセージが第１のモバイル装置１６０４において受信されると、ユーザは、メッセージを開封し、添付ファイルを選択し、その結果、第１のモバイル装置１６０４のプロセッサ（例えば、処理ユニット１８１２ａ）は、芳香生成ファイルを処理するためのアプリケーションを実行する。このアプリケーションは、プロセッサにユーザインターフェースをタッチスクリーン上（例えば、タッチスクリーン１８５２上）に表示させ得る。例えば、アプリケーションは、プロセッサに命令して、芳香メッセージの名称またはテーマ（例えば、文字列入力ボックス２０１６へ入力された文字列）、メッセージの送信元（例えば、文字列入力ボックス２０１８へ入力された文字列）を示すメッセージを示すユーザインターフェースを表示させ得る。さらに、表示されたメッセージは、芳香生成ファイル中に指定された芳香に必要な時間の長さを示し得る。例えば、プロセッサは、各芳香メッセージ中に指定された継続時間を加算し、その結果得られた合計をメッセージ内に表示させ得る。ユーザインターフェースはまた、例えば「コンティニュー」および「キャンセル」と付された選択可能なアイコンを含み得る。表示されたメッセージは、芳香メッセージの処理を続けるための「コンティニュー」アイコンをユーザが選択することが可能である旨を示し、また、芳香メッセージの処理をキャンセルするために「キャンセル」アイコンをユーザがいつでも選択することが可能である旨を示し得る。
【０１２５】
芳香シーケンス指定ユーザインターフェース２０００は、上記以外の芳香２００４ａ〜２００４ｄのカテゴリーを含み得る。例えば、芳香シーケンス指定ユーザインターフェース２０００中に含まれる芳香は、異なる花に対応する場合があり、芳香シーケンス指定ユーザインターフェース２０００は、異なる花束を表す芳香の組み合わせおよびシーケンスを生成するために用いられ得る。
【０１２６】
さらに、芳香シーケンス指定ユーザインターフェース２０００は、概念および／または感情を伝える文章を生成するために用いられ得る。各文章は、複数の文を含み得、これらの文はそれぞれ、複数の単語を含む。同様に、芳香シーケンス指定ユーザインターフェース２０００は、芳香のシンフォニーを生成するために用いられることができ、各シンフォニーは文章を含む。
【０１２７】
例えば、芳香はそれぞれ、特定の都市中にみられる芳香に対応する場合があり、芳香シーケンス指定ユーザインターフェース２０００は、当該都市における経験を表す文章を生成するために用いられ得る。第２のモバイル装置１６０８のユーザは、芳香シーケンス指定ユーザインターフェース２０００を用いて文章を生成し、対応する芳香指定ファイルを第１のモバイル装置１６０４のユーザへ送信させて、これにより、芳香送達装置１０６２が、第１のモバイル装置１６０４のユーザが２人のユーザが共にパリで過ごした朝を思い出させるための特定のシーケンスで芳香の組み合わせを吐出することができる。この文章中に含まれる第１の文は、複数の単語またはカフェへ歩いていく途中に現れる特定の芳香（例えば、パンおよび他の焼かれている物の芳香）を含み得る。第２の文は、複数の単語またはそのカフェでの食事中に現れる特定の芳香（例えば、コーヒーおよびクロワッサンの芳香）を含み得る。第３の文は、複数の単語またはメトロへの途中に歩いて通った公園に現れる特定の芳香（例えば、異なる木の芳香）を含み得る。第４の文は、メトロに乗っているときに現れる複数の単語または特定の芳香（例えば、地下鉄および香水の芳香）を含み得る。第５の文は、リュクサンブール公園を歩いているときに現れる複数の単語または特定の芳香（例えば、異なる花の芳香）を含み得る。同様に、第２のモバイル装置１６０８のユーザは、第１のモバイル装置１６０４のユーザに２人のユーザがパリで共に過ごした別の時期を思い出させるための別の文章を生成するために、芳香シーケンス指定ユーザインターフェース２０００を用い得る。
【０１２８】
一実施形態において、芳香シーケンス指定ユーザインターフェース２０００は、所定の文法規則に従って文を生成する。例えば、芳香シーケンス指定ユーザインターフェース２０００は、ユーザが以下を指定するために選択可能なアイコン２００６のうち１つ以上を選択することを可能にする：文の主語である芳香または芳香組み合わせ、文の動詞である芳香または芳香組み合わせ、文の主語の修飾語句である芳香または芳香組み合わせ、および文の動詞の修飾語句である芳香または芳香組み合わせ。ユーザの選択に応答して、サーバ１６０６は、シーケンス中の１つ以上の所定の位置（例えば、シーケンスの最初の芳香および最後の芳香）に指定された主語に対応する芳香が指定され、主語に対応する芳香の直後または隣に含まれる主語の修飾語句に対応する芳香が含められ、動詞に対応する芳香がシーケンス中で所定の回数（例えば、３回）だけ繰り返され、動詞の修飾語句に対応する芳香が動詞に対応する芳香の各使用時の直前および／または直後に含められた情報を生成する。
【０１２９】
一実施形態において、芳香シーケンス指定ユーザインターフェース２０００は、複数のメッセージ１６１２の文字列部１６１４、芳香部１６１６、音声部１６１８、および映像部１６２０に対応する情報をユーザが指定することを可能にする。例えば、芳香シーケンス指定ユーザインターフェース２０００は、文字列メッセージを含む文字列部１６１４と、特定のコーヒーのアロマに対応する芳香組み合わせを指定する芳香部１６１６と、ミルクの泡立てのレコードを指定する音声部１６１８と、１杯のコーヒーの画像を指定する映像部１６２０とを有するメッセージ１６１２を生成するために用いられ得る。芳香メッセージ１６１２が第１のモバイル装置１６０４によって処理されると、第１のモバイル装置１６０４の処理ユニット（例えば、処理ユニット１８１２）は、表示装置に文字列部１６１４に対応する文字列を表示させ、芳香吐出装置１６０２に芳香部１６１６に対応する芳香を吐出させ、スピーカーに音声部１６１８に対応する音を発生させ、表示装置に映像部１６２０に対応する画像を表示させる。メッセージ１６１２の音声部１６１８および映像部１６２０は、添付ファイルおよび／または他の装置（例えば、サーバ１６０８）によって保存されたファイルへのリンク（例えば、ＵＲＩ）についてのリファレンスを含み得る。
【０１３０】
さらに、芳香シーケンス指定ユーザインターフェース２０００は、物語（例えば、小説）に対応するメッセージ１６１２のシーケンスを生成するために用いられ得る。このような小説の電子コピーまたは紙のコピーには、小説に対応するメッセージ１６１２の群の芳香部１６１６中に指定された芳香組み合わせを生成するための芳香を含む芳香カートリッジ（例えば、芳香カートリッジ９００、１２００または１４００）の群が付随し得る。小説および／または芳香カートリッジは、メッセージ１６１２中に指定された追加の内容へアクセスするためのコードまたはリンクを含み得る。例えば、小説の紙のコピーは、バーコード（例えば、クイックレスポンスコード）を含み得る。このバーコードが第１のモバイル装置１６０４によってスキャンおよび復号化されると、第１のモバイル装置１６０４は、ウェブページへアクセスする。このウェブページから、画像ファイル、音声ファイルおよび／または映像ファイルを入手することができる。上記したように、第１のモバイル装置１６０４は、音声部１６１８中に指定された音声がスピーカーから発生しかつ映像部１６２０中に指定された画像（単数または複数）が表示装置によって表示されている間に芳香部１６１６中に指定された芳香が芳香吐出装置１６０２によって吐出されるように、各メッセージ１６１２を処理し得る。
【０１３１】
加えて、メッセージ１６１２を処理するためのソフトウェアアプリケーションは、メッセージ１６１２の再生を再開するために用いることが可能な情報を保存させ得る。ソフトウェアアプリケーションは、選択可能なアイコンを表示させ得る。これらの選択可能なアイコンは、ユーザが以下を指定することを可能にする：再生すべき小説の１つ以上の章を指定すること、現在のメッセージ１６１２において再生を一時停止することと、前回再生を一次停止した位置からメッセージ１６１２において再生を再開すること。例えば、アプリケーションは、システムメモリ中に保存すべき小説に対応するメッセージ１６１２のシーケンスを指定する情報（例えば、プログラムデータ１８４２）を、処理すべき次のメッセージ１６１２の識別子と関連付けて処理させることができ、これは、メッセージ１６１２が処理されるたびにインクリメントされ得る。ユーザが小説の再生を再開するためのアイコンを選択すると、アプリケーションは、適切なメッセージにおいて再生が再開されるよう、第１のモバイル装置１６０４に次のメッセージ１６１２の保存された識別子を入手させ得る。
【０１３２】
ソフトウェアアプリケーションはまた、保存すべき各芳香カートリッジの各チャンバ中に含まれる各芳香媒体の使用量についての情報を発生させ得る。例えば、ソフトウェアアプリケーションは、各芳香媒体について保存すべき第１の変数および第２の変数を発生させ得、ここで、第１の変数は、実際の使用の秒数を示し、第２の変数は、予測される使用時間の合計秒数を示す。ソフトウェアアプリケーションは、芳香媒体が使用されるたびに第１の変数をインクリメントさせ得、芳香媒体を含む芳香カートリッジが芳香吐出装置（例えば、芳香吐出装置１６０２）中へロードされたとき、第２の変数を特定の値へ初期化させ得る。さらに、ソフトウェアアプリケーションは、第１の変数によって示される実際の使用時間が所定の閾値（例えば、第２の変数によって示される予測される合計使用時間の９０％）を越えたとき、メッセージを表示させ得る。
【０１３３】
図２１は、１つの例示される実施形態による、図１６に示す芳香吐出システム１６００を操作する方法２１００のフローチャートである。例えば第１のモバイル装置１６０４の処理ユニット（例えば、処理ユニット１８１２）がコンピュータが実行可能な命令を含むソフトウェアアプリケーションをＲＡＭ（例えば、ＲＡＭ１８２２）中へロードし、命令を実行した後、方法２１００中に含まれる１つ以上の動作が第１のモバイル装置１６０４によって行われ得る。アプリケーションは、処理ユニットに命令してタッチスクリーン（例えば、タッチスクリーン１８５２）を一連のプロンプトを表示させ、プロンプトに応答して入力された情報を受信し、受信した情報をシステムメモリ中のプログラムデータ（例えば、プログラムデータ１８４２）に保存し得る。
【０１３４】
２１０２において、第１のモバイル装置１６０４の処理ユニットは、芳香カートリッジをロードすべき芳香カートリッジレセプタクルの識別子を入力することをユーザに要求するプロンプトをタッチスクリーンに表示させる。例えば、芳香カートリッジレセプタクルの識別子は、エンボス加工してもよいし、印刷してもよいし、ラベル上に上に設けてもよいし、あるいは、図１１Ａに示す芳香カートリッジホルダ１０１２の芳香カートリッジレセプタクル１０１２ｂのうちの１つの軸１０１２ｃの１つの上面上にユーザから見えるように設けてもよい。ユーザは、芳香カートリッジレセプタクルの識別子をタッチスクリーンを介して入力し得る。これに応答して、プロセッサは、芳香カートリッジレセプタクルの識別子を入手し、その識別子をＲＡＭ中に保存する。
【０１３５】
２１０４において、第１のモバイル装置１６０４の処理ユニットは、芳香カートリッジレセプタクルにロードすべき芳香カートリッジの識別子を入力せよとユーザへ要求するプロンプトをタッチスクリーンに表示させる。例えば、芳香カートリッジの識別子は、エンボス加工してもよいし、印刷してもよいし、ラベル上に設けてもよいし、あるいは芳香カートリッジの外部に設けてユーザが視認することができるようにしてもよい。ユーザは、芳香カートリッジの識別子をタッチスクリーンを介して入力し得る。これに応答して、プロセッサは、芳香カートリッジの識別子を入手し、この識別子をＲＡＭ中に保存する。
【０１３６】
一実施形態において、２１０４において、第１のモバイル装置１６０４の処理ユニットは、図１２Ａに示す芳香カートリッジ１２００のハウジング１２０２上に含まれるかまたは例えば図１４Ａに示す気密シール膜１４０８の主要部１４１０の外面上に形成された内容インジケータ１４１４中に含まれるコンピュータ可読記号（例えば、バーコード）のカメラ（例えば、カメラユニット１８５６）を用いて撮影することをユーザへ要求するプロンプトをタッチスクリーンに表示させる。処理ユニットは、従来の技術を用いてコンピュータ可読記号の画像に対応する画像データを処理することにより、芳香カートリッジの識別子を入手する。
【０１３７】
２１０６において、ユーザは、芳香カートリッジを２１０４において識別された芳香カートリッジにロードし、２１０２において識別された芳香吐出装置１６０２の芳香カートリッジレセプタクルにロードする。例えば、ユーザは、図１１Ａに示す芳香カートリッジホルダ１０１２の芳香カートリッジレセプタクル１０１２ｂの１つに芳香カートリッジ１２００をロードする。
【０１３８】
２１０８において、処理ユニットは、２１０２において芳香吐出装置１６０２の芳香カートリッジレセプタクルにロードされた芳香カートリッジに含まれるチャンバの数を入力することをユーザに要求するプロンプトをタッチスクリーンに表示させる。これに応答して、プロセッサは、チャンバの数を入手し、その数をＲＡＭ中に保存する。一実施形態において、プロセッサは、２１０４において得られた画像データからチャンバの数を入手する。
【０１３９】
２１１０において、処理ユニットは、２１０６において芳香カートリッジレセプタクルへロードされた芳香カートリッジに含まれるチャンバそれぞれの内容の識別子を入力するようユーザに要求する一連のプロンプトをタッチスクリーンに表示させる。これに応答して、プロセッサは、チャンバの内容の識別子を入手し、これらの識別子をＲＡＭ中に保存する。一実施形態において、プロセッサは、チャンバの内容の識別子を２１０４において得られた画像データから入手する。別の実施形態において、処理ユニット１８１２は、チャンバそれぞれの内容の識別子をシステムメモリから入手する。例えば、処理ユニットは、チャンバそれぞれの内容物の識別子を、２１０４において得られた芳香カートリッジの識別子と関連付けられたプログラムデータ中に保存された表から入手する。
【０１４０】
２１１２において、処理ユニットは、別の芳香カートリッジを芳香吐出装置１６０２内にロードすべきかを決定する。例えば、処理ユニットは、別の芳香カートリッジをロードすべきかを指示するために選択可能なアイコンを選択するようユーザに要求するプロンプトをタッチスクリーンに表示させる。ユーザが別の芳香カートリッジをロードすべきである旨をタッチスクリーンを介して示した場合、方法は２１０２へ戻る。ユーザが他の芳香カートリッジをロードすべきではない旨をタッチスクリーンを介して示した場合、方法は２１１４へ進む。
【０１４１】
２１１４において、処理ユニットは、以下のうち１つ以上をシステムメモリ中へ保存させる：２１０２において得られた芳香カートリッジレセプタクルの識別子、２１０４において得られた芳香カートリッジの識別子、２１０８において得られた芳香カートリッジレセプタクル中に含まれるチャンバ数、および２１１０において得られたチャンバの内容の識別子。例えば、処理ユニットは、以下の表２または表３に対応する情報を２１１０においてプログラムデータ中に保存させる。
【表２】
2017502793.tif 000004
【表３】
2017502793.tif 000005
【０１４２】
２１１４において情報が保存された後、第１のモバイル装置１６０４のタッチスクリーンは、選択可能なアイコンを表示し得る。この選択可能なアイコンが選択されると、処理ユニットは、芳香吐出装置１６０２によって吐出されるべき芳香をユーザが指定することを可能にするユーザインターフェースを表示する。例えば、ユーザインターフェースは、複数の選択可能なアイコンを含み得る。ここで、各選択可能なアイコンは、２１１０において得られたチャンバの内容の識別子の１つを含む。選択された各アイコンにに応答して、処理ユニットは、選択されたアイコンに対応する芳香を識別する芳香指定を含むメッセージを生成し、このメッセージを芳香吐出装置１６０２へ送る。芳香吐出装置１６０２が各芳香指定を受信した後、芳香吐出装置１６０２は、以下に説明するように、対応する芳香を吐出させる。
【０１４３】
図２２は、１つの例示される実施形態による、芳香吐出システム１６００を操作する方法２２００のフローチャートである。方法２２００中に含まれる１つ以上の動作は、例えば第１のモバイル装置１６０４の処理ユニット（例えば、処理ユニット１８１２）がコンピュータが実行可能な命令を含むソフトウェアアプリケーションをＲＡＭ（例えば、ＲＡＭ１８２２）中へロードし、これらの命令を実行した後、第１のモバイル装置１６０４によって行われ得る。アプリケーションは、処理ユニットに命令して、タッチスクリーン（例えば、タッチスクリーン１８５２）に一連のプロンプトを表示させ、プロンプトに応答して入力された情報を受信させ、受信された情報をシステムメモリ（例えば、システムメモリ１８１４）のＲＡＭ（例えば、ＲＡＭ１８２２）に保存させ、受信された情報を処理および／または変換させ、受信された情報に対応する情報をネットワークインターフェース（例えば、ネットワークインターフェース１８６０）を介して送信させ得る。
【０１４４】
２２０２において、処理ユニットは、芳香メッセージが受信されたかを決定する。例えば、処理ユニットは、システムメモリ中のメッセージバッファを芳香メッセージの存在について検査する。処理ユニットが芳香メッセージが受信されていないと決定した場合、方法は２２０２へ戻る。処理ユニットが芳香メッセージが受信されたと決定した場合、方法は２２０４へ進む。
【０１４５】
２２０４において、処理ユニットは、芳香メッセージを処理すべきかを決定する。例えば、処理ユニット１８１２は、芳香メッセージを処理すべきかを示す選択可能なアイコンを選択するようユーザに要求するプロンプトをタッチスクリーンに表示させる。処理ユニットが芳香メッセージを処理すべきではないと決定した場合、方法は２２０２へ戻る。処理ユニットが芳香メッセージを処理すべきと決定した場合、方法は２２０６へ進む。
【０１４６】
２２０６において、処理ユニットは、芳香メッセージをパース（構文解析）し、各芳香メッセージ中に含まれる芳香インジケータを識別する。各芳香インジケータは、例えば特定の芳香（例えば、チョコレート１）または特定の芳香の不在（例えば、空のチャンバまたは特定の種類の空気フィルタを含むチャンバ）を示し得る。例えば、処理ユニットは、第１の芳香識別子である「コーヒー３」および第２の芳香識別子である「チョコレート２」を芳香メッセージから入手する。その後、処理ユニットは、芳香カートリッジレセプタクル識別子と、第１の芳香識別子に対応するチャンバ識別子とを入手する。例えば、処理ユニットは、上記の表３に対応する情報にアクセスし、「コーヒー３」の芳香が芳香カートリッジレセプタクル「Ｂ」中にロードされたチャンバ番号４の芳香カートリッジに含まれることを決定し、同様に上記の表２に対応する情報にアクセスし、「チョコレート２」の芳香が芳香カートリッジレセプタクル「Ａ」中にロードされたチャンバ番号３の芳香カートリッジ中に含まれることを決定する。その後、処理ユニットは、例えば以下の表４および５に対応する情報から対応するモータ識別子及び位置識別子を取得する。すなわち、処理ユニットは、表４に対応する情報から、芳香カートリッジレセプタクル識別子「Ａ」に対応するモータ識別子「００」と、芳香カートリッジレセプタクル識別子「Ｂ」に対応するモータ識別子「０１」とを入手する。処理ユニットはまた、表５に対応する情報から、チャンバ番号３に対応する位置／方向識別子「０１０」と、チャンバ番号４に対応する位置／方向識別子「０１１」とを入手する。
【表４】
2017502793.tif 000006
【表５】
2017502793.tif 000007
【０１４７】
２２０８において、処理ユニットは、芳香メッセージに含まれる各芳香識別子に対し、２２０６において得られたモータ識別子および位置／方向識別子を芳香吐出装置１６０２へ送る。処理ユニットは、Ｂｌｕｅｔｏｏｔｈ（登録商標）通信のためのネットワークインターフェース（例えば、ネットワークインターフェース１８６０）に、第１の芳香識別子のための第１のメッセージおよび第２の芳香識別子のための第２のメッセージを芳香吐出装置１６０２へ送信させ得る。例えば、「コーヒー３」の第１の芳香識別子について、第１のメッセージはモータ識別子「０１」および位置／方向識別子「０１１」を含み、「チョコレート２」の第２の芳香識別子について、第２のメッセージはモータ識別子「００」および位置／方向識別子「０１０」を含む。第１のメッセージおよび第２のメッセージは、他の情報（例えば、芳香吐出装置１６０２および第１のモバイル装置１６０４のネットワークアドレス）を含み得る。第１のメッセージおよび第２のメッセージは、他の情報（例えば、各メッセージが特定の芳香組み合わせまたは芳香組み合わせのシーケンスを生成するメッセージ群の最初または最後のメッセージであるかを示す制御情報）も含み得る。
【０１４８】
２２１０において、処理ユニットは、処理終了の命令が受信されたかを決定する。例えば、処理ユニット１８１２は、選択されたときに処理ユニットに処理終了の命令を受信させる選択可能なアイコンをタッチスクリーンに表示させる。処理ユニットが処理終了の命令が受信されていないと決定した場合、方法は２２０２へ戻る。処理ユニットが処理終了の命令が受信されたと決定した場合、方法は２２１２へ進む。
【０１４９】
２２１２において、処理ユニット１８１２は、芳香吐出装置１６０２へ停止条件を示す事前規定されたメッセージをネットワークインターフェースに送信させる。２２１２においてメッセージが送信された後、方法２２００は終了する。
【０１５０】
図２３は、１つの例示される実施形態による、図１６に示す芳香吐出システム１６００の操作方法２１００のフローチャートである。方法２３００に含まれる１つ以上の動作は、芳香吐出装置１６０２への給電を発生させるスイッチ（例えば、スライドポテンショメータ１７０６）をユーザが操作した後、芳香吐出装置１６０２によって行われ得る。これに応答して、マイクロコントローラ（例えば、マイクロコントローラ１７０２）は、内部メモリ中に保存されたプロセッサが実行可能な命令を内部ＲＡＭにロードし、命令実行を開始する。
【０１５１】
２３０２において、マイクロコントローラは、芳香指定が受信されたかを決定する。例えば、マイクロコントローラは、万能非同期送受信機（ＵＡＲＴ）を検査して、第１のモバイル装置１６０４からのメッセージがＢｌｕｅｔｏｏｔｈ（登録商標）通信モジュール（例えば、Ｂｌｕｅｔｏｏｔｈ（登録商標）通信モジュール１７１０）を介して受信されたかを決定し得る。受信された芳香指定は、例えば図２０に示す芳香シーケンス指定ユーザインターフェース２０００を用いて生成された芳香指定ファイル中に含まれる情報中に含まれ得るかまたは対応し得る。マイクロコントローラが芳香指定が受信されていないと決定した場合、方法は２３０２へ戻る。マイクロコントローラが芳香指定が受信されたと決定した場合、方法は２３０４へ進む。
【０１５２】
２３０４において、マイクロコントローラは、ファンへ提供されるべき適切な制御信号の提供を生じさせることにより、ファン（例えば、ファン１７０８）の動作を開始させる。ファンへ提供される特定の制御信号は、スイッチ（例えば、スライドポテンショメータ１７０６）の位置に依存し得る。例えば、スイッチが第１の位置にある場合、マイクロコントローラは第１の制御信号をファンへ提供し、スイッチが第２の位置にある場合、マイクロコントローラは第２の制御信号をファンへ提供し、第１の制御信号は、ファンを第２の制御信号よりも高速で回転させる
【０１５３】
２３０６において、マイクロコントローラは、停止条件の指示が存在するかを決定する。例えば、マイクロコントローラは、芳香吐出装置１６０２への給電を行うバッテリー中に残留している充電量が所定の閾値を下回ったとの指示を提供する回路へ接続された特定の入力／出力線を監視する。所定の閾値は、バッテリー中に残留している充電量が各モータを動作させることで芳香吐出装置１６０２の各芳香カートリッジをデフォルト位置または方向へ移動させるのに十分であるように選択される。２３０６において、マイクロコントローラは、所定のメッセージが停止条件が第１のモバイル装置１６０４から受信されたかも決定し得る。マイクロコントローラが停止条件の指示が存在すると決定した場合、方法は２３１８へ進む。マイクロコントローラが停止条件の指示が存在しない場合、方法は２３０８へ進む。
【０１５４】
２３０８において、マイクロコントローラは、１つ以上のカートリッジおよび／またはモータの移動方向および移動量を決定する。２３０８において行われる動作について、図２４Ａ〜図２４Ｃを参照して説明する。図２４Ａは、１つの例示される実施形態による、芳香カートリッジ２４００の上方平面図である。カートリッジ２４００の端部２４０２は、１〜５の番号の５個のチャンバのための出口ポートとして機能する５個の穴部を含む。図２４Ａに示すカートリッジ２４００は、デフォルトの方向または位置にあり、ここで、チャンバ１に対応する穴部が芳香吐出装置１６０２の芳香混合チャンバ（図示せず）の入口ポートと整列される。基準座標系２４０４も図２４Ａに示す。
【０１５５】
例えば、チャンバ１に対応する穴部は、図１０Ｅに示す芳香混合チャンバ１０１４の底部１０１４ｂに形成される穴部１０１４ｃと整列され得る。より詳細には、芳香混合チャンバ１０１４の底部１０１４ｂの下面がカートリッジ２４００の端部２４０２の上面と平行であるように、カートリッジ２４００が芳香混合チャンバ１０１４の下に配置され、チャンバ１に対応する穴部が穴部１０１４ｃと垂直方向に整列されるように、カートリッジ２４００が回転、配置または方向付けられる。例えば、チャンバ１穴部１０１４ｃに対応する穴部の断面積は同様のサイズおよび寸法にされ、穴部１０１４ｃの断面積が下方に突出されると、突出領域は、チャンバ１に対応する穴部を通過し、端部２４０２の他の領域を通過しない。
【０１５６】
以下の表６は、マイクロコントローラの内部メモリ中に保存され得る情報の例を示す。一実施形態において、カートリッジ２４００の端部２４０２の穴部は同一のサイズおよび寸法を有し、カートリッジ２４００の端部２４０２に均等に間隔を空けて配置される。各チャンバの中央の方向は、カートリッジ２４００の端部２４０２の中央から開始し、チャンバに対応する穴部の中央を通る線の方向によって定義され得る。マイクロコントローラは、ステッパーモータ（例えば、ステッパーモータ１７０４）のシャフトを一度に一段階だけ移動させ、２００段階により、シャフトが完全に１回転する。表６はまた、例えば芳香混合チャンバ１０１４の底部１０１４ｂに形成された穴部１０１４ｃの１つに特定のチャンバが整列するように、カートリッジ２４００を図２４Ａに示すデフォルト位置から反時計回りに回転させるのに必要な段階の数を含む。
【表６】
2017502793.tif 000008
【０１５７】
表７は、時計回り回転の場合の表６に類似する表である。表７に対応する情報は、マイクロコントローラの内部メモリ中へ保存され得る。
【表７】
2017502793.tif 000009
【０１５８】
２３０８において行われる処理について、例えば図２０に示し上記した芳香シーケンス指定ユーザインターフェース２０００を用いて生成された芳香指定ファイルに対応する芳香指定の受信に応答して芳香送達装置１６０２によって行われる一連の計算を参照して説明する。芳香指定のシーケンスにおいて指定された芳香は、芳香吐出装置１６０２が芳香カートリッジ２４００の対応する方向を決定することを要求する。例えば、芳香カートリッジ２４００は、初めは図２４Ａに示すデフォルトまたは第１の方向または位置にあり、芳香吐出装置１６０２は、図２４Ｂに対応する芳香カートリッジ２４００の第２の方向を決定し、その後図２４Ｃに対応する芳香カートリッジ２４００の第３の方向を決定する。
【０１５９】
上記したように、芳香カートリッジ２４００は、初めに図２４Ａに示すデフォルト方向にあり、芳香吐出装置１６０２は、図２４Ｂに対応する第２の方向を決定する。例えば、芳香指定は、芳香カートリッジ２４００のチャンバ番号４に対応する穴部を芳香混合チャンバ１０１４の底部１０１４ｂに形成された穴部１０１４ｃと整列させるべき旨を示す情報を含む。マイクロコントローラは、先ず、芳香カートリッジ２４００を時計回り方向に回転させる場合に必要な回転量と、芳香カートリッジ２４００を反時計回り方向に回転させる場合に必要な回転量とを決定する。すなわち、マイクロコントローラは、芳香カートリッジ２４００を図２４Ｂに示す方向にするために、図２４Ａに示す芳香カートリッジ２４００を１４４°（または８０段階）だけ時計回り方向に回転させる必要があるかまたは２１６°（または１２０段階）だけ反時計回り方向に回転させる必要があることを決定する。時計回り方向において必要な芳香カートリッジ２４００の回転量が少ない（例えば、段階がより少ない）ため、マイクロコントローラは、２３０８において移動方向は時計回り方向であり、移動量は１４４°（または８０段階）であると決定する。
【０１６０】
２３１０において、マイクロコントローラは、芳香カートリッジ２４００へ接続されたモータを制御して、２３０８において決定された移動方向に２３０８において決定された移動量だけ移動させる。例えば、マイクロコントローラ１７０２は、ステッパーモータ１７０４ａのシャフトを８０段階だけ時計回り方向に移動させて、芳香カートリッジ２４００を図２４Ｂに示すような方向にするための制御信号をステッパーモータ１７０４ａへ提供する。
【０１６１】
２３１２において、マイクロコントローラは、内部タイマーを開始させる。一実施形態において、マイクロコントローラは、デフォルトタイマー値（例えば、５０００ミリ秒）を用いて、２３１２において起動したタイマーを初期化する。別の実施形態において、マイクロコントローラは、２３０２において受信された芳香指定に含まれるタイマー値（例えば、１０秒）を用いて、２３１２において起動したタイマーを初期化する。
【０１６２】
２３１４において、マイクロコントローラは、タイマーが終了したかを決定する。例えば、マイクロコントローラは、タイマーが２３１２においてセットされた後に経過したタイマーを初期化するために用いられる時間長さを示す所定の電圧レベルについて、タイマーを監視する。マイクロコントローラ１７０２がタイマーが終了していないと決定した場合、方法は２３１４へ戻る。マイクロコントローラ１７０２がタイマーが終了したと決定した場合、方法は２３１６へ進む。
【０１６３】
２３１６において、マイクロコントローラは、さらなる芳香指定が受信されたかを決定する。例えば、マイクロコントローラは、２３０２に関連して上記したような同じ動作を行う。マイクロコントローラがさらなる芳香指定を受信したことを決定した場合、方法は２３０６に戻る。
【０１６４】
例えば、２３０６において、マイクロコントローラは、停止条件の指示が受信されていないと決定し、２３０８へ進む。２３０８において、マイクロコントローラは、図２４Ｃに対応する第３の方向を決定する。例えば、芳香指定は、芳香カートリッジ２４００のチャンバ番号３に対応する穴部を芳香混合チャンバ１０１４の底部１０１４ｂに形成された穴部１０１４ｃと整列させるべき旨を示す情報を含む。マイクロコントローラは、芳香カートリッジ２４００を時計回り方向に回転させた場合に必要な回転量と、芳香カートリッジ２４００を反時計回り方向に回転させた場合に必要な回転量とを決定する。すなわち、マイクロコントローラは、芳香カートリッジ２４００を図２４Ｃに示すような方向にするために図２４Ｂに示す芳香カートリッジ２４００を７２°（または４０段階）だけ時計回り方向に回転させる必要があるかまたは２８８°（または１６０段階）だけ反時計回り方向に回転させる必要がある旨を決定する。時計回り方向において必要な芳香カートリッジ２４００の回転量がより少ないため、マイクロコントローラは、２３０８において移動方向が時計回り方向であると決定し、移動量が７２°（または４０段階）であると決定する。その後、マイクロコントローラは、２３１０、２３１２および２３１４において上述した動作を行う。
【０１６５】
２３１６において、マイクロコントローラが追加の芳香指定が受信されていないと決定した場合、方法は２３１８へ進む。２３１８において、マイクロコントローラは、２３１０において行われた制御に基づいて移動した各カートリッジをデフォルトの方向または位置へと戻す。例えば、カートリッジ２４００が現在図２４Ｃに示すような方向／配置である場合、マイクロコントローラは、カートリッジ２４００を図２４Ａに示すような方向／配置にする。すなわち、マイクロコントローラは、２３０８および２３１０において行われた処理と同様の処理を行って、カートリッジ２４００を図２４Ａに示すような方向／配置にする。
【０１６６】
２３１８において、マイクロコントローラは、ファンの動作を停止させる。例えば、マイクロコントローラ１７０２は、ファン１７０８をオフにする制御信号をファン１７０８へ提供する。
【０１６７】
図２５〜図２８は、１つの例示される実施形態による芳香吐出装置２５００を示す。芳香吐出装置２５００は、図１Ａの芳香吐出装置１００について多数の点において類似しているため、芳香吐出装置１００について上記に述べた記載の大部分は、芳香吐出装置２５００にも適用される。一般的に、芳香吐出装置２５００は、２つの芳香吐出ユニット２５０２と、ベース２５０４と、ヒンジ２５０８を介してベースへ回転可能に接続された蓋部２５０６とを含む。各芳香吐出ユニット２５０２は、４つのモータｓ１１４（図２８）、４つの消耗品の芳香カートリッジ２５１２と、芳香放出器２５１４と、以下に述べる複数の電子構成要素とを含む。モータ１１４については、図７Ａおよび図７Ｂを参照して上述している。
【０１６８】
図２７に示すように、蓋部２５０６は、支持フレーム２５１６と、支持フレーム２５１６上に配置された上棚２５１８とを含む。２つの芳香放出器２５１４は、複数のナット２５２０およびボルト２５２２を用いて上棚に取り付けられている。上棚２５１８は、蓋部２５０６の支持フレーム２５１６へ固定的または取り外し可能に接続される。図３１Ａ−Ｂおよび図３２Ａ−Ｂ中に最良に示すように、ヒンジ２５０８は、蓋部２５０６がベース２５０４に対して開口位置まで回転することを可能にする。
【０１６９】
図２８に示すように、芳香吐出装置２５００は、バッテリー支持フレーム２５２６上に配置された１つ以上のバッテリー２５２４とおよび１つ以上のプリント回路板２５２８も含む。プリント回路板２５２８は、芳香情報を通信及び処理し、そのような芳香情報に基づいてモータ１１４およびファン１２６（図３３Ｂ）の動作を制御するための多様な構成要素および回路を含む。芳香吐出装置２５００は、プリント回路板２５２８上の１つ以上の構成要素への電力を制御することによりユーザが芳香吐出装置２５００をオンおよびオフすることを可能にするボタン２５２９も含み得る。ベースの下側棚またはフレーム２５３０は、モータ１１４上に配置される。下側フレーム２５３０は、スペーサ２５３４、ナット２５３６およびボルト２５３８によってベースの上側フレーム２５３２に結合される。
【０１７０】
上記したように、モータ１１４はそれぞれ、モータハウジング１１４ａと、モータハウジング１１４ａから上方に延びるシャフト１１４ｂとを含む（図７Ａおよび図７Ｂ）。シャフト１１４ｂは、平坦部１１４ｃおよび切頂円筒部１１４ｄを含む。モータ１１４はそれぞれ、複数の穴部１１４ｆを有する上部１１４ｅを含む。
【０１７１】
図２８に示すように、下側棚２５３０の一部は、４つの大型円形穴部２５４０と、１６個の小型円形穴部２５４２とを含む。複数のボルト２５４４を用いて、８個のモータ１１４が下側棚２５３０へ取り付けられている。以下、モータ１１４のうちの１つを下側棚２５３０へ取り付けるプロセスについて、図２８を参照して説明する。モータ１１４の円形穴部１１４ｆを、下側棚２５３０の大型円形穴部２５４０のうち１つを包囲する４つの小型円形穴部２５４２の群と整列させるように、モータ１１４のうちの１つを下側棚２５３０の下側に配置する。モータ１１４の上部１１４ｅが下側棚２５３０の下面と隣接するまで、モータ１１４を下側棚２５３０へと前進させ、シャフト１１４ｂを大型円形穴部２５４０に通す。４つの締結具（例えば、ボルト２５４４）を下側棚２５３０の各小型円形穴部２５４２を通じて挿入し、モータ１１４の円形穴部１１４ｆ中へ前進させる。ボルト２５４４を回転させてモータハウジング１１４ａ内のねじ山（図示せず）と係合させることにより、モータ１１４を下側棚２５３０へ取り付ける。残りの７個のモータ１１４に対して、上記したプロセスを繰り返す。
【０１７２】
芳香吐出装置２５００は、８個の芳香カートリッジ受容部２５５０（ここでは連結スリーブとも呼ぶ）を含む。芳香カートリッジ受容部２５５０を、図３５Ａ〜図３５Ｅ中に最良に示す。各芳香カートリッジ受容部２５５０は、本体部２５５２と、本体部の下側に配置されたモータシャフト連結部２５５４とを含む。図３５Ｄに示すように、モータシャフト連結部２５５４は、下方を向く「Ｄ」形状の穴部２５５６を含む。モータシャフト連結部２５５４の穴部２５５６は、モータ１１４のシャフト１１４ｂを穴部中へ挿入することが可能なようなサイズおよび寸法にされる。モータ１１４のうち１つのシャフト１１４ｂがモータシャフト連結部２５５４の穴部２５５６中へ挿入されると、モータの「Ｄ」字形状のシャフト１１４ｂは、モータシャフト連結部の「Ｄ」字形状の穴部２５５６と係合し、これにより、シャフト１１４ｄの回転が垂直軸周りでの芳香カートリッジ受容部２５５０の回転を生じさせることが確実になる。
【０１７３】
図３５Ａ〜図３５Ｄ中に最良に示すように、芳香カートリッジ受容部２５５０の本体部２５５２は、ベース部２５５８と、ベース部２５５８から上方に延びる円筒形壁２５６０とを含む。ベース部２５５８は、５個の楔形穴部２５６２（図３５Ｄ）を含む。円筒形壁２５６０は、以下に述べるように、芳香カートリッジ２５１２の下部をぴったりと受容するようなサイズおよび寸法にされた内面２５６４（図３５Ｅ）を有する。フランジまたはリップ２５６６が、円筒形壁２５６０の最上端の周囲に延びる。本体部２５５２の円筒形壁２５６０の内面２５６４は、内面２５６４から内方に延びる内方を向く突起または鍵部２５６８（図３５Ｃおよび図３５Ｅ）を含む。鍵部２５６８を図３５Ａ中に破線で示す。以下にさらに述べるように、鍵部２５６８は、芳香カートリッジ２５１２の対応する鍵路とスライド可能に係合して、芳香カートリッジを整列させ、芳香カートリッジ受容部２５５０に対する芳香カートリッジの回転移動を制限する。
【０１７４】
以下、芳香カートリッジ受容部２５５０のうちの１つを芳香吐出装置２５００へ取り付けるプロセスについて、図２８および図３１Ｂを参照して説明する。ボルト２５３８、ナット２５３６およびスペーサ２５３４を用いて上側棚２５３２を下側棚２５３０へ取り付けると、芳香カートリッジ受容部２５５０のうちの１つがモータ１１４の１つのシャフト１１４ｂの１つに向かって前進する。モータシャフト連結部２５５４と、芳香カートリッジ受容部２５５０の本体部２５５２の大部分とは、「Ｄ」字形状のモータ１１４のシャフト１１４ｂがモータシャフト連結部２５５４の「Ｄ」字形状の穴部２５５６と係合し、フランジ２５６６の下面と上側棚２５３２の上面に隣接するまで、上棚２５３２内の大型円形穴部２５７０を通過する。上記したプロセスを、残りの７個の芳香カートリッジ受容部２５５０に対して繰り返す。
【０１７５】
図２９、図３０、図３１Ａ〜図３１Ｂおよび図３２Ａ〜図３２Ｂに示すように、芳香吐出装置２５００の蓋部２５０６は、ベース２５０４に対して旋回して、８個の芳香カートリッジ受容部２５５０へのアクセスを提供する。使用中に、ユーザは、蓋部２５０６を図３２Ａおよび図３２Ｂに示す（蓋部がベース２５０４の上棚２５３２に実質的に隣接する）閉鎖位置から図３１Ａおよび図３１Ｂに示す（蓋部が上フレームから間隔を空けて配置される）開口位置へ選択的に回転させ得る。蓋部２５０６が開口位置にあるとき、ユーザは、芳香カートリッジ２５１２を芳香吐出装置２５００の芳香カートリッジ受容部２５５０内に選択的に配置し得る。芳香カートリッジ２５１２が芳香カートリッジ受容部２５５０内に配置された状態で蓋部２５０６が閉鎖位置であるときは、蓋部２５０６の上棚２５１８の穴部２５７２（図２９）は、上棚の上面へ接続された芳香放出器２５１４の芳香混合チャンバ１３０（図５Ａおよび図５Ｂを参照）への入口ポートとして機能する。
【０１７６】
図３３Ａおよび図３３Ｂは、芳香放出器２５１４を示す。芳香放出器２５１４は、上記した図２Ａ〜図５Ｂの芳香放出器１１８について多数の点について類似しているため、芳香放出器１１８についての記載の大部分は芳香放出器２５１４へ適用される。この実施形態において、芳香放出器２５１４は、光源２５７４（例えば、発光ダイオード（ＬＥＤ））を含む。光源２５７４は、芳香吐出装置２５００のユーザへの多様な通知を提供するよう、プリント回路板２５２８のうちの１つの上に配置された電子機器によって制御され得る。例えば、光源２５７４は、図１７Ａのマイクロコントローラ１７０２へ動作可能に接続され得る。いくつかの実施形態において、光源２５７４は、芳香吐出装置２５００が芳香メッセージを（例えばモバイル装置から）受信したときに発光し得る。別の例として、光源２５７４は、芳香吐出装置２５００についての状態指示をユーザへ通知するために用いられ得る。状態指示の例を非限定的に挙げると、電源状態、バッテリー状態、エラー状態、メッセージ状態などがある。
【０１７７】
以下、１つの例示される実施形態による芳香カートリッジ２５１２について、図３４Ａ〜図３４Ｄを参照して説明する。芳香カートリッジ２５１２は、図９Ａ〜図９Ｄを参照して上記した芳香カートリッジ９００について多数の点において類似しているため、芳香カートリッジ９００についての記載の大部分は、芳香カートリッジ２５１２にも適用される。
【０１７８】
芳香カートリッジ２５１２は、第１の端部２６０２ａおよび第２の端部２６０２ｂを有するハウジング２６０２を含む。円筒形外壁２６０４は、ハウジング２６０２の周辺外周を画定する。第１の端部２６０６は、芳香カートリッジ２５１２の第１の端部２６０２ａに配置される。第１の端部２６０６は、５個の楔形穴部２６０８を含む。隆起リップ２６１０は、穴部２６０８それぞれの周囲で第１の端部２６０６から外方に延びる。第２の端部２６１２は、芳香カートリッジ２５１２の第２の端部２６０２ｂに配置される。図３４Ｂ中に最良に示すように、第２の端部２６１２は、５個の楔形穴部２６１４を含む。第１の端部２６０６内に形成された穴部２６０８それぞれは、ハウジング２６０２の内側の５個の芳香カートリッジチャンバを画定するよう、第２の端部２６１２内に形成された対応する穴部２６１４と整列している。
【０１７９】
芳香カートリッジ２５１２は、実質的に任意の所望の数の芳香カートリッジチャンバを持ち得る。チャンバのうち１つ以上は、芳香媒体で充填され得る。芳香媒体は、芳香粒子、パックされた粉末形態であり得る芳香粉末、芳香ワックス、空気フィルタまたは非芳香材料などの非液体物質であり得る。チャンバのうち１つ以上は空であり得る。
【０１８０】
凹部または鍵路２６１６は、芳香カートリッジ２５１２のハウジング２６０２の円筒形外壁２６０４上に配置される。鍵路２６１６は、芳香カートリッジ２５１２が芳香吐出装置２５００内に取りつけられたとき、芳香カートリッジ受容部２５５０の鍵部２５６８をスライド可能に受容するようなサイズおよび形状にされる。例示される実施形態において、鍵路２６１６は、第２の端部２６０２ｂから外壁の中間部へ円筒形外壁２６０４に沿って上方に延びる。他の実施形態において、鍵路２６１６は、その機能性が確保される限り、他のサイズまたは形状でよい。
【０１８１】
芳香カートリッジ２５１２を芳香吐出装置２５００内に取りつける際、ユーザは、芳香カートリッジ２５１２の鍵路２６１６の底部２６１８を芳香カートリッジ受容部２５５０の本体部２５５２の鍵部２５６８の上部２６２０と整列させる。その後、ユーザは、芳香カートリッジの下部が本体部２５５２の円筒形壁２５６０内に配置されかつ鍵部２５６８が鍵路２６１６とスライド可能に係合するように、芳香カートリッジ２５１２を本体部２５５２に向かって下方に移動させる。図３１Ｂおよび図３５Ｂに示すように芳香カートリッジ２５１２が本体部２５５２内に取りつけられると、芳香カートリッジ２５１２の第２の端部２６０２ｂは、芳香カートリッジ受容部２５５０の本体部２５５２のベース部２５５８の上面と当接し、ベース部２５５８の５個の楔形穴部２５６２は、芳香カートリッジ２５１２の第２の端部２６１２の５個の楔形穴部２６１４と整列する。よって、空気がベース部２５５８の５個の楔形穴部２５６２を通じて芳香カートリッジ２５１２の５個の芳香チャンバ内へ自由に流れ得る。鍵部２５６８および鍵路２６１６は、芳香カートリッジ２５１２と芳香カートリッジ受容部２５５０との間の軸方向移動を可能にし、芳香カートリッジ受容部の回転により芳香カートリッジが回転することを確実にするよう回転移動を制限しつつ、芳香カートリッジを選択的に取り外し可能とするよう機能する。
【０１８２】
芳香カートリッジ受容部２５５０の本体部２５５２の鍵部２５６８と、芳香カートリッジ２５１２の鍵路２６１６とは、所望の機能を達成するよう、多様なサイズおよび形状を持ち得ることが理解されるべきである。さらに、いくつかの実施形態において、複数の鍵部および／または鍵路が用いられ得る。いくつかの実施形態において、芳香カートリッジ２５１２は１つ以上の鍵部を含み、本体部２５５２は１つ以上の鍵路を含む。
【０１８３】
図３６Ａ〜図３６Ｃは、２つの芳香放出器２５１４が垂直軸の周囲において回転する、図２５の芳香吐出装置２５００の実施形態を示す。図３６Ａは、芳香吐出装置２５００を示す。芳香放出器２５１４はどちらとも、直接前方を向いている。図３６Ｂは、芳香放出器２５１４がそれぞれ内方に４５度だけ回転したときの芳香吐出装置２５００を示す。図３６Ｃは、芳香放出器２５１４がそれぞれ外方に４５度だけ回転したときの芳香吐出装置２５００を示す。いくつかの実施形態において、芳香放出器２５１４は、ユーザによって手動で回転され得る。他の実施形態において、芳香放出器２５１４を自動的に回転させるように、モータまたは他の機械制御システムが提供され得る。いくつかの実施形態において、芳香放出器２５１４は、４５度を越えるかまたは４５度未満だけ内方におよび外方に回転し得る。
【０１８４】
ユーザは、例えば２人のユーザが芳香吐出装置２５００を用いる場合、芳香放出器２５１４を外方回転位置（図３６Ｃ）に配置させ得る。２つの芳香を芳香吐出装置２５００から外方に吐出することにより、芳香放出器２５１４が直接前方を向いている場合ほどには２人のユーザが近接して位置する必要が無くなる。そのため、各ユーザが１つ以上の芳香を経験しながら、２人のユーザが相互に快適な距離で位置することができる。さらに、芳香放出器２５１４を外方に方向付けることにより、芳香放出器２５１４それぞれから放出される芳香が分離され、これにより、２人のユーザが異なる芳香を同時に経験することが可能になる。
【０１８５】
ユーザは、例えば一人のユーザが芳香吐出装置２５００を用いる場合に、芳香放出器２５１４を内方に回転した位置（図３６Ｂ）に配置することができる。この構成において、ユーザは、２つの芳香放出器２５１４から放出された芳香を同時に経験することができる。これにより、芳香吐出装置２５００は、各芳香放出器２５１４と関連付けられた４つの芳香カートリッジのみを用いる代わりに芳香吐出装置２５００に取りつけられた８個の芳香カートリッジ２５１２のうちいずれかまたは全てを同時及び／又は連続的に用いて芳香を生成することが可能になる。
【０１８６】
上記した多様な実施形態を組み合わせて、さらなる実施形態を提供することが可能である。本明細書中のに記載されかつ／または出願データシート中に羅列された米国特許、米国特許出願公開第、米国特許出願、外国特許、外国特許出願および非特許公開の全体全てを援用する。さらなる実施形態を得るために多様な特許、出願、および公開文献の概念を用いることが必要な場合、例えば、２３０４においてファンの動作を開始させる前に、芳香吐出装置１６０２は、２３１０において１つ以上の芳香カートリッジを方向付けた後にファンの動作を開始させ得る。さらに、２３２０においてファンの動作を停止させる代わりに、芳香吐出装置１６０２は、１つ以上の芳香カートリッジそれぞれを２３１８においてデフォルト位置へ戻す前にファンの動作を停止させ得る。
【０１８７】
加えて、芳香吐出装置１６０２は、ユーザが芳香吐出装置１６０２によって吐出されるべき芳香および／または芳香の継続時間を（例えば、第１のモバイル装置１６０４からの任意のメッセージを受信すること無く）指定することを可能にするユーザ入力装置（例えば、タッチスクリーン）及び表示装置を含み得る。芳香吐出装置１６０２のマイクロコントローラは、芳香吐出装置１６０２に図２１に示す方法を行わせるための命令を記憶し得る。さらに、芳香吐出装置１６０２マイクロコントローラは、選択されたときに芳香吐出装置１６０２によって吐出される芳香をユーザが指定することを可能にするユーザインターフェースをマイクロコントローラに表示させる選択可能なアイコンを芳香吐出装置１６０２に表示させるための命令を記憶し得る。例えば、ユーザインターフェースは、複数の選択可能なアイコンを含むことができ、ここで、当該選択可能なアイコンのそれぞれは、芳香吐出装置１６０２中にロードされた芳香カートリッジのうち１つのチャンバ１２３２のうちの１つに含まれる芳香媒体１２３４の識別子を含む。選択されたアイコンのうち１つ以上に応答して、マイクロコントローラは、対応する芳香または芳香組み合わせを所定の期間またはユーザが指定した期間にわたって吐出させる。
【０１８８】
米国仮特許出願シリアル番号第６１／８９１，３２８号（出願日：２０１３年１０月１５日）および米国仮特許出願シリアル番号第６１／９４４，８６２号（出願日：２０１４年２月２６日）の全体が参照により本明細書に組み込まれる。
【０１８９】
実施形態において、上記および他の変更が上記記載を鑑みて可能である。一般的に、以下の特許請求の範囲において、使用される用語は、特許請求の範囲を本明細書および特許請求の範囲中に開示された特定の実施形態に限定するものとして解釈されるべきではなく、このような特許請求の範囲の全範囲の均等物と共に全ての可能な実施形態を含むものとして解釈されるべきである。よって、特許請求の範囲は、本開示によって限定されない。
【図１Ａ】
2017502793.tif 000010
【図１Ｂ】
2017502793.tif 000011
【図２Ａ】
2017502793.tif 000012
【図２Ｂ】
2017502793.tif 000013
【図３Ａ】
2017502793.tif 000014
【図３Ｂ】
2017502793.tif 000015
【図３Ｃ】
2017502793.tif 000016
【図４】
2017502793.tif 000017
【図５Ａ】
2017502793.tif 000018
【図５Ｂ】
2017502793.tif 000019
【図６Ａ】
2017502793.tif 000020
【図６Ｂ】
2017502793.tif 000021
【図７Ａ】
2017502793.tif 000022
【図７Ｂ】
2017502793.tif 000023
【図８Ａ】
2017502793.tif 000024
【図８Ｂ】
2017502793.tif 000025
【図９Ａ】
2017502793.tif 000026
【図９Ｂ】
2017502793.tif 000027
【図９Ｃ】
2017502793.tif 000028
【図９Ｄ】
2017502793.tif 000029
【図１０Ａ】
2017502793.tif 000030
【図１０Ｂ】
2017502793.tif 000031
【図１０Ｃ】
2017502793.tif 000032
【図１０Ｄ】
2017502793.tif 000033
【図１０Ｅ】
2017502793.tif 000034
【図１１Ａ】
2017502793.tif 000035
【図１１Ｂ】
2017502793.tif 000036
【図１２Ａ】
2017502793.tif 000037
【図１２Ｂ】
2017502793.tif 000038
【図１２Ｃ】
2017502793.tif 000039
【図１３Ａ】
2017502793.tif 000040
【図１３Ｂ】
2017502793.tif 000041
【図１３Ｃ】
2017502793.tif 000042
【図１３Ｄ】
2017502793.tif 000043
【図１３Ｅ】
2017502793.tif 000044
【図１３Ｆ】
2017502793.tif 000045
【図１４Ａ】
2017502793.tif 000046
【図１４Ｂ】
2017502793.tif 000047
【図１４Ｃ】
2017502793.tif 000048
【図１５Ａ】
2017502793.tif 000049
【図１５Ｂ】
2017502793.tif 000050
【図１６】
2017502793.tif 000051
【図１７Ａ】
2017502793.tif 000052
【図１７Ｂ】
2017502793.tif 000053
【図１７Ｃ】
2017502793.tif 000054
【図１７Ｄ】
2017502793.tif 000055
【図１７Ｅ】
2017502793.tif 000056
【図１７Ｆ】
2017502793.tif 000057
【図１８】
2017502793.tif 000058
【図１９】
2017502793.tif 000059
【図２０】
2017502793.tif 000060
【図２１】
2017502793.tif 000061
【図２２】
2017502793.tif 000062
【図２３】
2017502793.tif 000063
【図２４Ａ】
2017502793.tif 000064
【図２４Ｂ】
2017502793.tif 000065
【図２４Ｃ】
2017502793.tif 000066
【図２５】
2017502793.tif 000067
【図２６】
2017502793.tif 000068
【図２７】
2017502793.tif 000069
【図２８】
2017502793.tif 000070
【図２９】
2017502793.tif 000071
【図３０】
2017502793.tif 000072
【図３１Ａ】
2017502793.tif 000073
【図３１Ｂ】
2017502793.tif 000074
【図３２Ａ】
2017502793.tif 000075
【図３２Ｂ】
2017502793.tif 000076
【図３３Ａ】
2017502793.tif 000077
【図３３Ｂ】
2017502793.tif 000078
【図３４Ａ】
2017502793.tif 000079
【図３４Ｂ】
2017502793.tif 000080
【図３４Ｃ】
2017502793.tif 000081
【図３４Ｄ】
2017502793.tif 000082
【図３５Ａ】
2017502793.tif 000083
【図３５Ｂ】
2017502793.tif 000084
【図３５Ｃ】
2017502793.tif 000085
【図３５Ｄ】
2017502793.tif 000086
【図３５Ｅ】
2017502793.tif 000087
【図３６Ａ】
2017502793.tif 000088
【図３６Ｂ】
2017502793.tif 000089
【図３６Ｃ】
2017502793.tif 000090
【国際調査報告】
2017502793.tif 000091
2017502793.tif 000092